(57)【要約】本出願の実施形態は、同期信号送信方法および装置を提供する。この方法および装置によれば、第１のデバイスは、第１の同期シーケンスおよび／または第２の同期シーケンスを生成し、第１の同期シーケンスは第３の同期シーケンスセットの任意のシーケンスと異なり、および／または第２の同期シーケンスは第４の同期シーケンスセットの任意のシーケンスと異なる。本方法および装置は、本方法および装置に従って送信された同期信号と、新無線システムのセルラリンク上の同期信号との間の干渉を効果的に低減し、デバイス間の同期性能を改善することができ、Ｖ２Ｘ、ＬＴＥ−Ｖ、Ｖ２Ｖ、車のインターネット、ＭＴＣ、ＩｏＴ、ＬＴＥ−Ｍ、Ｍ２Ｍ、モノのインターネットなどに適用され得る。
2021533689.tif 000002
【特許請求の範囲】
【請求項１】
第１のデバイスに適用される同期信号送信方法であって、前記方法は、
第１の同期シーケンスおよび／または第２の同期シーケンスを生成するステップであって、前記第１の同期シーケンスは第３の同期シーケンスセットの任意のシーケンスと異なり、および／または前記第２の同期シーケンスは第４の同期シーケンスセットの任意のシーケンスと異なり、前記第３の同期シーケンスセットの前記任意のシーケンスは、
【数１】
2021533689.tif 000146
を満たし、
前記第３の同期シーケンスセットの前記任意のシーケンスに対応する生成多項式は、x(i+7)=(x(i+4)+x(i))mod2、
【数２】
2021533689.tif 000147
、および
[x(6) x(5) x(4) x(3) x(2) x(1) x(0)]=[1 1 1 0 1 1 0]であり、前記第４の同期シーケンスセットの前記任意のシーケンスは、
【数３】
2021533689.tif 000148
を満たし、
前記第４の同期シーケンスセットの前記任意のシーケンスに対応する生成多項式は、x0(i+7)=(x0(i+4)+x0(i))mod2、x1(i+7)=(x1(i+1)+x1(i))mod2、
【数４】
2021533689.tif 000149
、
【数５】
2021533689.tif 000150
、および
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]である、ステップと、
前記第１の同期シーケンスに対応する第１の同期信号および／または前記第２の同期シーケンスに対応する第２の同期信号を送信するステップと
を含む同期信号送信方法。
【請求項２】
前記第１の同期シーケンスが第３の同期シーケンスセットの任意のシーケンスと異なることは、
前記第１の同期シーケンスが、前記第３の同期シーケンスセットの前記任意のシーケンスの巡回シフトであること、および／または前記第１の同期シーケンスに対応する生成多項式が、前記第３の同期シーケンスセットの前記任意のシーケンスに対応する前記生成多項式と異なることを含む請求項１に記載の方法。
【請求項３】
前記第１の同期シーケンスは、d1(n)=1-2x(m’)を満たし、ここで、
【数６】
2021533689.tif 000151
、０≦ｎ＜１２７、
【数７】
2021533689.tif 000152
であり、Δは非ゼロ整数である請求項１または２に記載の方法。
【請求項４】
Δの値は、０よりも大きくＡよりも小さい請求項３に記載の方法。
【請求項５】
前記第１の同期シーケンスに対応する生成多項式が、前記第３の同期シーケンスセットの前記任意のシーケンスに対応する前記生成多項式と異なることは、
前記第１の同期シーケンスに対応する前記生成多項式が、
【数８】
2021533689.tif 000153
であり、ここで、[K6,K5,K4,K3,K2,K1,K0]≠[0,0,1,0,0,0,1]であり、Ｋnは整数であり、ｘ（０）からｘ（６）は初期値であることを含む請求項２に記載の方法。
【請求項６】
前記第２の同期シーケンスは、
【数９】
2021533689.tif 000154
を満たし、ここで、０≦ｎ＜１２７であり、
前記第２の同期シーケンスが第４の同期シーケンスセットの任意のシーケンスと異なることは、
前記シーケンス
【数１０】
2021533689.tif 000155
が前記シーケンス
【数１１】
2021533689.tif 000156
の巡回シフトであること、および／もしくは前記シーケンス
【数１２】
2021533689.tif 000157
が前記シーケンス
【数１３】
2021533689.tif 000158
の巡回シフトであること、ならびに／または
前記第２の同期シーケンスに対応する生成多項式が、前記第４の同期シーケンスセットの前記任意のシーケンスに対応する前記生成多項式と異なること
を含む請求項１乃至５のいずれか一項に記載の方法。
【請求項７】
前記第２の同期シーケンスは、
【数１４】
2021533689.tif 000159
および
【数１５】
2021533689.tif 000160
を満たし、ここで、
【数１６】
2021533689.tif 000161
、
【数１７】
2021533689.tif 000162
であり、Θは非ゼロ整数である請求項１または６に記載の方法。
【請求項８】
前記第２の同期シーケンスに対応する生成多項式が、前記第４の同期シーケンスセットの前記任意のシーケンスに対応する前記生成多項式と異なることは、
前記第２の同期シーケンスに対応する前記生成多項式が、x0(i+7)=(x0(i+3)+x0(i))mod2を含み、ここで、ｘ0（０）からｘ0（６）は初期値であることを含む請求項６または７に記載の方法。
【請求項９】
前記方法は、
同期信号識別セットから同期信号識別ＮIDを決定するステップと、
前記同期信号識別ＮIDに基づいて、第１の識別
【数１８】
2021533689.tif 000163
および／または第２の識別
【数１９】
2021533689.tif 000164
を決定するステップであって、
【数２０】
2021533689.tif 000165
であり、
【数２１】
2021533689.tif 000166
である、ステップと
をさらに含む請求項１乃至８のいずれか一項に記載の方法。
【請求項１０】
前記同期信号識別セットは、１つまたは複数のサブセットを含み、前記サブセットの各サブセットにおける同期信号識別は、以下の情報、
前記第１のデバイスのタイミング基準が、ネットワークデバイスであること、
前記第１のデバイスの前記タイミング基準が、タイミングパラメータとしてネットワークデバイスを使用する第２のデバイスであること、
前記第１のデバイスの前記タイミング基準が、衛星であること、
前記第１のデバイスの前記タイミング基準が、タイミングパラメータとして衛星を使用する第２のデバイスであること、および
前記第１のデバイスの前記タイミング基準が、前記第１のデバイス自体である、またはネットワークデバイスもしくは衛星と同期されない第２のデバイスであること
のうちの少なくとも１つを示す請求項９に記載の方法。
【請求項１１】
第２のデバイスに適用される同期信号受信方法であって、前記方法は、
第１の同期シーケンスに対応する第１の同期信号および／または第２の同期シーケンスに対応する第２の同期信号を受信するステップであって、前記第１の同期シーケンスは第３の同期シーケンスセットの任意のシーケンスと異なり、および／または前記第２の同期シーケンスは第４の同期シーケンスセットの任意のシーケンスと異なり、前記第３の同期シーケンスセットの前記任意のシーケンスは、
【数２２】
2021533689.tif 000167
を満たし、
前記第３の同期シーケンスセットの前記任意のシーケンスに対応する生成多項式は、x(i+7)=(x(i+4)+x(i))mod2、
【数２３】
2021533689.tif 000168
、および
[x(6) x(5) x(4) x(3) x(2) x(1) x(0)]=[1 1 1 0 1 1 0]であり、前記第４の同期シーケンスセットの前記任意のシーケンスは、
【数２４】
2021533689.tif 000169
を満たし、
前記第４の同期シーケンスセットの前記任意のシーケンスに対応する生成多項式は、x0(i+7)=(x0(i+4)+x0(i))mod2、x1(i+7)=(x1(i+1)+x1(i))mod2、
【数２５】
2021533689.tif 000170
、
【数２６】
2021533689.tif 000171
、および
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]である、ステップと、
前記第１の同期シーケンスおよび／または前記第２の同期シーケンスに基づいて、同期信号識別ＮIDを取得するステップと
を含む同期信号受信方法。
【請求項１２】
前記第１の同期シーケンスが第３の同期シーケンスセットの任意のシーケンスと異なることは、
前記第１の同期シーケンスが、前記第３の同期シーケンスセットの前記任意のシーケンスの巡回シフトであること、および／または前記第１の同期シーケンスに対応する生成多項式が、前記第３の同期シーケンスセットの前記任意のシーケンスに対応する生成多項式と異なることを含む請求項１１に記載の方法。
【請求項１３】
前記第１の同期シーケンスは、d1(n)=1-2x(m’)を満たし、ここで、
【数２７】
2021533689.tif 000172
、０≦ｎ＜１２７、
【数２８】
2021533689.tif 000173
であり、Δは非ゼロ整数である請求項１１または１２に記載の方法。
【請求項１４】
Δの値は、０よりも大きく４３よりも小さい請求項１３に記載の方法。
【請求項１５】
前記第１の同期シーケンスに対応する生成多項式が、前記第３の同期シーケンスセットの前記任意のシーケンスに対応する生成多項式と異なることは、
前記第１の同期シーケンスに対応する前記生成多項式が、
【数２９】
2021533689.tif 000174
であり、ここで、[K6,K5,K4,K3,K2,K1,K0]≠[0,0,1,0,0,0,1]であり、Ｋnは整数であり、ｘ（０）からｘ（６）は初期値であることを含む請求項１２に記載の方法。
【請求項１６】
前記第２の同期シーケンスは、
【数３０】
2021533689.tif 000175
を満たし、ここで、０≦ｎ＜１２７であり、
前記第２の同期シーケンスが第４の同期シーケンスセットの任意のシーケンスと異なることは、
前記シーケンス
【数３１】
2021533689.tif 000176
が前記シーケンス
【数３２】
2021533689.tif 000177
の巡回シフトであること、および／もしくは前記シーケンス
【数３３】
2021533689.tif 000178
が前記シーケンス
【数３４】
2021533689.tif 000179
の巡回シフトであること、ならびに／または
前記第２の同期シーケンスに対応する生成多項式が、前記第４の同期シーケンスセットの前記任意のシーケンスに対応する前記生成多項式と異なること
を含む請求項１１乃至１５のいずれか一項に記載の方法。
【請求項１７】
前記第２の同期シーケンスは、
【数３５】
2021533689.tif 000180
および
【数３６】
2021533689.tif 000181
を満たし、ここで、
【数３７】
2021533689.tif 000182
、
【数３８】
2021533689.tif 000183
であり、Θは非ゼロ整数である請求項１１または１６に記載の方法。
【請求項１８】
前記第２の同期シーケンスに対応する生成多項式が、前記第４の同期シーケンスセットの前記任意のシーケンスに対応する前記生成多項式と異なることは、
前記第２の同期シーケンスに対応する前記生成多項式が、x0(i+7)=(x0(i+3)+x0(i))mod2を含み、ここで、ｘ0（０）からｘ0（６）は初期値であることを含む請求項１６または１７に記載の方法。
【請求項１９】
前記方法は、前記同期信号識別ＮIDに基づいて前記第１のデバイスのタイミング基準ソースを決定するステップをさらに含む請求項１１乃至１８のいずれか一項に記載の方法。
【請求項２０】
前記第１の同期情報および／または前記第２の同期情報に基づいて同期信号識別ＮIDを取得する前記ステップは、
前記第１の同期信号および／または前記第２の同期信号に基づいて、第１の識別
【数３９】
2021533689.tif 000184
および／または第２の識別
【数４０】
2021533689.tif 000185
を決定するステップと、
前記第１の識別
【数４１】
2021533689.tif 000186
および／または前記第２の識別
【数４２】
2021533689.tif 000187
に基づいて、前記同期信号識別ＮIDを決定するステップであって、
【数４３】
2021533689.tif 000188
または
【数４４】
2021533689.tif 000189
である、ステップと
を含む請求項１１乃至１８のいずれか一項に記載の方法。
【請求項２１】
プロセッサと、前記プロセッサに結合されたメモリおよびトランシーバとを備える同期信号送信装置であって、
前記プロセッサは、第１の同期シーケンスおよび／または第２の同期シーケンスを生成するように構成され、前記第１の同期シーケンスは第３の同期シーケンスセットの任意のシーケンスと異なり、および／または前記第２の同期シーケンスは第４の同期シーケンスセットの任意のシーケンスと異なり、前記第３の同期シーケンスセットの前記任意のシーケンスは、
【数４５】
2021533689.tif 000190
を満たし、
前記第３の同期シーケンスセットの前記任意のシーケンスに対応する生成多項式は、x(i+7)=(x(i+4)+x(i))mod2、
【数４６】
2021533689.tif 000191
、および
[x(6) x(5) x(4) x(3) x(2) x(1) x(0)]=[1 1 1 0 1 1 0]であり、前記第４の同期シーケンスセットの前記任意のシーケンスは、
【数４７】
2021533689.tif 000192
を満たし、
前記第４の同期シーケンスセットの前記任意のシーケンスに対応する生成多項式は、x0(i+7)=(x0(i+4)+x0(i))mod2、x1(i+7)=(x1(i+1)+x1(i))mod2、
【数４８】
2021533689.tif 000193
、
【数４９】
2021533689.tif 000194
、および
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]であり、
前記トランシーバは、前記第１の同期シーケンスに対応する第１の同期信号および／または前記第２の同期シーケンスに対応する第２の同期信号を送信するように構成される、同期信号送信装置。
【請求項２２】
前記第１の同期シーケンスが第３の同期シーケンスセットの任意のシーケンスと異なることは、
前記第１の同期シーケンスが、前記第３の同期シーケンスセットの前記任意のシーケンスの巡回シフトであること、および／または前記第１の同期シーケンスに対応する生成多項式が、前記第３の同期シーケンスセットの前記任意のシーケンスに対応する前記生成多項式と異なることを含む請求項２１に記載の装置。
【請求項２３】
前記第１の同期シーケンスは、d1(n)=1-2x(m’)を満たし、ここで、
【数５０】
2021533689.tif 000195
、０≦ｎ＜１２７、
【数５１】
2021533689.tif 000196
であり、Δは非ゼロ整数である請求項２１または２２に記載の装置。
【請求項２４】
Δの値は、０よりも大きくＡよりも小さい請求項２３に記載の装置。
【請求項２５】
前記第１の同期シーケンスに対応する生成多項式が、前記第３の同期シーケンスセットの前記任意のシーケンスに対応する生成多項式と異なることは、
前記第１の同期シーケンスに対応する前記生成多項式が、
【数５２】
2021533689.tif 000197
であり、ここで、[K6,K5,K4,K3,K2,K1,K0]≠[0,0,1,0,0,0,1]であり、Ｋnは整数であり、ｘ（０）からｘ（６）は初期値であることを含む請求項２２に記載の装置。
【請求項２６】
前記第２の同期シーケンスは、
【数５３】
2021533689.tif 000198
を満たし、ここで、０≦ｎ＜１２７であり、
前記第２の同期シーケンスが第４の同期シーケンスセットの任意のシーケンスと異なることは、
前記シーケンス
【数５４】
2021533689.tif 000199
が前記シーケンス
【数５５】
2021533689.tif 000200
の巡回シフトであること、および／もしくは前記シーケンス
【数５６】
2021533689.tif 000201
が前記シーケンス
【数５７】
2021533689.tif 000202
の巡回シフトであること、ならびに／または
前記第２の同期シーケンスに対応する生成多項式が、前記第４の同期シーケンスセットの前記任意のシーケンスに対応する前記生成多項式と異なること
を含む請求項２１乃至２５のいずれか一項に記載の装置。
【請求項２７】
前記第２の同期シーケンスは、
【数５８】
2021533689.tif 000203
および
【数５９】
2021533689.tif 000204
を満たし、ここで、
【数６０】
2021533689.tif 000205
、
【数６１】
2021533689.tif 000206
であり、Θは非ゼロ整数である請求項１１または２６に記載の装置。
【請求項２８】
前記第２の同期シーケンスに対応する生成多項式が、前記第４の同期シーケンスセットの前記任意のシーケンスに対応する前記生成多項式と異なることは、
前記第２の同期シーケンスに対応する前記生成多項式が、x0(i+7)=(x0(i+3)+x0(i))mod2を含み、ここで、ｘ0（０）からｘ0（６）は初期値であることを含む請求項２１乃至２７のいずれか一項に記載の装置。
【請求項２９】
前記プロセッサは、
同期信号識別セットから同期信号識別ＮIDを決定するようにさらに構成され、
前記プロセッサは、前記同期信号識別ＮIDに基づいて、第１の識別
【数６２】
2021533689.tif 000207
および／または第２の識別
【数６３】
2021533689.tif 000208
を決定するようにさらに構成され、
【数６４】
2021533689.tif 000209
であり、
【数６５】
2021533689.tif 000210
である請求項２１乃至２８のいずれか一項に記載の装置。
【請求項３０】
前記同期信号識別セットは、１つまたは複数のサブセットを含み、前記サブセットの各サブセットにおける同期信号識別は、以下の情報、
前記第１のデバイスのタイミング基準が、ネットワークデバイスであること、
前記第１のデバイスの前記タイミング基準が、タイミングパラメータとしてネットワークデバイスを使用する第２のデバイスであること、
前記第１のデバイスの前記タイミング基準が、衛星であること、
前記第１のデバイスの前記タイミング基準が、タイミングパラメータとして衛星を使用する第２のデバイスであること、および
前記第１のデバイスの前記タイミング基準が、前記第１のデバイス自体である、またはネットワークデバイスもしくは衛星と同期されない第２のデバイスであること
のうちの少なくとも１つを示す請求項２９に記載の装置。
【請求項３１】
プロセッサと、前記プロセッサに結合されたメモリおよびトランシーバとを備える同期信号受信装置であって、
前記トランシーバは、第１の同期シーケンスに対応する第１の同期信号および／または第２の同期シーケンスに対応する第２の同期信号を受信するように構成され、前記第１の同期シーケンスは第３の同期シーケンスセットの任意のシーケンスと異なり、および／または前記第２の同期シーケンスは第４の同期シーケンスセットの任意のシーケンスと異なり、前記第３の同期シーケンスセットの前記任意のシーケンスは、
【数６６】
2021533689.tif 000211
を満たし、
前記第３の同期シーケンスセットの前記任意のシーケンスに対応する生成多項式は、x(i+7)=(x(i+4)+x(i))mod2、
【数６７】
2021533689.tif 000212
、および
[x(6) x(5) x(4) x(3) x(2) x(1) x(0)]=[1 1 1 0 1 1 0]であり、前記第４の同期シーケンスセットの前記任意のシーケンスは、
【数６８】
2021533689.tif 000213
を満たし、
前記第４の同期シーケンスセットの前記任意のシーケンスに対応する生成多項式は、x0(i+7)=(x0(i+4)+x0(i))mod2、x1(i+7)=(x1(i+1)+x1(i))mod2、
【数６９】
2021533689.tif 000214
、
【数７０】
2021533689.tif 000215
、および
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]であり、
前記プロセッサは、前記第１の同期シーケンスおよび／または前記第２の同期シーケンスに基づいて、同期信号識別ＮIDを取得するように構成される、同期信号受信装置。
【請求項３２】
前記第１の同期シーケンスが第３の同期シーケンスセットの任意のシーケンスと異なることは、
前記第１の同期シーケンスが、前記第３の同期シーケンスセットの前記任意のシーケンスの巡回シフトであること、および／または前記第１の同期シーケンスに対応する生成多項式が、前記第３の同期シーケンスセットの前記任意のシーケンスに対応する前記生成多項式と異なることを含む請求項３１に記載の装置。
【請求項３３】
前記第１の同期シーケンスは、d1(n)=1-2x(m’)を満たし、ここで、
【数７１】
2021533689.tif 000216
、０≦ｎ＜１２７、
【数７２】
2021533689.tif 000217
であり、Δは非ゼロ整数である請求項３１または３２に記載の装置。
【請求項３４】
Δの値は、０よりも大きく４３よりも小さい請求項３３に記載の装置。
【請求項３５】
前記第１の同期シーケンスに対応する生成多項式が、前記第３の同期シーケンスセットの前記任意のシーケンスに対応する前記生成多項式と異なることは、
前記第１の同期シーケンスに対応する前記生成多項式が、
【数７３】
2021533689.tif 000218
であり、ここで、[K6,K5,K4,K3,K2,K1,K0]≠[0,0,1,0,0,0,1]であり、Ｋnは整数であり、ｘ（０）からｘ（６）は初期値であることを含む請求項３２に記載の装置。
【請求項３６】
前記第２の同期シーケンスは、
【数７４】
2021533689.tif 000219
を満たし、ここで、０≦ｎ＜１２７であり、
前記第２の同期シーケンスが第４の同期シーケンスセットの任意のシーケンスと異なることは、
前記シーケンス
【数７５】
2021533689.tif 000220
が前記シーケンス
【数７６】
2021533689.tif 000221
の巡回シフトであること、および／もしくは前記シーケンス
【数７７】
2021533689.tif 000222
が前記シーケンス
【数７８】
2021533689.tif 000223
の巡回シフトであること、ならびに／または
前記第２の同期シーケンスに対応する生成多項式が、前記第４の同期シーケンスセットの前記任意のシーケンスに対応する前記生成多項式と異なること
を含む請求項３１乃至３５のいずれか一項に記載の装置。
【請求項３７】
前記第２の同期シーケンスは、
【数７９】
2021533689.tif 000224
および
【数８０】
2021533689.tif 000225
を満たし、ここで、
【数８１】
2021533689.tif 000226
、
【数８２】
2021533689.tif 000227
であり、Θは非ゼロ整数である請求項３１または３６に記載の装置。
【請求項３８】
前記第２の同期シーケンスに対応する生成多項式が、前記第４の同期シーケンスセットの前記任意のシーケンスに対応する前記生成多項式と異なることは、
前記第２の同期シーケンスに対応する前記生成多項式が、x0(i+7)=(x0(i+3)+x0(i))mod2を含み、ここで、ｘ0（０）からｘ0（６）は初期値であることを含む請求項３１乃至３７のいずれか一項に記載の装置。
【請求項３９】
前記プロセッサは、前記同期信号識別ＮIDに基づいて前記第１のデバイスのタイミング基準ソースを決定するようにさらに構成される請求項３１乃至３８のいずれか一項に記載の装置。
【請求項４０】
前記プロセッサが、前記第１の同期情報および／または前記第２の同期情報に基づいて同期信号識別ＮIDを取得するように構成されることは、
前記プロセッサが、前記第１の同期信号および／または前記第２の同期信号に基づいて、第１の識別
【数８３】
2021533689.tif 000228
および／または第２の識別
【数８４】
2021533689.tif 000229
を決定するように構成されることと、
前記プロセッサが、前記第１の識別
【数８５】
2021533689.tif 000230
および／または前記第２の識別
【数８６】
2021533689.tif 000231
に基づいて、前記同期信号識別ＮIDを決定するように構成され、ここで、
【数８７】
2021533689.tif 000232
または
【数８８】
2021533689.tif 000233
であることと
を含む請求項３１乃至３８のいずれか一項に記載の装置。
【請求項４１】
命令を含むコンピュータ記憶媒体であって、前記命令がコンピュータ上で実行されたとき、前記コンピュータは、請求項１乃至４０のいずれか一項に記載の方法を実行することを可能にされる、コンピュータ記憶媒体。
【発明の詳細な説明】
【技術分野】
【０００１】
本出願の実施形態は、通信分野に関し、特に同期信号送信方法および装置に関する。
【背景技術】
【０００２】
本出願は、２０１８年８月１０日に中国国家知識産権局に出願された「ＳＹＮＣＨＲＯＮＩＺＡＴＩＯＮ  ＳＩＧＮＡＬ  ＴＲＡＮＳＭＩＳＳＩＯＮ  ＭＥＴＨＯＤ  ＡＮＤ  ＡＰＰＡＲＡＴＵＳ」という名称の中国特許出願第２０１８１０９１１１５７．８号の優先権を主張するものであり、その全体が参照により本明細書に組み込まれている。
【０００３】
デバイス間（Ｄｅｖｉｃｅ  ｔｏ  Ｄｅｖｉｃｅ、Ｄ２Ｄ）通信、車車間（Ｖｅｈｉｃｌｅ  ｔｏ  Ｖｅｈｉｃｌｅ、Ｖ２Ｖ）通信、歩車間（Ｖｅｈｉｃｌｅ  ｔｏ  Ｐｅｄｅｓｔｒｉａｎ、Ｖ２Ｐ）通信、または路車間／ネットワーク（Ｖｅｈｉｃｌｅ  ｔｏ  Ｉｎｆｒａｓｔｒｕｃｔｕｒｅ／Ｎｅｔｗｏｒｋ、Ｖ２Ｉ／Ｎ）通信は、端末デバイス（ｔｅｒｍｉｎａｌ  ｄｅｖｉｃｅ）間の直接通信の技術である。Ｖ２Ｖ、Ｖ２Ｐ、およびＶ２Ｉ／Ｎは、総称してＶ２Ｘ（ｖｅｈｉｃｌｅ  ｔｏ  ｅｖｅｒｙｔｈｉｎｇ、Ｖ２Ｘ）、すなわち車両とすべてのものとの間の通信と呼ばれる。
【０００４】
Ｄ２ＤまたはＶ２Ｘ通信の基本要件は、通信する必要がある端末デバイスの間の同期を実施することである。端末デバイス間の同期信号は、セルラリンク上の同期信号によって干渉されることがある。さらに、Ｄ２ＤまたはＶ２Ｘデバイスの間の同期信号がセルラリンク上の同期信号の送信に干渉することもある。結果として、デバイス間の同期性能が低下する。
【発明の概要】
【０００５】
本出願の実施形態は、同期信号送信および受信方法ならびに同期信号送信および受信装置を提供して、デバイス間の同期性能を改善する。
【０００６】
第１の態様によれば、本出願の実施形態は同期信号送信方法を提供する。第１のデバイスが第１の同期シーケンスおよび／または第２の同期シーケンスを生成し、第１の同期シーケンスは第３の同期シーケンスセットの任意のシーケンスと異なり、および／または第２の同期シーケンスは第４の同期シーケンスセットの任意のシーケンスと異なり、第３の同期シーケンスセットの任意のシーケンスは、
【０００７】
【数１】
2021533689.tif 000003
【０００８】
[x(6) x(5) x(4) x(3) x(2) x(1) x(0)]=[1 1 1 0 1 1 0]であり、
第４の同期シーケンスセットの任意のシーケンスは、
【０００９】
【数２】
2021533689.tif 000004
【００１０】
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]であり、
第１のデバイスは、第１の同期シーケンスに対応する第１の同期信号および／または第２の同期シーケンスに対応する第２の同期信号を送信する。
【００１１】
本出願のこの実施形態で提供される方法を使用することによって得られる同期シーケンスは、５Ｇ  ＮＲシステムにおける同期シーケンスセットの任意の同期シーケンスと異なることが可能であり、それにより、別のソース同期デバイスの同期信号と、ＮＲシステムにおけるＵｕリンク上の同期信号との間の干渉を効果的に低減する。このようにして、デバイス間の同期性能が改善される。
【００１２】
可能な設計において、第１の同期シーケンスが第３の同期シーケンスセットの任意のシーケンスと異なることは、第１の同期シーケンスが、第３の同期シーケンスセットの任意のシーケンスの巡回シフトであること、および／または第１の同期シーケンスに対応する生成多項式が、第３の同期シーケンスセットの任意のシーケンスに対応する生成多項式と異なることを含む。
【００１３】
可能な設計において、第１の同期シーケンスは、d1(n)=1-2x(m’)を満たし、ここで、
【００１４】
【数３】
2021533689.tif 000005
【００１５】
であり、Δは非ゼロ整数である。
【００１６】
任意選択で、Δの値は、０よりも大きくＡよりも小さい。
【００１７】
任意選択で、
【００１８】
【数４】
2021533689.tif 000006
【００１９】
であり、ここで、Ｒは正の整数であり、
【００２０】
【数５】
2021533689.tif 000007
【００２１】
任意選択で、Δ＝２１またはΔ＝２２である。
【００２２】
任意選択で、Δはシグナリングによって示され、またはΔは予め定義される。
【００２３】
任意選択で、第１の同期シーケンスに対応する生成多項式は、x(i+7)=(x(i+4)+x(i))mod2であり、ここで、x(0)からx(6)は初期値である。
【００２４】
可能な設計において、第１の同期シーケンスに対応する生成多項式が、第３の同期シーケンスセットの任意のシーケンスに対応する生成多項式と異なることは、第１の同期シーケンスに対応する生成多項式が、
【００２５】
【数６】
2021533689.tif 000008
【００２６】
であり、ここで、[K6,K5,K4,K3,K2,K1,K0]≠[0,0,1,0,0,0,1]であり、Ｋは整数であり、x(0)からx(6)は初期値であることを含む。
【００２７】
可能な設計において、第１の同期シーケンスに対応する生成多項式は、x(i+7)=(x(i+1)+x(i))mod2である。
【００２８】
可能な設計において、第２の同期シーケンスは、
【００２９】
【数７】
2021533689.tif 000009
【００３０】
を満たし、ここで、０≦ｎ＜１２７であり、
【００３１】
第２の同期シーケンスが第４の同期シーケンスセットの任意のシーケンスと異なることは、
【００３２】
【数８】
2021533689.tif 000010
【００３３】
の巡回シフトであること、および／もしくは
【００３４】
【数９】
2021533689.tif 000011
【００３５】
の巡回シフトであること、ならびに／または第２の同期シーケンスに対応する生成多項式が、第４の同期シーケンスセットの任意のシーケンスに対応する生成多項式と異なることを含む。
【００３６】
可能な設計において、第２の同期シーケンスは、
【００３７】
【数１０】
2021533689.tif 000012
【００３８】
であり、Θは非ゼロ整数である。
【００３９】
任意選択で、Θ≧４５、またはΘはゼロより大きく、かつ５の整数倍ではない、またはΘは４５以上であり、かつ５の整数倍である。
【００４０】
任意選択で、Θ＝４５である。
【００４１】
任意選択で、Θはシグナリングによって示され、またはΘは予め定義される。
【００４２】
可能な設計において、第２の同期シーケンスに対応する生成多項式は、x0(i+7)=(x0(i+3)+x0(i))mod2を含み、ここで、ｘ0（０）からｘ0（６）は初期値である。
【００４３】
可能な設計において、第２の同期シーケンスに対応する生成多項式は、
x1(i+7)=(x1(i+3)+x1(i+2)+x1(i+1)+x1(i))mod2を含み、ここで、x1(0)からx1(6)は初期値である。
【００４４】
任意選択で、第２の同期シーケンスに対応する生成多項式は、x0(i+7)=(x0(i+4)+x0(i))mod2、およびx1(i+7)=(x1(i+1)+x1(i))mod2であり、ここで、x0(0)からx0(6)は初期値であり、x1(0)からx1(6)は初期値である。
【００４５】
可能な設計において、上記方法は、同期信号識別子セットから同期信号識別子ＮIDを決定するステップと、同期信号識別子ＮIDに基づいて、
【００４６】
【数１１】
2021533689.tif 000013
【００４７】
を決定するステップであって、
【００４８】
【数１２】
2021533689.tif 000014
【００４９】
である、ステップとをさらに含む。
【００５０】
可能な設計において、同期信号識別子セットは、１つまたは複数のサブセットを含み、サブセットにおける同期信号識別子は、以下の情報、
第１のデバイスのタイミング基準が、ネットワークデバイスであること、
第１のデバイスのタイミング基準が、タイミングパラメータとしてネットワークデバイスを使用する第２のデバイスであること、
第１のデバイスのタイミング基準が、衛星であること、
第１のデバイスのタイミング基準が、タイミングパラメータとして衛星を使用する第２のデバイスであること、および
第１のデバイスのタイミング基準が、第１のデバイス自体である、またはネットワークデバイスもしくは衛星と同期されない第２のデバイスであること
のうちの少なくとも１つを示す。
【００５１】
第２の態様によれば、本出願の実施形態は、第２のデバイスに適用される同期信号受信方法を提供する。この方法は、第１の同期シーケンスに対応する第１の同期信号および／または第２の同期シーケンスに対応する第２の同期信号を受信するステップであって、第１の同期シーケンスは第３の同期シーケンスセットの任意のシーケンスと異なり、および／または第２の同期シーケンスは第４の同期シーケンスセットの任意のシーケンスと異なり、第３の同期シーケンスセットの任意のシーケンスは、
【００５２】
【数１３】
2021533689.tif 000015
【００５３】
[x(6) x(5) x(4) x(3) x(2) x(1) x(0)]=[1 1 1 0 1 1 0]であり、
第４の同期シーケンスセットの任意のシーケンスは、
【００５４】
【数１４】
2021533689.tif 000016
【００５５】
[x0(6) x0(5) x0(4) x0(3) x0(2) x0(1) x0(0)]=[0 0 0 0 0 0 1]、および
[x1(6) x1(5) x1(4) x1(3) x1(2) x1(1) x1(0)]=[0 0 0 0 0 0 1]である、ステップと、
第１の同期シーケンスおよび／または第２の同期シーケンスに基づいて、同期信号識別子ＮIDを取得するステップと
を含む。
【００５６】
可能な設計において、第１の同期シーケンスが第３の同期シーケンスセットの任意のシーケンスと異なることは、第１の同期シーケンスが、第３の同期シーケンスセットの任意のシーケンスの巡回シフトであること、および／または第１の同期シーケンスに対応する生成多項式が、第３の同期シーケンスセットの任意のシーケンスに対応する生成多項式と異なることを含む。
【００５７】
可能な設計において、第１の同期シーケンスは、d1(n)=1-2x(m’)を満たし、ここで、
【００５８】
【数１５】
2021533689.tif 000017
【００５９】
であり、Δは非ゼロ整数である。
【００６０】
任意選択で、Δの値は、０よりも大きく４３よりも小さい。
【００６１】
任意選択で、
【００６２】
【数１６】
2021533689.tif 000018
【００６３】
であり、ここで、Ｒは正の整数であり、
【００６４】
【数１７】
2021533689.tif 000019
【００６５】
任意選択で、Δ＝２１またはΔ＝２２である。
【００６６】
任意選択で、Δはシグナリングによって示され、またはΔは予め定義される。
【００６７】
可能な設計において、第１の同期シーケンスに対応する生成多項式は、x(i+7)=(x(i+4)+x(i))mod2であり、ここで、ｘ（０）からｘ（６）は初期値である。
【００６８】
可能な設計において、第１の同期シーケンスに対応する生成多項式が、第３の同期シーケンスセットの任意のシーケンスに対応する生成多項式と異なることは、第１の同期シーケンスに対応する生成多項式が、
【００６９】
【数１８】
2021533689.tif 000020
【００７０】
であり、ここで、[K6,K5,K4,K3,K2,K1,K0]≠[0,0,1,0,0,0,1]であり、Ｋは整数であり、ｘ（０）からｘ（６）は初期値であることを含む。
【００７１】
可能な設計において、第１の同期シーケンスに対応する生成多項式は、x(i+7)=(x(i+1)+x(i))mod2である。
【００７２】
可能な設計において、第２の同期シーケンスは、
【００７３】
【数１９】
2021533689.tif 000021
【００７４】
を満たし、ここで、０≦ｎ＜１２７であり、
第２の同期シーケンスが第４の同期シーケンスセットの任意のシーケンスと異なることは、
【００７５】
2021533689.tif 000022
【００７６】
の巡回シフトであること、および／もしくは
【００７７】
【数２０】
2021533689.tif 000023
【００７８】
の巡回シフトであること、ならびに／または第２の同期シーケンスに対応する生成多項式が、第４の同期シーケンスセットの任意のシーケンスに対応する生成多項式と異なることを含む。
【００７９】
可能な設計において、第２の同期シーケンスは、
【００８０】
【数２１】
2021533689.tif 000024
【００８１】
であり、Θは非ゼロ整数である。
【００８２】
任意選択で、Θ≧４５、またはΘはゼロより大きく、かつ５の整数倍ではない、またはΘは４５以上であり、かつ５の整数倍である。
【００８３】
任意選択で、Θ＝４５である。
【００８４】
任意選択で、Θはシグナリングによって示され、またはΘは予め定義される。
【００８５】
可能な設計において、第２の同期シーケンスに対応する生成多項式が、第４の同期シーケンスセットの任意のシーケンスに対応する生成多項式と異なることは、第２の同期シーケンスに対応する生成多項式が、x0(i+7)=(x0(i+3)+x0(i))mod2を含み、ここで、ｘ0（０）からｘ0（６）は初期値であることを含む。
【００８６】
可能な設計において、第２の同期シーケンスに対応する生成多項式が、第４の同期シーケンスセットの任意のシーケンスに対応する生成多項式と異なることは、第２の同期シーケンスに対応する生成多項式が、x1(i+7)=(x1(i+3)+x1(i+2)+x1(i+1)+x1(i))mod2を含み、ここで、ｘ1（０）からｘ1（６）は初期値であることを含む。
【００８７】
可能な設計において、第２の同期シーケンスに対応する生成多項式は、x0(i+7)=(x0(i+4)+x0(i))mod2、およびx1(i+7)=(x1(i+1)+x1(i))mod2であり、ここで、ｘ0（０）からｘ0（６）は初期値であり、ｘ1（０）からｘ1（６）は初期値である。
【００８８】
可能な設計において、上記方法は、同期信号識別子ＮIDに基づいて第１のデバイスのタイミング基準ソースを決定するステップをさらに含む。
【００８９】
可能な設計において、第１の同期情報および／または第２の同期情報に基づいて同期信号識別子ＮIDを取得するステップは、第１の同期信号および／または第２の同期信号に基づいて、
【００９０】
【数２２】
2021533689.tif 000025
【００９１】
を決定するステップと、
【００９２】
【数２３】
2021533689.tif 000026
【００９３】
に基づいて、同期信号識別子ＮIDを決定するステップであって、
【００９４】
【数２４】
2021533689.tif 000027
【００９５】
である、ステップとを含む。
【００９６】
第３の態様によれば、本発明の実施形態は同期信号送信装置を提供する。装置は、プロセッサと、プロセッサに結合されたメモリおよびトランシーバとを備える。
【００９７】
プロセッサは、第１の同期シーケンスおよび／または第２の同期シーケンスを生成するように構成され、第１の同期シーケンスは第３の同期シーケンスセットの任意のシーケンスと異なり、および／または第２の同期シーケンスは第４の同期シーケンスセットの任意のシーケンスと異なり、第３の同期シーケンスセットの任意のシーケンスは、
【００９８】
【数２５】
2021533689.tif 000028
【００９９】
[x(6) x(5) x(4) x(3) x(2) x(1) x(0)]=[1 1 1 0 1 1 0]であり、
第４の同期シーケンスセットの任意のシーケンスは、
【０１００】
【数２６】
2021533689.tif 000029
【０１０１】
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]であり、
トランシーバは、第１の同期シーケンスに対応する第１の同期信号および／または第２の同期シーケンスに対応する第２の同期信号を送信するように構成される。
【０１０２】
可能な設計において、第１の同期シーケンスが第３の同期シーケンスセットの任意のシーケンスと異なることは、第１の同期シーケンスが、第３の同期シーケンスセットの任意のシーケンスの巡回シフトであること、および／または第１の同期シーケンスに対応する生成多項式が、第３の同期シーケンスセットの任意のシーケンスに対応する生成多項式と異なることを含む。
【０１０３】
可能な設計において、第１の同期シーケンスは、d1(n)=1-2x(m’)を満たし、ここで、
【０１０４】
【数２７】
2021533689.tif 000030
【０１０５】
であり、Δは非ゼロ整数である。
【０１０６】
任意選択で、Δの値は、０よりも大きくＡよりも小さい。
【０１０７】
任意選択で、
【０１０８】
【数２８】
2021533689.tif 000031
【０１０９】
であり、ここで、Ｒは正の整数であり、
【０１１０】
【数２９】
2021533689.tif 000032
【０１１１】
任意選択で、Δ＝２１またはΔ＝２２である。
【０１１２】
任意選択で、Δはシグナリングによって示され、またはΔは予め定義される。
【０１１３】
可能な設計において、第１の同期シーケンスに対応する生成多項式は、x(i+7)=(x(i+4)+x(i))mod2であり、ここで、ｘ（０）からｘ（６）は初期値である。
【０１１４】
可能な設計において、第１の同期シーケンスに対応する生成多項式が、第３の同期シーケンスセットの任意のシーケンスに対応する生成多項式と異なることは、
第１の同期シーケンスに対応する生成多項式が、
【０１１５】
【数３０】
2021533689.tif 000033
【０１１６】
であり、ここで、[K6,K5,K4,K3,K2,K1,K0]≠[0,0,1,0,0,0,1]であり、Ｋは整数であり、ｘ（０）からｘ（６）は初期値であることを含む。
【０１１７】
可能な設計において、第１の同期シーケンスに対応する生成多項式は、x(i+7)=(x(i+1)+x(i))mod2である。
【０１１８】
可能な設計において、第２の同期シーケンスは、
【０１１９】
【数３１】
2021533689.tif 000034
【０１２０】
を満たし、ここで、０≦ｎ＜１２７であり、
第２の同期シーケンスが第４の同期シーケンスセットの任意のシーケンスと異なることは、
【０１２１】
【数３２】
2021533689.tif 000035
【０１２２】
の巡回シフトであること、および／もしくは
【０１２３】
【数３３】
2021533689.tif 000036
【０１２４】
の巡回シフトであること、ならびに／または第２の同期シーケンスに対応する生成多項式が、第４の同期シーケンスセットの任意のシーケンスに対応する生成多項式と異なることを含む。
【０１２５】
可能な設計において、第２の同期シーケンスは、
【０１２６】
【数３４】
2021533689.tif 000037
【０１２７】
であり、Θは非ゼロ整数である。
【０１２８】
任意選択で、Θ≧４５、またはΘはゼロより大きく、かつ５の整数倍ではない、またはΘは４５以上であり、かつ５の整数倍である。
【０１２９】
任意選択で、Θ＝４５である。
【０１３０】
任意選択で、Θはシグナリングによって示され、またはΘは予め定義される。
【０１３１】
可能な設計において、第２の同期シーケンスに対応する生成多項式が、第４の同期シーケンスセットの任意のシーケンスに対応する生成多項式と異なることは、第２の同期シーケンスに対応する生成多項式が、x0(i+7)=(x0(i+3)+x0(i))mod2を含み、ここで、ｘ0（０）からｘ0（６）は初期値であることを含む。
【０１３２】
可能な設計において、第２の同期シーケンスに対応する生成多項式が、第４の同期シーケンスセットの任意のシーケンスに対応する生成多項式と異なることは、
第２の同期シーケンスに対応する生成多項式が、
x1(i+7)=(x1(i+3)+x1(i+2)+x1(i+1)+x1(i))mod2を含み、ここで、ｘ1（０）からｘ1（６）は初期値であることを含む。
【０１３３】
可能な設計において、第２の同期シーケンスに対応する生成多項式は、x0(i+7)=(x0(i+4)+x0(i))mod2、およびx1(i+7)=(x1(i+1)+x1(i))mod2であり、ここで、ｘ0（０）からｘ0（６）は初期値であり、ｘ1（０）からｘ1（６）は初期値である。
【０１３４】
可能な設計において、プロセッサは、同期信号識別子セットから同期信号識別子ＮIDを決定するようにさらに構成される。プロセッサは、同期信号識別子ＮIDに基づいて、
【０１３５】
【数３５】
2021533689.tif 000038
【０１３６】
を決定するようにさらに構成され、
【０１３７】
【数３６】
2021533689.tif 000039
【０１３８】
である。
【０１３９】
可能な設計において、同期信号識別子セットは、１つまたは複数のサブセットを含み、サブセットにおける同期信号識別子は、以下の情報、
第１のデバイスのタイミング基準が、ネットワークデバイスであること、
第１のデバイスのタイミング基準が、タイミングパラメータとしてネットワークデバイスを使用する第２のデバイスであること、
第１のデバイスのタイミング基準が、衛星であること、
第１のデバイスのタイミング基準が、タイミングパラメータとして衛星を使用する第２のデバイスであること、および
第１のデバイスのタイミング基準が、第１のデバイス自体である、またはネットワークデバイスもしくは衛星と同期されない第２のデバイスであること
のうちの少なくとも１つを示す。
【０１４０】
第４の態様によれば、本発明の実施形態は同期信号受信装置を提供する。装置は、プロセッサと、プロセッサに結合されたメモリおよびトランシーバとを備える。
【０１４１】
トランシーバは、第１の同期シーケンスに対応する第１の同期信号および／または第２の同期シーケンスに対応する第２の同期信号を受信するように構成され、第１の同期シーケンスは第３の同期シーケンスセットの任意のシーケンスと異なり、および／または第２の同期シーケンスは第４の同期シーケンスセットの任意のシーケンスと異なり、第３の同期シーケンスセットの任意のシーケンスは、
【０１４２】
【数３７】
2021533689.tif 000040
【０１４３】
[x(6) x(5) x(4) x(3) x(2) x(1) x(0)]=[1 1 1 0 1 1 0]であり、
第４の同期シーケンスセットの任意のシーケンスは、
【０１４４】
【数３８】
2021533689.tif 000041
【０１４５】
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]であり、
プロセッサは、第１の同期シーケンスおよび／または第２の同期シーケンスに基づいて、同期信号識別子ＮIDを取得するように構成される。
【０１４６】
可能な設計において、第１の同期シーケンスが第３の同期シーケンスセットの任意のシーケンスと異なることは、第１の同期シーケンスが、第３の同期シーケンスセットの任意のシーケンスの巡回シフトであること、および／または第１の同期シーケンスに対応する生成多項式が、第３の同期シーケンスセットの任意のシーケンスに対応する生成多項式と異なることを含む。
【０１４７】
可能な設計において、第１の同期シーケンスは、d1(n)=1-2x(m’)を満たし、ここで、
【０１４８】
【数３９】
2021533689.tif 000042
【０１４９】
であり、Δは非ゼロ整数である。
【０１５０】
任意選択で、Δの値は、０よりも大きく４３よりも小さい。
【０１５１】
任意選択で、
【０１５２】
【数４０】
2021533689.tif 000043
【０１５３】
であり、ここで、Ｒは正の整数であり、
【０１５４】
【数４１】
2021533689.tif 000044
【０１５５】
任意選択で、Δ＝２１またはΔ＝２２である。
【０１５６】
任意選択で、Δはシグナリングによって示され、またはΔは予め定義される。
【０１５７】
可能な設計において、第１の同期シーケンスに対応する生成多項式は、x(i+7)=(x(i+4)+x(i))mod2であり、ここで、ｘ（０）からｘ（６）は初期値である。
【０１５８】
可能な設計において、第１の同期シーケンスに対応する生成多項式が、第３の同期シーケンスセットの任意のシーケンスに対応する生成多項式と異なることは、第１の同期シーケンスに対応する生成多項式が、
【０１５９】
【数４２】
2021533689.tif 000045
【０１６０】
であり、ここで、[K6,K5,K4,K3,K2,K1,K0]≠[0,0,1,0,0,0,1]であり、Ｋは整数であり、ｘ（０）からｘ（６）は初期値であることを含む。
【０１６１】
可能な設計において、第１の同期シーケンスに対応する生成多項式は、x(i+7)=(x(i+1)+x(i))mod2である。
【０１６２】
可能な設計において、第２の同期シーケンスは、
【０１６３】
【数４３】
2021533689.tif 000046
【０１６４】
を満たし、ここで、０≦ｎ＜１２７であり、
第２の同期シーケンスが第４の同期シーケンスセットの任意のシーケンスと異なることは、
【０１６５】
【数４４】
2021533689.tif 000047
【０１６６】
の巡回シフトであること、および／もしくは
【０１６７】
【数４５】
2021533689.tif 000048
【０１６８】
の巡回シフトであること、ならびに／または第２の同期シーケンスに対応する生成多項式が、第４の同期シーケンスセットの任意のシーケンスに対応する生成多項式と異なることを含む。
【０１６９】
可能な設計において、第２の同期シーケンスは、
【０１７０】
【数４６】
2021533689.tif 000049
【０１７１】
であり、Θは非ゼロ整数である。
【０１７２】
任意選択で、Θ≧４５、またはΘはゼロより大きく、かつ５の整数倍ではない、またはΘは４５以上であり、かつ５の整数倍である。
【０１７３】
任意選択で、Θ＝４５である。
【０１７４】
任意選択で、Θはシグナリングによって示され、またはΘは予め定義される。
【０１７５】
可能な設計において、第２の同期シーケンスに対応する生成多項式が、第４の同期シーケンスセットの任意のシーケンスに対応する生成多項式と異なることは、第２の同期シーケンスに対応する生成多項式が、x0(i+7)=(x0(i+3)+x0(i))mod2を含み、ここで、ｘ0（０）からｘ0（６）は初期値であることを含む。
【０１７６】
可能な設計において、第２の同期シーケンスに対応する生成多項式が、第４の同期シーケンスセットの任意のシーケンスに対応する生成多項式と異なることは、
第２の同期シーケンスに対応する生成多項式が、x1(i+7)=(x1(i+3)+x1(i+2)+x1(i+1)+x1(i))mod2を含み、ここで、ｘ1（０）からｘ1（６）は初期値であることを含む。
【０１７７】
可能な設計において、第２の同期シーケンスに対応する生成多項式は、x0(i+7)=(x0(i+4)+x0(i))mod2、およびx1(i+7)=(x1(i+1)+x1(i))mod2であり、ここで、ｘ0（０）からｘ0（６）は初期値であり、ｘ1（０）からｘ1（６）は初期値である。
【０１７８】
可能な設計において、プロセッサは、同期信号識別子ＮIDに基づいて第１のデバイスのタイミング基準ソースを決定するようにさらに構成される。
【０１７９】
可能な設計において、プロセッサが、第１の同期情報および／または第２の同期情報に基づいて同期信号識別子ＮIDを取得するように構成されることは、
プロセッサが、第１の同期信号および／または第２の同期信号に基づいて、
【０１８０】
【数４７】
2021533689.tif 000050
【０１８１】
を決定するように構成されることと、
プロセッサが、
【０１８２】
【数４８】
2021533689.tif 000051
【０１８３】
に基づいて、同期信号識別子ＮIDを決定するように構成され、ここで、
【０１８４】
【数４９】
2021533689.tif 000052
【０１８５】
であることとを含む。
【０１８６】
上述の態様において、第１のデバイスは、端末デバイス、ネットワークデバイス、または端末デバイスもしくはネットワークデバイス内にあり上述の方法を実行する装置であってよい。
【０１８７】
上述の態様において、第２のデバイスは、端末デバイス、ネットワークデバイス、または端末デバイスもしくはネットワークデバイス内にあり上述の方法を実行する装置であってよい。
【０１８８】
第５の態様によれば、通信装置が提供される。通信装置は、上述の方法における第１のデバイスまたは第２のデバイスの挙動の機能を実行するように構成される。機能は、ハードウェアによって実装されてよく、またはハードウェアが対応するソフトウェアを実行することによって実装されてよい。ハードウェアまたはソフトウェアは、上述の機能に対応する１つまたは複数のユニットを含む。
【０１８９】
第６の態様によれば、命令を含むコンピュータ記憶媒体が提供される。命令がコンピュータ上で実行されたとき、コンピュータは、上述の方法設計における第１のデバイスまたは第２のデバイスの挙動の機能を実行することを可能にされる。
【図面の簡単な説明】
【０１９０】
【図１】本出願の実施形態によるワイヤレス通信システムの概略アーキテクチャ図である。
【図２】本出願の実施形態によるネットワークデバイスの可能な概略構造図である。
【図３】本出願の実施形態による端末デバイスの可能な概略構造図である。
【図４】本出願の実施形態によるｍシーケンスに基づく異なる巡回シフト値間の間隔の概略図である。
【図５】本出願の実施形態による方法の概略シグナリング図である。
【発明を実施するための形態】
【０１９１】
以下では、本発明の実施形態において添付図面を参照して本発明の実施形態における技術的解決策を説明する。本発明の実施形態における技術的解決策または特徴は、矛盾が生じないときに相互に組み合わされてよいことに留意されたい。
【０１９２】
本発明の実施形態において、「１つ」は、単一の個体を意味するが、「１つ」は１つの個体のみが可能であって別の個体に適用できないことを示すものではない。たとえば、本発明の実施形態において、「１つの端末デバイス」は、端末デバイスを指し、「１つの端末デバイス」が１つの特定の端末デバイスにのみ適用できることを意味するものではない。用語「システム」および「ネットワーク」は、本出願において交換的に使用され得る。
【０１９３】
本出願における「実施形態」（もしくは「実装」）または「複数の実施形態」（もしくは「複数の実装」）への言及は、実施形態と共に説明される特定の特徴、構造、特性などが少なくとも１つの実施形態に含まれることを意味する。したがって、本明細書を通して現れる「実施形態において」または「本実施形態において」は、同じ実施形態を表すものではない。本発明の実施形態において、「１つ」は、単一の個体を意味するが、「１つ」は１つの個体のみが可能であって別の個体に適用できないことを示すものではない。たとえば、本発明の実施形態において、「１つの端末デバイス」は、端末デバイスを指し、「１つの端末デバイス」が１つの特定の端末デバイスにのみ適用できることを意味するものではない。用語「システム」および「ネットワーク」は、本出願において交換的に使用され得る。
【０１９４】
本出願における「実施形態」（もしくは「実装」）または「複数の実施形態」（もしくは「複数の実装」）への言及は、実施形態と共に説明される特定の特徴、構造、特性などが少なくとも１つの実施形態に含まれることを意味する。したがって、本明細書を通して現れる「実施形態において」または「本実施形態において」は、同じ実施形態を表すものではない。
【０１９５】
さらに、本発明の実施形態において、「Ａおよび／またはＢ」ならびに「ＡおよびＢの少なくとも１つ」の場合に使用される用語「および／または」ならびに「少なくとも１つ」は、３つのシナリオ、Ａが含まれるがＢは除外されるシナリオ、Ｂが含まれるがＡは除外されるシナリオ、および選択肢ＡとＢの両方が含まれるシナリオのいずれか１つを含む。別の例では、「Ａ、Ｂ、および／またはＣ」ならびに「Ａ、Ｂ、および／またはＣのうち少なくとも１つ」の場合に、この語句は６つのシナリオ、Ａが含まれるがＢとＣの両方は除外されるシナリオ、Ｂが含まれるがＡとＣの両方は除外されるシナリオ、Ｃが含まれるがＡとＢの両方は除外されるシナリオ、ＡとＢの両方が含まれるがＣは除外されるシナリオ、ＢとＣの両方が含まれるがＡは除外されるシナリオ、ＡとＣの両方が含まれるがＢは除外されるシナリオ、ならびに３つの選択肢Ａ、Ｂ、およびＣが含まれるシナリオのいずれか１つを含む。当業者および関連技術者に容易に理解されるように、本発明の実施形態において他のすべての類似の説明が上述の方式で理解できる。
【０１９６】
一般的なワイヤレス通信システムでは、通信デバイス間の通信のためのリンクを確立するために、まず同期が実施される必要がある。同期処理は、一般に、ソース同期デバイスが同期信号を送信し、同期される必要があるデバイスが同期信号を受信し復号して、ソース同期デバイスへの同期を実装することを含む。ワイヤレス通信システムは、様々な無線アクセス技術（ｒａｄｉｏ  ａｃｃｅｓｓ  ｔｅｃｈｎｏｌｏｇｙ、ＲＡＴ）、たとえば、符号分割多元接続（ｃｏｄｅ  ｄｉｖｉｓｉｏｎ  ｍｕｌｔｉｐｌｅ  ａｃｃｅｓｓ、ＣＤＭＡ）、時分割多元接続（ｔｉｍｅ  ｄｉｖｉｓｉｏｎ  ｍｕｌｔｉｐｌｅ  ａｃｃｅｓｓ、ＴＤＭＡ）、周波数分割多元接続（ｆｒｅｑｕｅｎｃｙ  ｄｉｖｉｓｉｏｎ  ｍｕｌｔｉｐｌｅ  ａｃｃｅｓｓ、ＦＤＭＡ）、直交周波数分割多元接続（ｏｒｔｈｏｇｏｎａｌ  ｆｒｅｑｕｅｎｃｙ−ｄｉｖｉｓｉｏｎ  ｍｕｌｔｉｐｌｅ  ａｃｃｅｓｓ、ＯＦＤＭＡ）、シングルキャリア周波数分割多元接続（ｓｉｎｇｌｅ  ｃａｒｒｉｅｒ  ＦＤＭＡ、ＳＣ−ＦＤＭＡ）、または別のシステムを適用するシステムであり得る。たとえば、ワイヤレス通信システムは、ロングタームエボリューション（ｌｏｎｇ  ｔｅｒｍ  ｅｖｏｌｕｔｉｏｎ、ＬＴＥ）システム、ＣＤＭＡシステム、広帯域符号分割多元接続（ｗｉｄｅｂａｎｄ  ＣＤＭＡ、ＷＣＤＭＡ）システム、移動通信用グローバルシステム（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ）システム、ワイヤレスローカルエリアネットワーク（ｗｉｒｅｌｅｓｓ  ｌｏｃａｌ  ａｒｅａ  ｎｅｔｗｏｒｋ、ＷＬＡＮ）システム、第５世代（５ｔｈ  Ｇｅｎｅｒａｔｉｏｎ、５Ｇ）新無線（Ｎｅｗ  Ｒａｄｉｏ、ＮＲ）システム、様々な発展型もしくは集中型システム、または未来志向通信技術システムであり得る。複数のワイヤレス通信システムが空間に存在するとき、または同じ通信システムが複数の異なるソース同期デバイスを含むとき、異なる同期信号が互いに干渉することがある。図１は、可能なシナリオを示す。このシナリオでは、１つのネットワークデバイス１０１、ならびに３つの端末デバイス１０２、１０３、および１０４が存在する。ネットワークデバイス１０１および端末デバイス１０３は、同じワイヤレス通信システムにおける２つの異なるソース同期デバイスである。たとえば、可能なシナリオにおいて、ネットワークデバイス１０１は、セルラネットワーク内の基地局であってよく、端末デバイス１０２、１０３、および１０４は、車載ワイヤレス通信デバイスまたは携帯電話などであってよい。端末デバイス１０２、１０３、および１０４は、基地局とワイヤレス通信を行ってよく、通信デバイス１０２、１０３、および１０４は、互いに直接通信を行ってもよい。図１では、ネットワークデバイス１０１は、同期信号２を端末デバイス１０２、１０３、および１０４に送信し、端末デバイス１０３は、同期信号１を端末デバイス１０２および１０４に送信する。端末デバイス１０２および１０４は、同期信号１および／または同期信号２の両方に対してブラインド検出を行う必要がある。同期信号１に使用される同期シーケンス１と同期信号２に使用される同期シーケンス２とが同���であるかまたは高度に相関される場合、端末デバイス１０２および１０４は同期信号１と同期信号２を区別することができないことがある。すなわち、同期信号１と同期信号２が互いに干渉する。さらに、端末デバイス１０２、１０３、および１０４のそれぞれとネットワークデバイス１０１との間の接続を確立すること、ならびに端末デバイス１０２および１０４のそれぞれと端末デバイス１０３との間の直接接続を確立することが影響を受けることがある。さらに、同じワイヤレス通信システムにおいて、異なるサービスをサポートする異なるソース同期デバイスの同期信号が互いに干渉することもあり、別のサービス（Ｕｕリンク以外）をサポートするソース同期デバイスの同期信号とセルラリンク上の同期信号とが互いに干渉することもある。図１に示されるように、端末デバイス１０２は同期信号３を送信する。同期信号１および同期信号３は、異なるデバイス間のリンクにおける異なる送信モードで使用され得る。たとえば、同期信号１が送信モード１に使用され、送信モード１はｅＭＢＢサービスに使用され、同期信号３が送信モード３に使用され、送信モード３は高度道路交通に関係付けられたＶ２Ｘセキュリティサービスに使用される。端末デバイス間のタイミング基準は異なることがある。この場合、同期信号１と同期信号２との間の潜在的な相互干渉が回避される必要もある。同様に、３つのタイプの信号、すなわち、同期信号１、同期信号２、および同期信号３の間の相互干渉も可能な限り回避される必要がある。そのため、本出願の実施形態は、デバイス間の同期性能を改善できる解決策を提供する。図１に示されるシナリオは例に過ぎず、本出願の解決策を限定することは意図されていないことを理解されたい。
【０１９７】
本出願の実施形態で言及されるネットワークデバイスは、無線アクセスネットワーク内に配備され、端末デバイスのためのワイヤレス通信機能を提供するように構成された装置である。ネットワークデバイスは、マクロ基地局、マイクロ基地局、中継局、もしくはアクセスポイントなどの基地局（Ｂａｓｅ  Ｓｔａｔｉｏｎ、ＢＳ）であってよく、または、街灯もしくは路側機（Ｒｏａｄ  Ｓｉｄｅ  Ｕｎｉｔ、ＲＳＵ）のような別の形態のデバイスであってよい。異なる無線アクセス技術を使用するシステムでは、ネットワークデバイス機能を有するデバイスの名前が異なることがある。たとえば、ネットワークデバイスは、第５世代５Ｇネットワークにおいてネットワークデバイスまたは基地局である。ロングタームエボリューション（Ｌｏｎｇ  Ｔｅｒｍ  Ｅｖｏｌｕｔｉｏｎ、ＬＴＥ）ネットワークでは、ネットワークデバイスは発展型ＮｏｄｅＢ（ｅｖｏｌｖｅｄ  ＮｏｄｅＢ、略してｅＮＢまたはｅＮｏｄｅＢ）と呼ばれる。第３世代（Ｔｈｉｒｄ  Ｇｅｎｅｒａｔｉｏｎ、３Ｇ）ネットワークでは、ネットワークデバイスはＮｏｄｅＢ（Ｎｏｄｅ  Ｂ）などと呼ばれる。代替として、ネットワークデバイスは、Ｖ２Ｖ通信における路側機（Ｒｏａｄ  Ｓｉｄｅ  Ｕｎｉｔ、ＲＳＵ）、または上記のネットワークデバイスもしくは基地局におけるチップもしくはシステムオンチップ（Ｓｙｓｔｅｍ  ｏｎ  Ｃｈｉｐ、ＳＯＣ）である。説明を容易にするために、本出願では、端末デバイスのためのワイヤレス通信機能を提供する上記の装置はネットワークデバイスと総称される。
【０１９８】
本出願で言及される端末デバイスは、ワイヤレス通信機能を有する様々なハンドヘルドデバイス、車載デバイス、ウェアラブルデバイス、およびコンピュータデバイス、もしくはワイヤレスモデムに接続された他の処理デバイスを含んでよく、または上記のデバイスにおけるユニット、コンポーネント、装置、チップ、もしくはＳＯＣであってよい。端末デバイスは、ワイヤレス通信デバイスと呼ばれることがあり、または移動局（ｍｏｂｉｌｅ  ｓｔａｔｉｏｎ、略してＭＳ）、端末（ｔｅｒｍｉｎａｌ）、もしくはユーザ機器（ｕｓｅｒ  ｅｑｕｉｐｍｅｎｔ、ＵＥ）などと呼ばれることがある。端末デバイスは、加入者ユニット（ｓｕｂｓｃｒｉｂｅｒ  ｕｎｉｔ）、セルラ電話（ｃｅｌｌｕｌａｒ  ｐｈｏｎｅ）、スマートフォン（ｓｍａｒｔ  ｐｈｏｎｅ）、ワイヤレスデータカード、携帯情報端末（ｐｅｒｓｏｎａｌ  ｄｉｇｉｔａｌ  ａｓｓｉｓｔａｎｔ、ＰＤＡ）コンピュータ、タブレットコンピュータ、モデム（ｍｏｄｅｍ）またはモデムプロセッサ（ｍｏｄｅｍ  ｐｒｏｃｅｓｓｏｒ）、ハンドヘルド（ｈａｎｄｈｅｌｄ）デバイス、ラップトップコンピュータ（ｌａｐｔｏｐ  ｃｏｍｐｕｔｅｒ）、ネットブック、コードレス電話（ｃｏｒｄｌｅｓｓ  ｐｈｏｎｅ）、ワイヤレスローカルループ（ｗｉｒｅｌｅｓｓ  ｌｏｃａｌ  ｌｏｏｐ、ＷＬＬ）局、Ｂｌｕｅｔｏｏｔｈデバイス、マシンタイプ通信（ｍａｃｈｉｎｅ  ｔｙｐｅ  ｃｏｍｍｕｎｉｃａｔｉｏｎ、ＭＴＣ）端末などを含み得る。説明を容易にするために、本出願では、これらは端末デバイスまたは略してＵＥと呼ばれる。
【０１９９】
端末デバイスは、ワイヤレス通信に使用される１つまたは複数のワイヤレス技術、たとえば、５Ｇ、ＬＴＥ、ＷＣＤＭＡ、ＣＤＭＡ、１Ｘ、時分割同期符号分割多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＳ−ＳＣＤＭＡ）、およびＧＳＭ、８０２．１１をサポートし得る。また、端末デバイスは、ビークルツーエブリシング（ｖｅｈｉｃｌｅ  ｔｏ  ｅｖｅｒｙｔｈｉｎｇ、Ｖ２Ｘ）サービスおよびデバイス間（ｄｅｖｉｃｅ  ｔｏ  ｄｅｖｉｃｅ、Ｄ２Ｄ）サービスなどの異なる送信サービス、または端末間のセルラリンクもしくはサイドリンク（ｓｉｄｅｌｉｎｋ）上の異なる送信モードをサポートしてもよく、さらに、モノのインターネット（Ｉｎｔｅｒｎｅｔ  ｏｆ  Ｔｈｉｎｇｓ、ＩｏＴ）およびマシンタイプ通信（ｍａｃｈｉｎｅ  ｔｙｐｅ  ｃｏｍｍｕｎｉｃａｔｉｏｎ、ＭＴＣ）などのセルラリンク上の異なる技術的特徴をサポートしてよい。
【０２００】
複数の端末デバイスは、同じサービス、または異なるサービス、たとえば、モバイルブロードバンドサービス、拡張モバイルブロードバンド（Ｅｎｈａｎｃｅｄ  Ｍｏｂｉｌｅ  Ｂｒｏａｄｂａｎｄ、ｅＭＢＢ）サービス、および超高信頼低遅延通信（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ、ＵＲＬＬＣ）サービスなどを実行してよい。
【０２０１】
さらに、上記のネットワークデバイス１０１の可能な概略構造図が図２に示され得る。ネットワークデバイス１０１は、本発明の実施形態で提供される方法を実行することができる。ネットワークデバイス１０１は、コントローラまたはプロセッサ２０１（以下では説明のための例としてプロセッサ２０１を使用する）、およびトランシーバ２０２を含んでよい。コントローラ／プロセッサ２０１は、モデムプロセッサ（ｍｏｄｅｍ  ｐｒｏｃｅｓｓｏｒ）とも呼ばれることがある。モデムプロセッサ２０１は、ベースバンドプロセッサ（ｂａｓｅｂａｎｄ  ｐｒｏｃｅｓｓｏｒ、ＢＢＰ）（図示せず）を含んでよい。ベースバンドプロセッサは、受信されたデジタル化信号を処理して、信号で転送された情報またはデータビットを抽出する。  したがって、要件または期待に応じて、ＢＢＰは、通常、モデムプロセッサ２０１内の１つもしくは複数のデジタル信号プロセッサ（ｄｉｇｉｔａｌ  ｓｉｇｎａｌ  ｐｒｏｃｅｓｓｏｒ、ＤＳＰ）に実装され、または分離された集積回路（ｉｎｔｅｇｒａｔｅｄ  ｃｉｒｃｕｉｔ、ＩＣ）として実装される。
【０２０２】
トランシーバ４０２は、ネットワークデバイス１０１と端末デバイスとの間の情報の送信および受信をサポートし、端末デバイス間のワイヤレス通信をサポートするように構成され得る。プロセッサ２０１は、様々な端末デバイスと別のネットワークデバイスとの間の通信の機能を実行するようにさらに構成され得る。アップリンク上で、端末デバイスからのアップリンク信号がアンテナを使用して受信され、トランシーバ２０２によって復調され、プロセッサ２０１によってさらに処理されて、端末デバイスにより送信されたサービスデータおよび／またはシグナリング情報が復元される。ダウンリンク上で、サービスデータおよび／またはシグナリングメッセージが端末デバイスによって処理され、トランシーバ２０２によって変調されてダウンリンク信号を生成し、ダウンリンク信号はアンテナを使用して端末デバイスに送信される。ネットワークデバイス１０１は、メモリ２０３をさらに含んでよく、メモリは、ネットワークデバイス１０１のプログラムコードおよび／またはデータを記憶するように構成されてよい。トランシーバ２０２は、独立した受信回路および独立した送信回路を含んでよく、または送信機能および受信機能を実装する回路であってよい。ネットワークデバイス１０１は、ネットワークデバイス２０１と別のネットワークエンティティとの間の通信をサポートするように構成された通信ユニット２０４をさらに含んでよい。たとえば、通信ユニット２０４は、ネットワークデバイス１０１とコアネットワークのネットワークデバイスなどとの間の通信をサポートするように構成される。
【０２０３】
任意選択で、ネットワークデバイスはバスをさらに含んでよい。トランシーバ２０２、メモリ２０３、および通信ユニット２０４は、バスを使用してプロセッサ２０１に接続され得る。たとえば、バスは、周辺コンポーネント相互接続（Ｐｅｒｉｐｈｅｒａｌ  Ｃｏｍｐｏｎｅｎｔ  Ｉｎｔｅｒｃｏｎｎｅｃｔ、ＰＣＩ）バス、または拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バスなどであってよい。バスは、アドレスバス、データバス、制御バスなどを含み得る。
【０２０４】
図３は、上述のワイヤレス通信システムにおける端末デバイスの可能な概略構造図である。端末デバイスは、本発明の実施形態で提供される方法を実行することができる。端末デバイスは、３つの端末デバイス１０２から１０４のいずれか１つであり得る。端末デバイスは、トランシーバ３０１、アプリケーションプロセッサ（ａｐｐｌｉｃａｔｉｏｎ  ｐｒｏｃｅｓｓｏｒ）３０２、メモリ３０３、およびモデムプロセッサ（ｍｏｄｅｍ  ｐｒｏｃｅｓｓｏｒ）３０４を含む。
【０２０５】
トランシーバ３０１は、出力サンプルを調整し（たとえば、アナログ変換、フィルタリング、増幅、およびアップコンバージョンを実行し）、アップリンク信号を生成し得る。アップリンク信号は、アンテナを使用して上述の実施形態における基地局に送信される。ダウンリンク上で、アンテナは、ネットワークデバイスにより送信されたダウンリンク信号を受信する。トランシーバ３０１は、アンテナから受信された信号を調整し（たとえば、フィルタリング、増幅、ダウンコンバージョン、およびデジタル化を実行し）、入力サンプルを提供し得る。
【０２０６】
モデムプロセッサ３０４は、コントローラまたはプロセッサとも呼ばれることがあり、ベースバンドプロセッサ（ｂａｓｅｂａｎｄ  ｐｒｏｃｅｓｓｏｒ、ＢＢＰ）（図示せず）を含み得る。ベースバンドプロセッサは、受信されたデジタル化信号を処理して、信号で転送された情報またはデータビットを抽出する。要件または期待に応じて、ＢＢＰは、通常、モデムプロセッサ３０４内の１つもしくは複数のＤＳＰに実装され、または分離された集積回路（ＩＣ）として実装される。
【０２０７】
設計では、モデムプロセッサ（ｍｏｄｅｍ  ｐｒｏｃｅｓｓｏｒ）３０４は、エンコーダ３０４１、変調器３０４２、デコーダ３０４３、および復調器３０４４を含んでよい。エンコーダ３０４１は、送信されるべき信号をエンコードするように構成される。たとえば、エンコーダ３０４１は、アップリンク上に送信されるサービスデータおよび／またはシグナリングメッセージを受信し、サービスデータおよびシグナリングメッセージに対して処理（たとえば、フォーマッティング、符号化、またはインターリービング）を実行するように構成され得る。変調器３０４２は、エンコーダ３０４１の出力信号を変調するように構成される。たとえば、変調器は、エンコーダの出力信号（データおよび／またはシグナリング）に対してシンボルマッピングおよび／または変調などの処理を実行してよく、出力サンプルを提供してよい。復調器３０４４は、入力信号を復調するように構成される。たとえば、復調器３０４４は、入力サンプルを処理し、シンボル推定を提供する。デコーダ５０４３は、復調された入力信号を復号するように構成される。たとえば、デコーダ３０４３は、復調された入力信号に対してデインターリービングおよび／または復号などの処理を実行し、復号された信号（データおよび／またはシグナリング）を出力する。エンコーダ３０４１、変調器３０４２、復調器３０４４、およびデコーダ３０４３は、統合されたモデムプロセッサ３０４によって実装されてよい。ユニットは、無線アクセスネットワークで使用される無線アクセス技術を使用することによって処理を実行する。
【０２０８】
モデムプロセッサ３０４は、アプリケーションプロセッサ３０２から音声、データ、または制御情報を表し得るデジタル化されたデータを受信し、送信のために処理する。モデムプロセッサは、ＬＴＥ、新無線、ユニバーサル移動通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、および高速パケットアクセス（Ｈｉｇｈ  Ｓｐｅｅｄ  Ｐａｃｋｅｔ  Ａｃｃｅｓｓ、ＨＳＰＡ）などの複数の通信システムの複数のワイヤレス通信プロトコルのうちの１つまたは複数をサポートし得る。任意選択で、モデムプロセッサ３０４は１つまたは複数のメモリをさらに含んでよい。
【０２０９】
任意選択で、モデムプロセッサ３０４およびアプリケーションプロセッサ３０２は、１つのプロセッサチップに統合されてよい。
【０２１０】
メモリ３０３は、通信中の端末デバイスをサポートするために使用されるプログラムコード（プログラム、命令、もしくはソフトウェアなどと呼ばれることがある）および／またはデータを記憶するように構成される。
【０２１１】
メモリ２０３またはメモリ３０３が１つまたは複数の記憶ユニットを含んでよいことに留意されたい。たとえば、記憶ユニットは、プロセッサ２０１、モデムプロセッサ３０４、もしくはアプリケーションプロセッサ３０２内にあり、プログラムコードを記憶するために使用される記憶ユニットであってよく、プロセッサ２０１、モデムプロセッサ３０４、もしくはアプリケーションプロセッサ３０２から独立した外部記憶ユニットであってよく、または、プロセッサ２０１、モデムプロセッサ３０４、もしくはアプリケーションプロセッサ３０２内の記憶ユニットと、プロセッサ２０１、モデムプロセッサ３０４、もしくはアプリケーションプロセッサ３０２から独立した外部記憶ユニットとを含むコンポーネントであってよい。
【０２１２】
プロセッサ２０１とモデムプロセッサ３０１は、同じタイプのプロセッサであってよく、または異なるタイプのプロセッサであってよい。たとえば、プロセッサ２０１およびモデムプロセッサ３０１はそれぞれが、中央処理装置（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、別のプログラマブルロジックデバイス、トランジスタロジックデバイス、ハードウェアコンポーネント、別の集積回路、またはこれらの任意の組み合わせとして実装されてよい。プロセッサ２０１およびモデムプロセッサ３０１は、本発明の実施形態で開示された内容を参照して説明される様々な論理ブロック、モジュール、および回路の例を実装または実行してよい。プロセッサは、計算機能を実装するコンポーネントの組み合わせ、たとえば、１つもしくは複数のマイクロプロセッサの組み合わせ、ＤＳＰとマイクロプロセッサの組み合わせ、またはシステムオンチップ（ｓｙｓｔｅｍ−ｏｎ−ａ−ｃｈｉｐ、ＳＯＣ）であってよい。
【０２１３】
本出願に開示された様々な態様を参照して説明される様々な説明的論理ブロック、モジュール、回路、およびアルゴリズムが、電子ハードウェア、またはメモリもしくは別のコンピュータ可読媒体に記憶されプロセッサまたは別の処理デバイスによって実行される命令、またはそれらの組み合わせとして実装され得ることを、当業者は理解することができる。例として、本明細書に記載されるデバイスは、任意の回路、ハードウェアコンポーネント、ＩＣ、またはＩＣチップに適用されてよい。本出願に開示されるメモリは、任意のサイズの任意のタイプのメモリであってよく、任意のタイプの必要とされる情報を記憶するように構成されてよい。このような互換性を明確に説明するために、様々な説明のためのコンポーネント、ブロック、モジュール、回路、およびステップが一般的に機能性に基づいて上述されている。そのような機能をどのように実装するのかは、特定の用途、設計選択、および／またはシステム全体に課される設計制約に依存する。当業者は記載された機能性を実装するために特定の用途ごとに異なる方法を使用してよいが、そのような実装が本発明の範囲を超えるとみなされるべきではない。
【０２１４】
ＮＲシステムにおけるセルラネットワークサービスのダウンリンク同期処理において、ネットワークデバイスによって送信される同期信号は、一次同期信号（ｐｒｉｍａｒｙ  ｓｙｎｃｈｒｏｎｉｚａｔｉｏｎ  ｓｉｇｎａｌ、ＰＳＳ）および二次同期信号（ｓｅｃｏｎｄａｒｙ  ｓｙｎｃｈｒｏｎｉｚａｔｉｏｎ  ｓｉｇｎａｌ、ＳＳＳ）を含む。端末デバイスは、ＰＳＳおよびＳＳＳを受信する必要がある。ＰＳＳは、（少なくとも）同期信号受信機によって使用され、初期シンボルの境界（ｂｏｕｎｄａｒｙ）、同期信号ブロック（Ｓｙｎｃｈｒｏｎｉｚａｔｉｏｎ  Ｓｉｇｎａｌ  Ｂｌｏｃｋ、ＳＳＢ）位置、巡回プレフィックス、およびサブフレームの境界（ｂｏｕｎｄａｒｙ）を決定し、セルについての初期周波数同期を実行するなどのために使用される。ＳＳは、無線フレーム境界キャリブレーションのために使用される。ＰＳＳおよびＳＳＳは、物理層セル識別（ｐｈｙｓｉｃａｌ  ｌａｙｅｒ  ｃｅｌｌ  ＩＤ）検出のために一緒に使用される。同期信号を送信するために、ネットワークデバイスは最初に、対応するシーケンスを生成する必要がある。ＮＲセルラリンク（Ｕｕ）上の同期信号の設計は、ＮＲ  ｒｅｌｅａｓｅ  １５で規定されている。セルラリンクは一般に、標準ではＵｕリンクと呼ばれ、端末デバイスとネットワークデバイスとの間の無線リンク、たとえば、携帯電話または車載通信デバイスと基地局との間の無線リンクである。便宜上、以下に説明されるＮＲシステムにおけるＵｕリンク上のすべての同期信号は、ダウンリンク同期信号である。
【０２１５】
ＰＳＳの一次同期シーケンスｄPSS（ｎ）は、以下の式に従って生成される。
【０２１６】
【数５０】
2021533689.tif 000053
【０２１７】
ここで、
x(i+7)=(x(i+4)+x(i))mod2    (2)
および
[x(6) x(5) x(4) x(3) x(2) x(1) x(0)]=[1 1 1 0 1 1 0]    (3)
であり、
ｘ（０）からｘ（６）は初期値であり、式（２）は、
【０２１８】
【数５１】
2021533689.tif 000054
【０２１９】
初期値（３）および生成多項式（２）に基づいて生成され得る。上記の方式で生成された
【０２２０】
【数５２】
2021533689.tif 000055
【０２２１】
ｍシーケンスである。ｍシーケンスは、最長線形帰還シフトレジスタシーケンス（longest linear feedback displacement register sequence）の略であり、擬似乱数シーケンス、擬似雑音（ｐｓｅｕｄｏ  ｎｏｉｓｅ、ＰＮ）符号、または擬似ランダム符号である。式（１）において、
【０２２２】
【数５３】
2021533689.tif 000056
【０２２３】
の各符号要素の独立変数の式である。独立変数ｍは、ｄPSS（ｎ）における独立変数ｎの巡回シフトとみなされてよく、
【０２２４】
【数５４】
2021533689.tif 000057
【０２２５】
に関係付けられた識別である。ＮＲ標準は、
【０２２６】
【数５５】
2021533689.tif 000058
【０２２７】
を満たす１００８個の物理層セル識別を定義し、ここで、
【０２２８】
【数５６】
2021533689.tif 000059
【０２２９】
である。ネットワークデバイスは、
【０２３０】
【数５７】
2021533689.tif 000060
【０２３１】
に基づいて取得し、式（１）、（２）、および（３）を参照して一次同期シーケンスｄPSS（ｎ）を生成し得る。上記の式を使用して生成されることができるすべての一次同期シーケンスが、ＮＲシステムにおけるＵｕリンク上で一次同期シーケンスセットを形成する。説明を容易にするために、一次同期シーケンスセットは、｛ｄPSS（ｎ）｝として表される。
【０２３２】
ＳＳＳの二次同期シーケンスｄSSS（ｎ）は、以下の式に従って生成される。
【０２３３】
【数５８】
2021533689.tif 000061
【０２３４】
ここで、
x0(i+7)=(x0(i+4)+x0(i))mod2、
x1(i+7)=(x1(i+1)+x1(i))mod2    (5)
および
[x0(6) x0(5) x0(4) x0(3) x0(2) x0(1) x0(0)]=[0 0 0 0 0 0 1]
[x1(6) x1(5) x1(4) x1(3) x1(2) x1(1) x1(0)]=[0 0 0 0 0 0 1]    (6)
であり、ゴールド符号シーケンスが二次同期シーケンスｄSSS（ｎ）を設計するために使用される。ゴールド符号シーケンスは、ｍシーケンスに基づいて生成されるシーケンスであり、２つのｍシーケンスを含む。たとえば、式（４）、（５）、および（６）に記載されているように、
【０２３５】
【数５９】
2021533689.tif 000062
【０２３６】
は、２つのバイナリｍシーケンスである。同様に、ｘ0（０）からｘ0（６）は、
【０２３７】
【数６０】
2021533689.tif 000063
【０２３８】
の初期値であり、ｘ1（０）からｘ1（６）は、
【０２３９】
【数６１】
2021533689.tif 000064
【０２４０】
の初期値である。説明を容易にするために、本出願では、
【０２４１】
【数６２】
2021533689.tif 000065
【０２４２】
を定義する。したがって、
【０２４３】
【数６３】
2021533689.tif 000066
【０２４４】
である。式（５）は、バイナリｍシーケンス
【０２４５】
【数６４】
2021533689.tif 000067
【０２４６】
の生成多項式である。ｍ0は、
【０２４７】
【数６５】
2021533689.tif 000068
【０２４８】
の巡回シフト値であり、ｍ1は、
【０２４９】
【数６６】
2021533689.tif 000069
【０２５０】
の巡回シフト値である。
【０２５１】
【数６７】
2021533689.tif 000070
【０２５２】
に関係付けられた識別である。ＮＲ標準は、
【０２５３】
【数６８】
2021533689.tif 000071
【０２５４】
を満たす１００８個の物理層セル識別を定義し、ここで、
【０２５５】
【数６９】
2021533689.tif 000072
【０２５６】
である。上記の式を使用して生成されることができるすべての二次同期シーケンスが、ＮＲシステムにおけるＵｕリンク上で二次同期シーケンスセットを形成する。説明を容易にするために、二次同期シーケンスセットは、｛ｄSSS（ｎ）｝として表される。
【０２５７】
５Ｇ  ＮＲシステムにおけるＵｕリンク上の同期信号の上述の設計から認識できるように、同期セル識別
【０２５８】
【数７０】
2021533689.tif 000073
【０２５９】
は、一次同期シーケンスおよび二次同期シーケンスのグループを一意に識別することができ、システムにおける同期シーケンスセットは、合計で一次同期シーケンスおよび二次同期シーケンスの１００８個の異なるグループを含む。実際のネットワーク展開において、エリア内のワイヤレス通信システム、たとえば、ＮＲシステムが、セルラネットワークサービス以外の別のサービスのソース同期デバイスをさらに含むとき、または空間内にＮＲシステム以外の別のワイヤレス通信システムのソース同期デバイスが依然として存在するとき、そうした別のソース同期デバイスによって送信された同期信号に含まれる同期シーケンスが、ＮＲシステムにおけるＵｕリンク上の同期シーケンスと同じであるかまたは高度に相関される場合、同期信号を受信するデバイスは、ＮＲシステムにおけるＵｕリンク上の同期信号とそうした別のソース同期デバイスの同期信号とを区別することができない。言い換えれば、異なるサービスまたは異なる通信システムにおける同期信号とＮＲシステムにおけるＵｕリンク上の同期信号とが、互いに干渉することがある。そうした別のソース同期デバイスは、ＮＲシステムにおけるセルラネットワーク以外のサービスをサポートするソース同期デバイス、またはＮＲシステム以外のワイヤレス通信システムにおけるソース同期デバイスであることを理解されたい。
【０２６０】
上記の問題を解決するために、本出願の実施形態は同期シーケンス設計解決策を提供し、本出願の実施形態で提供される方法を使用して得られる同期シーケンスは、５Ｇ  ＮＲシステムにおける同期シーケンスセットの任意の同期シーケンスと異なることができ、比較的低い相関を有するので、別のソース同期デバイスの同期信号とＮＲシステムにおけるＵｕリンク上の同期信号との間の干渉を効果的に低減し、それにより、デバイス間の同期性能を改善する。
【０２６１】
本出願の実施形態において、ＮＲシステムにおけるビークルツーエブリシング（ｖｅｈｉｃｌｅ−ｔｏ−ｅｖｅｒｙｔｈｉｎｇ、Ｖ２Ｘ）サービスは、異なるサービスの例として説明されている。ＮＲシステムにおいてＶ２Ｘサービスをサポートする端末デバイスは、ネットワークデバイスの中継なしに他の端末デバイスと直接通信してよい。ソース同期デバイスとして機能する端末デバイスは、第１の同期信号および／または第２の同期信号を送信し、ここで、第１の同期信号は一次同期信号であってよく、第２の同期信号は二次同期信号であってよい。
【０２６２】
可能な設計において、第１の同期シーケンスは｛ｄPSS（ｎ）｝の任意のシーケンスと異なり、および／または第２の同期シーケンスは｛ｄSSS（ｎ）｝の任意のシーケンスと異なる。
【０２６３】
可能な実装において、第１の同期シーケンスは、｛ｄPSS（ｎ）｝の任意のシーケンスの巡回シフトであり、および／または第１の同期シーケンスに対応する生成多項式は、｛ｄPSS（ｎ）｝の任意のシーケンスに対応する生成多項式と異なる。上記の説明から、
【０２６４】
【数７１】
2021533689.tif 000074
【０２６５】
はｍシーケンスであることが認識できる。ｍシーケンスの特徴から、ｍシーケンスとｍシーケンスの巡回シフトの相互相関値は理論上の最適値−１であることが認識できる。説明のために以下の式が使用されることが可能である。
【０２６６】
【数７２】
2021533689.tif 000075
【０２６７】
ここで、（ａ  ｍｏｄ  ｂ）は、値ａを使用して値ｂにモジュロ演算が行われることを示し、
【０２６８】
【数７３】
2021533689.tif 000076
【０２６９】
は、バイナリｍシーケンスをマッピングすることによって得られるＢＰＳＫシーケンスである。ｄ（（ｉ＋ｍ）ｍｏｄＬ））は、物理的に、巡回シフト値のｍに基づくシーケンスｄ（ｉ）の巡回シフトであり、ここで、Ｌはシーケンスの長さであり、ｄ（ｉ）はシーケンスのｉ番目の符号要素の値を示す。したがって、第１の同期シーケンスｄ1（ｎ）が｛ｄPSS（ｎ）｝の任意のシーケンスの巡回シフトであることは、第１の同期シーケンスと｛ｄPSS（ｎ）｝の任意のシーケンスとの相関値が理論上の最小値であることを示し、したがって、第１の同期シーケンスに対応する第１の同期信号とＮＲシステムにおけるＵｕリンク上の一次同期信号との間の干渉が低減されることが可能である。したがって、第１の同期シーケンスが｛ｄPSS（ｎ）｝の任意のシーケンスの巡回シフトであることは、第１の同期シーケンスに対応する第１の同期信号とＮＲシステムにおけるＵｕリンク上の一次同期信号との間の干渉が比較的小さいことを確実にし、具体的には、第１の同期シーケンスに対応する第１の同期信号とＮＲシステムにおけるＵｕリンク上の一次同期信号との正規化された相互相関値が、理論上の最小値である１／Ｌに達することになる。たとえば、Ｌ＝１２７のとき、対応する値は約０．００７９である。実際の通信システムでは、これは非常に低い相互干渉値である。第１の同期シーケンスは、｛ｄPSS（ｎ）｝の任意のシーケンスの巡回シフトである。可能な実装において、第１の同期シーケンスは、ＮＲシステムにおけるＵｕリンク上の一次同期信号シーケンスについてのｍシーケンスを生成するのに使用されるものと同じ生成多項式を使用するが、異なる巡回シフト値を使用して生成される。ｍシーケンスを生成することは、生成多項式を使用することを意味する。異なる巡回シフト値を使用することによって、異なるシーケンスが生成されることが可能であり、それにより、式（１０）におけるｍシーケンスの理論的に最適な相関性能に達する。ＮＲシステムにおけるＵｕリンク上の一次同期信号シーケンスの長さは１２７であり、現在、３つの巡回シフト値０、４３、および８６のみが使用される。長さ１２７のｍシーケンスの場合、合計１２７の異なる巡回シフト値が使用され得る。したがって、本出願の実施形態において第１の同期シーケンスを生成するために十分な巡回シフト値が使用され得る。
【０２７０】
さらに、任意選択で、ｍシーケンスが、｛ｄPSS（ｎ）｝の任意のシーケンスに対応する生成多項式とは異なる生成多項式を使用することによって生成されるとき、第１の同期シーケンスと｛ｄPSS（ｎ）｝の任意のシーケンスとの間の相互相関が低減されることが可能である。さらに、この設計方法は単純であり、ＮＲシステムにおけるＵｕリンクの設計で必要な変更がわずかであり、強いバージョン継承を有する。特定の長さのｍシーケンスについて、ｍシーケンスと対にされた少なくとも１つの異なるｍシーケンスが常に見つけられることが可能であり、ｍシーケンスの相互相関値がシーケンスの理論上の境界に達することができる（詳細については後述の式（１１）を参照されたい）。巡回シフトが等価でないｍシーケンスのいずれか１つに対応する生成多項式が常に存在する。したがって、第１の同期シーケンスに対応する生成多項式が、ＮＲシステムにおけるＵｕリンク上の一次同期信号シーケンスに対応する生成多項式と異なる場合、それぞれの巡回シフト値にかかわらず、第１の同期シーケンスおよび一次同期シーケンスは常に互いに異なり、上述されたように理論的に達成されることが可能である最適な相互相関を有する。したがって、異なる生成多項式が適用されるとき、第１の同期シーケンスに対応する巡回シフト値は特に限定されない。任意選択で、異なる生成多項式が適用されるとき、ＮＲシステムにおけるＵｕリンク上の一次同期信号シーケンスに対応するものと同じ巡回シフト値が使用されてよい。
【０２７１】
１つのケースでは、第１の同期シーケンスが｛ｄPSS（ｎ）｝の任意のシーケンスの巡回シフトであることは、以下の方式で実装され得る。第１の同期シーケンスがd1(n)=1-2x(m’)を満たし、ここで、
【０２７２】
【数７４】
2021533689.tif 000077
【０２７３】
であり、Δは非ゼロ整数である。バイナリｍシーケンス
【０２７４】
【数７５】
2021533689.tif 000078
【０２７５】
が生成された後、一次同期シーケンスｄPSS（ｎ）は、巡回シフト値として
【０２７６】
【数７６】
2021533689.tif 000079
【０２７７】
の巡回シフトであることが、上記の説明から認識できる。この場合、第１の同期シーケンスｄ1（ｎ）について、オフセット値Δが、ｄPSS（ｎ）のものと同じｍシーケンス
【０２７８】
【数７７】
2021533689.tif 000080
【０２７９】
に基づいて巡回シフト値に加えられる。すなわち、第１の同期シーケンスｄ1（ｎ）は、巡回シフト値として
【０２８０】
【数７８】
2021533689.tif 000081
【０２８１】
の巡回シフトであり、ここで、
【０２８２】
【数７９】
2021533689.tif 000082
【０２８３】
【数８０】
2021533689.tif 000083
【０２８４】
はそれぞれ、式ｄPSS（ｎ）における
【０２８５】
【数８１】
2021533689.tif 000084
【０２８６】
の値範囲と同じである。任意選択で、
【０２８７】
【数８２】
2021533689.tif 000085
【０２８８】
である。したがって、この場合、第１の同期シーケンスｄ1（ｎ）は、｛ｄPSS（ｎ）｝の任意のシーケンスの巡回シフトであることが確実にされることができる。さらに、新しい巡回シフト値
【０２８９】
【数８３】
2021533689.tif 000086
【０２９０】
が、ｄPSS（ｎ）に対応する３つの巡回シフト値に対して等しい間隔で配置される。この場合、第１の同期シーケンスｄ1（ｎ）は、ＮＲシステムにおけるＵｕリンク上の一次同期シーケンスｄPSS（ｎ）に対してより良好な周波数ズレ検出性能を有する。その理由は、ｍシーケンスに関して、デバイスにより検出されるターゲットシーケンスの巡回シフト値と別の潜在的ターゲットまたは潜在的干渉シーケンスの巡回シフト値の間の間隔が等しくない場合、より小さい間隔によって耐周波数ズレ性能が決定されるからである。耐周波数ズレ能力は、ターゲットシーケンスの巡回シフト値と別の潜在的ターゲットまたは干渉シーケンスの巡回シフト値の間の間隔が等しいかまたは可能な限り等しいときのみ、最大値に達することができる。この場合、第１の同期シーケンスｄ1（ｎ）は、ｄPSS（ｎ）のものと同じｍシーケンス
【０２９１】
【数８４】
2021533689.tif 000087
【０２９２】
に基づいており、ｍシーケンス
【０２９３】
【数８５】
2021533689.tif 000088
【０２９４】
は、同じ生成多項式および同じ初期値を使用して生成されてよく、または異なる生成多項式および初期値を使用して生成されてよいことに留意されたい。これは本明細書で限定されない。
【０２９５】
任意選択で、
【０２９６】
【数８６】
2021533689.tif 000089
であり、  
【０２９７】
ここで、Ｒは正の整数であり、
【０２９８】
【数８７】
2021533689.tif 000090
【０２９９】
たとえば、Ｒ＝４、Ｒ＝３、またはＲ＝２である。
【０３００】
任意選択で、Δ＝２１またはΔ＝２２である。Ｒ＝２のとき、
【０３０１】
【数８８】
2021533689.tif 000091
【０３０２】
である。この場合、第１の同期シーケンスｄ1（ｎ）に対応する巡回シフト値とｄPSS（ｎ）に対応する巡回シフト値の間の間隔が等しい。図４に示されるように、実線矢印は、０、４３、および８６である、ｄPSS（ｎ）に対応する巡回シフト値を表し、巡回シフト値間の間隔は４３である。破線矢印は、第１の同期シーケンスｄ1（ｎ）に対応する巡回シフト値を表す。Δ＝２２の場合、巡回シフト値は、間隔４３のちょうど半分に近く、ｄ1（ｎ）に対応する巡回シフト値は、２２、６５、１０８となる。この場合、ｄ1（ｎ）に対応する巡回シフト値とｄPSS（ｎ）に対応する隣接巡回シフト値との間の間隔が等しい。したがって、第１の同期シーケンスｄ1（ｎ）は、ＮＲシステムにおけるＵｕリンク上の一次同期シーケンスｄPSS（ｎ）に対する最適周波数ズレ検出性能を有する。
【０３０３】
任意選択で、オフセット値Δはシグナリングによって通知され、またはオフセット値Δは予め定義される。さらに、オフセット値Δは、ＲＲＣシグナリング、ＳＩＢもしくはＤＣＩシグナリングを介して基地局によって直接通知されてよく、または別のパラメータによって間接的に示されてよい。代替として、任意選択で、オフセット値Δは、デバイス間のサイドリンク（ｓｉｄｅｌｉｎｋ）上の制御シグナリングを介して端末デバイスによって直接通知されてよく、または別のパラメータによって間接的に示されてよい。間接的な表示方式では、たとえば、同期シーケンスの識別、または同期シーケンスが属するグループ番号の識別が、表示のために使用されてよい。
【０３０４】
たとえば、第１の同期シーケンスは以下の式に従って生成され得る。
【０３０５】
【数８９】
2021533689.tif 000092
【０３０６】
ここで、
x(i+7)=(x(i+4)+x(i))mod2    (8)
および
[x(6) x(5) x(4) x(3) x(2) x(1) x(0)]=[1 1 1 0 1 1 0]    (9)
であり、
ｘ（０）からｘ（６）は初期値であり、式（８）は、バイナリシーケンス
【０３０７】
【数９０】
2021533689.tif 000093
【０３０８】
の生成多項式である。初期値および生成多項式の両方は、ＮＲシステムにおけるＵｕリンク上の一次同期シーケンス、すなわちｄPSS（ｎ）の対応する初期値および生成多項式と同じである。式（１）におけるｍと比較されると、式（７）におけるｍ’にはオフセット値Δが加えられ、ここで、０＜Δ＜４３であり、Δは正の整数である。このように、この可能な設計では、第１の同期シーケンスｄ1（ｎ）は｛ｄPSS（ｎ）｝の任意のシーケンスの巡回シフトである。任意選択で、
【０３０９】
【数９１】
2021533689.tif 000094
【０３１０】
はそれぞれ、式ｄPSS（ｎ）における
【０３１１】
【数９２】
2021533689.tif 000095
【０３１２】
の値範囲と同じである。任意選択で、
【０３１３】
【数９３】
2021533689.tif 000096
【０３１４】
である。
【０３１５】
可能な実装において、第１の同期シーケンスに対応する生成多項式は、｛ｄPSS（ｎ）｝の任意のシーケンスに対応する生成多項式と異なり、第１の同期シーケンスは、ｄPSS（ｎ）に対応するｍシーケンスと同じ長さを有するが異なる生成多項式を有するｍシーケンスを使用することによって生成される。これにより、第１の同期シーケンスと｛ｄPSS（ｎ）｝の任意のシーケンスとの間の相互相関を低減することができる。さらに、この設計方法は単純であり、ＮＲシステムにおけるＵｕリンクの設計でわずかな変更を必要とし、強いバージョン継承を有する。
【０３１６】
この実装では、第１の同期シーケンスの生成多項式は、
【０３１７】
【数９４】
2021533689.tif 000097
【０３１８】
としてよく、ここで、[K6,K5,K4,K3,K2,K1,K0]≠[0,0,1,0,0,0,1]であり、Ｋnは整数であり、ｘ（０）からｘ（６）は初期値である。一般に、シーケンスの初期値はすべてゼロにはできない。シーケンスの初期値がすべてゼロであるとき、対応するシーケンスは、生成多項式を使用して生成されることが不可能である。その理由は、シーケンスの初期値が、ｍシーケンスにおける巡回シフトレジスタの初期状態に対応するからである。初期値がすべてゼロである場合、巡回シフトレジスタによって出力される結果は常に０となる。初期値の非ゼロ値は、本発明において特に限定されない。
【０３１９】
任意選択で、第１の同期シーケンスに対応する生成多項式は、x(i+7)=(x(i+1)+x(i))mod2である。生成多項式x(i+7)=(x(i+1)+x(i))mod2と、｛ｄPSS（ｎ）｝の任意のシーケンスに対応する生成多項式x(i+7)=(x(i+4)+x(i))mod2は、関連のない生成多項式の対である。同じシフトレジスタ長を有するｍシーケンスにおいて、関連のない生成多項式の対を使用することにより生成されたｍシーケンスのみが最適な相互相関を有する。相互相関は、巡回シフトが等価ではない２つのシーケンスの相関値である。最適な相互相関は、任意の巡回シフト値を有する２つのシーケンスの相互相関値が以下の理論上の最小値を有することを意味する。
【０３２０】
【数９５】
2021533689.tif 000098
【０３２１】
ここで、Ｌ＝２Ｋ−１である。たとえば、上記の実施形態において、Ｋ＝７、およびＬ＝１２７である。この実装における第１の同期シーケンスに対応する巡回シフト値にかかわらず、第１の同期シーケンスは｛ｄPSS（ｎ）｝の任意のシーケンスと異なってよく、したがって、第１の同期シーケンスに対応する巡回シフト値が決定される。加えてさらに、シーケンスが周波数ドメインから時間ドメインへ、または時間ドメインから周波数ドメインへと変更された後に得られるシーケンスの関係付けられた性能は類似する。したがって、受信機の実装アルゴリズムに制限が少なく、実装はより容易である。
【０３２２】
同じワイヤレス通信システムにおけるセルラリンクサービス以外の他サービス、たとえば、ＮＲシステムにおいて研究されるサイドリンク（ｓｉｄｅｌｉｎｋ）では、異なるモードが存在し得る。サイドリンク上のこれらのモードは、異なる方法で定義されることが可能である。たとえば、モードは、異なるプロトコルバージョンで定義された特徴に基づいて決定されてよく、またはモードは、サービスタイプに基づいて決定されてよく、またはモードは、リソース選択および割り当て方式に基づいて決定されてよい。たとえば、第１のモードはｅＭＢＢサービスをサポートするために使用され、第２のモードはＶ２Ｘサービスをサポートするために使用される。別の例では、代替として、分類がプロトコル標準化処理における技術的特徴に基づいて実行され得る。たとえば、モード１および／またはモード２がバージョンＡで定義され、モード３および／またはモード４がバージョンＢで定義される。代替として、モードは、リソーススケジューリング方式に基づいて定義され得る。たとえば、モード１は、リソーススケジューリングが基地局の構成または表示に基づく方式であり、モード２は、端末自体によってリソースを選択する方式である。
【０３２３】
本出願の実施形態において、任意選択で、同じ端末デバイスまたは同じネットワークデバイスが複数の異なるモードをサポートするとき、同期シーケンスを生成するために異なる方法が使用され得る。言い換えれば、端末デバイスまたはネットワークデバイスは、第５の同期シーケンスをさらに生成してよく、第５の同期シーケンスおよび第１の同期シーケンスはそれぞれ第１のモードおよび第２のモードに対応している。すべての可能な第１の同期シーケンスが、第１の同期シーケンスセットを形成する。第５の同期シーケンスは、第１の同期シーケンスセットの任意のシーケンスと異なる。この差異は、第５の同期シーケンスが、第１の同期シーケンスセットの任意のシーケンスの巡回シフトであること、および／または第５の同期シーケンスに対応する生成多項式が、第１の同期シーケンスセットの任意のシーケンスに対応する生成多項式と異なることを含む。複数のモードにおけるサイドリンク送信が共存するとき、異なるモードにおけるサイドリンク同期信号送信の間の相互干渉も低減または制御されることが可能である。たとえば、第５の同期シーケンスは以下の方式のいずれか１つで生成され得る。
【０３２４】
方式１：  第１のモードと第２のモードは同じ生成多項式に対応し、第１の同期シーケンスセットのシーケンスは第１の巡回シフト値に対応し、第５の同期シーケンスは第２の巡回シフト値に対応し、第１の巡回シフト値は第２の巡回シフト値とは異なる。
【０３２５】
方式２：  第１のモードと第２のモードは、異なる生成多項式に対応する。すなわち、第５の同期シーケンスに対応する生成多項式は、第１の同期シーケンスセットの任意のシーケンスに対応する生成多項式と異なる。
【０３２６】
方式３：  第１の同期シーケンスセットにおけるシーケンスは、第１の生成多項式および第１の巡回シフト値に対応し、第５の同期シーケンスは、第２の生成多項式および第２の巡回シフト値に対応し、第１の生成多項式は第２の生成多項式と異なり、第１の巡回シフト値は第２の巡回シフト値と異なる。
【０３２７】
可能な実装において、第２の同期シーケンスｄ2（ｎ）は、
【０３２８】
【数９６】
2021533689.tif 000099
【０３２９】
、０≦ｎ＜１２７
を満たし得る。
【０３３０】
説明を容易にするために、シーケンス
【０３３１】
【数９７】
2021533689.tif 000100
【０３３２】
および
【０３３３】
【数９８】
2021533689.tif 000101
【０３３４】
が本出願で定義される。第２の同期シーケンスが｛ｄSSS（ｎ）｝の任意のシーケンスと異なることは、シーケンス
【０３３５】
【数９９】
2021533689.tif 000102
【０３３６】
の巡回シフトであること、および／もしくはシーケンス
【０３３７】
【数１００】
2021533689.tif 000103
【０３３８】
の巡回シフトであること、ならびに／または第２の同期シーケンスに対応する生成多項式が、｛ｄSSS（ｎ）｝の任意のシーケンスに対応する生成多項式と異なることを含む。第２の同期シーケンスはまた、ゴールド符号シーケンスに基づいて生成される。第２の同期シーケンスを形成するシーケンス
【０３３９】
【数１０１】
2021533689.tif 000104
【０３４０】
がそれぞれ１つのｍシーケンスに基づいて生成されることは、ゴールド符号シーケンスの上述の特徴から認識できる。したがって、第１の同期シーケンスと同じまたは類似の理由に基づき、シーケンス
【０３４１】
【数１０２】
2021533689.tif 000105
【０３４２】
の巡回シフトであり、および／またはシーケンス
【０３４３】
【数１０３】
2021533689.tif 000106
【０３４４】
の巡回シフトであるとき、第２の同期シーケンスと｛ｄSSS（ｎ）｝の任意のシーケンスとは理論的に最も低い相関を有し得る。同様に、第２の同期シーケンスに対応する生成多項式が、｛ｄSSS（ｎ）｝のシーケンスに対応する任意の生成多項式と異なるとき、第２の同期シーケンスは、ＮＲシステムにおけるＵｕリンク上の二次同期信号のそれとは異なるゴールドシーケンスに基づいてよく、したがって、第２の同期シーケンスは、｛ｄSSS（ｎ）｝の任意のシーケンスと比較的低い相関を有する。相関の分析は上述の説明と同様であり、ここでは詳細は再度説明されない。
【０３４５】
１つのケースでは、シーケンス
【０３４６】
【数１０４】
2021533689.tif 000107
【０３４７】
の巡回シフトであること、および／またはシーケンス
【０３４８】
【数１０５】
2021533689.tif 000108
【０３４９】
の巡回シフトであることは、以下の方式で実装され得る。第２の同期シーケンスは、
【０３５０】
【数１０６】
2021533689.tif 000109
【０３５１】
を満たし、ここで、Θは非ゼロ整数である。任意選択で、
【０３５２】
【数１０７】
2021533689.tif 000110
【０３５３】
は、それぞれ、式ｄSSS（ｎ）における
【０３５４】
【数１０８】
2021533689.tif 000111
【０３５５】
の値範囲と同じである。任意選択で、
【０３５６】
【数１０９】
2021533689.tif 000112
【０３５７】
である。バイナリｍシーケンス
【０３５８】
【数１１０】
2021533689.tif 000113
【０３５９】
が生成された後、二次同期シーケンスｄSSS（ｎ）におけるシーケンス
【０３６０】
【数１１１】
2021533689.tif 000114
【０３６１】
は、巡回シフト値としてｍ0を使用することによるｍシーケンス
【０３６２】
【数１１２】
2021533689.tif 000115
【０３６３】
の巡回シフトであることが、上記の説明から認識できる。この場合、第２の同期シーケンスｄ2（ｎ）におけるシーケンス
【０３６４】
【数１１３】
2021533689.tif 000116
【０３６５】
について、オフセット値Θが、
【０３６６】
【数１１４】
2021533689.tif 000117
【０３６７】
のものと同じｍシーケンス
【０３６８】
【数１１５】
2021533689.tif 000118
【０３６９】
に基づいて巡回シフト値に加えられる。言い換えれば、シーケンス
【０３７０】
【数１１６】
2021533689.tif 000119
【０３７１】
は、巡回シフト値としてm0’=Θ+m0を使用することによるｍシーケンス
【０３７２】
【数１１７】
2021533689.tif 000120
【０３７３】
の巡回シフトである。したがって、この場合、シーケンス
【０３７４】
【数１１８】
2021533689.tif 000121
【０３７５】
の巡回シフトであることを確実にされることができる。さらに、新しい巡回シフト値ｍ0’＝Θ＋ｍ0が、シーケンス
【０３７６】
【数１１９】
2021533689.tif 000122
【０３７７】
に対応する巡回シフト値に対して等しい間隔で配置される。この場合、第２の同期シーケンスは、ＮＲシステムにおけるＵｕリンク上の二次同期シーケンスｄSSS（ｎ）に対するより良好な周波数ズレ検出性能を有し得る。その理由は、ｍシーケンスに関して、デバイスにより検出されるターゲットシーケンスの巡回シフト値と別の潜在的ターゲットまたは干渉シーケンスの巡回シフト値の間の間隔が等しくない場合、より小さい間隔によって耐周波数ズレ検出性能が決定されるからである。耐周波数ズレ能力は、ターゲットシーケンスの巡回シフト値と別の潜在的ターゲットまたは干渉シーケンスの巡回シフト値の間の間隔が等しいかまたは可能な限り等しいときのみ、最大値に達することができる。この場合、シーケンス
【０３７８】
【数１２０】
2021533689.tif 000123
【０３７９】
のものと同じｍシーケンス
【０３８０】
【数１２１】
2021533689.tif 000124
【０３８１】
に基づいており、ｍシーケンス
【０３８２】
【数１２２】
2021533689.tif 000125
【０３８３】
は、同じ生成多項式および同じ初期値を使用して生成されてよく、または異なる生成多項式および初期値を使用して生成されてよいことに留意されたい。これは本明細書で限定されない。
【０３８４】
任意選択で、Θ≧４５は、巡回シフト値の追加されたオフセット値が４５の後にさらに選択されることを示し、Θがゼロよりも大きく、かつ５の整数倍ではないことは、追加されたオフセット値が特に限定されないが、既存の値と同じであることが可能でないことを示し、または、Θが４５以上であり、かつ５の整数倍であることは、追加されたオフセット値が４５の後にさらに選択され、５の等しい間隔で選択されることを示す。上記の選択方法によれば、新しく生成されたシーケンスは、既存のＵｕリンク上の二次同期シーケンスと異なってよく、二次同期シーケンスの巡回シフトである。選択が５の倍数の等しい間隔でさらに実行されたとき、シーケンス間の耐周波数ズレの性能がさらに改善されることが可能である。さらに、Θ＝４５である。オフセット値Θはシグナリングによって示され、またはオフセット値Θは予め定義される。この場合、シーケンス
【０３８５】
【数１２３】
2021533689.tif 000126
【０３８６】
に対応する巡回シフト値の間隔と
【０３８７】
【数１２４】
2021533689.tif 000127
【０３８８】
に対応する巡回シフト値の間隔とが等しく、
【０３８９】
【数１２５】
2021533689.tif 000128
【０３９０】
に対応する巡回シフト値と
【０３９１】
【数１２６】
2021533689.tif 000129
【０３９２】
に対応する隣接巡回シフト値との間の間隔が等しい。したがって、ＮＲシステムにおけるＵｕリンク上の一次同期シーケンスｄSSS（ｎ）に対する第２の同期シーケンスｄ2（ｎ）の周波数ズレ検出性能が改善されることが可能である。
【０３９３】
任意選択で、第２の同期シーケンスは、
【０３９４】
【数１２７】
2021533689.tif 000130
【０３９５】
を満たしてもよい。この場合、オフセット値Θはそれに応じて変化する。ｍ0’の任意の単純な変動は、本出願の実施形態で開示される範囲内にあることを理解されたい。特定の値変化は本出願の実施形態では詳細にリストされない。
【０３９６】
任意選択で、オフセット値Θはシグナリングによって通知され、またはオフセット値Θは予め定義される。
【０３９７】
任意選択で、第２の同期シーケンスに対応する生成多項式は、x0(i+7)=(x0(i+4)+x0(i))mod2およびx1(i+7)=(x1(i+1)+x1(i))mod2であり、ここで、ｘ0（０）からｘ0（６）は初期値であり、ｘ1（０）からｘ1（６）は初期値である。さらに、任意選択で、[x0(6) x0(5) x0(4) x0(3) x0(2) x0(1) x0(0)]=[0 0 0 0 0 0 1]、および[x1(6) x1(5) x1(4) x1(3) x1(2) x1(1) x1(0)]=[0 0 0 0 0 0 1]である。この場合、第２の同期シーケンスは以下の式に従って生成され得る。
【０３９８】
【数１２８】
2021533689.tif 000131
【０３９９】
ここで、
x0(i+7)=(x0(i+4)+x0(i))mod2、
x1(i+7)=(x1(i+1)+x1(i))mod2    (13)
および、
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]    (14)
であり、
【０４００】
【数１２９】
2021533689.tif 000132
【０４０１】
である。以下では、この可能なケースを例として使用して、本出願の実施形態で設計された第２の同期シーケンスの特徴をさらに分析する。ＮＲシステムにおけるＵｕリンク上の一次同期信号について、一次同期信号に対応する式のパラメータの値が表１に示される。
【０４０２】
【表１】
2021533689.tif 000133
【０４０３】
上記式（１２）、（１３）、および（１４）に従って設計された第２の同期シーケンスについて、たとえばΘ＝４５のとき、式のパラメータの値が表２に示される。
【０４０４】
【表２】
2021533689.tif 000134
【０４０５】
表１と表２の比較から、ｍ0’とｍ0が異なること、および両方とも１２６未満であることが認識できる。したがって、上記の方法を使用して生成される第２の周期シーケンスが｛ｄSSS（ｎ）｝の任意のシーケンスと理論的に最も低い相関を有することが確実にされることができる。このようにして、２つのシーケンスの相互干渉値が最小化される。
【０４０６】
可能な実装において、第２の同期シーケンスに対応する生成多項式が、｛ｄSSS（ｎ）｝の任意のシーケンスに対応する生成多項式と異なる。第２の同期シーケンスは、｛ｄSSS（ｎ）｝に対応するｍシーケンスと同じ長さを有するが異なる生成多項式を有するｍシーケンスを使用することによって生成される。これにより、第２の同期シーケンスと｛ｄSSS（ｎ）｝の任意のシーケンスとの間の相互相関を低減することができる。さらに、この設計方法は単純であり、ＮＲシステムにおけるＵｕリンクの設計の変更をわずかに必要とし、強いバージョン継承を有する。特定の長さのゴールドシーケンスは、等しい長さの２つのｍシーケンスを使用して生成される。いずれかのｍシーケンスの生成多項式が変わる限り、生成されるゴールドシーケンスは異なる。したがって、第２の同期シーケンスに対応する生成多項式が、ＮＲシステムにおけるＵｕリンク上の二次同期信号シーケンスに対応する生成多項式と異なる場合、それらのそれぞれの巡回シフト値にかかわらず、それぞれの生成多項式に基づいて生成されるシーケンスは常に異なり、より低い相互相関を有する。したがって、異なる生成多項式が使用されるとき、第２の同期シーケンスに対応する巡回シフト値は特に限定されない。任意選択で、異なる生成多項式が使用されるとき、ＮＲシステムにおけるＵｕリンク上の二次同期信号シーケンスのものと同じ巡回シフト値が使用されてよい。
【０４０７】
任意選択で、この実装では、第２の同期シーケンスに対応する生成多項式は、x0(i+7)=(x0(i+3)+x0(i))mod2を含んでよく、ここで、ｘ0（０）からｘ0（６）は初期値である。
【０４０８】
任意選択で、第２の同期シーケンスに対応する生成多項式は、x1(i+7)=(x1(i+3)+x1(i+2)+x1(i+1)+x1(i))mod2を含んでよく、ここで、ｘ1（０）からｘ1（６）は初期値である。
【０４０９】
同じワイヤレス通信システムにおけるセルラリンクサービス以外の他サービス、たとえば、ＮＲシステムにおいて研究されるサイドリンク（ｓｉｄｅｌｉｎｋ）では、異なるモードが存在し得る。サイドリンク上のこれらのモードは、異なる方法で定義されることが可能である。たとえば、モードは、異なるプロトコルバージョンで定義された特徴に基づいて決定されてよく、またはモードは、サービスタイプに基づいて決定されてよく、またはモードは、リソース選択および割り当て方式に基づいて決定されてよい。たとえば、第１のモードはｅＭＢＢサービスをサポートするために使用され、第２のモードはＶ２Ｘサービスをサポートするために使用される。別の例では、代替として、分類がプロトコル標準化処理における技術的特徴に基づいて実行され得る。たとえば、モード１および／またはモード２がバージョンＡで定義され、モード３および／またはモード４がバージョンＢで定義される。代替として、モードは、リソーススケジューリング方式に基づいて定義され得る。たとえば、モード１は、リソーススケジューリングが基地局の構成または表示に基づく方式であり、モード２は、端末によってリソースを選択する方式である。
【０４１０】
可能な実装において、任意選択で、同じ端末デバイスまたは同じネットワークデバイスが複数の異なるモードをサポートするとき、同期シーケンスを生成するために異なる方法が使用され得る。言い換えれば、端末デバイスまたはネットワークデバイスは、第６の同期シーケンスをさらに生成してよく、第６の同期シーケンスおよび第２の同期シーケンスはそれぞれ第１のモードおよび第２のモードに対応している。すべての可能な第２の同期シーケンスが、第２の同期シーケンスセットを形成する。第６の同期シーケンスは、第２の同期シーケンスセットの任意のシーケンスと異なる。この差異は、第６の同期シーケンスに対応する１つもしくは複数のｍシーケンスが、第２の同期シーケンスセットの任意のシーケンスに対応する１つもしくは複数のｍシーケンスの巡回シフトであること、および／または第６の同期シーケンスに対応する生成多項式が、第２の同期シーケンスセットの任意のシーケンスに対応する生成多項式と異なることを含む。複数のモードにおけるサイドリンク送信が共存するとき、異なるモードにおけるサイドリンク同期信号送信の間の相互干渉も低減または制御されることが可能である。たとえば、第６の同期シーケンスは以下の方式のいずれか１つで生成され得る。
【０４１１】
方式１：  第１のモードと第２のモードは同じ生成多項式に対応し、第２の同期シーケンスセットにおけるシーケンスの１つまたは複数のｍシーケンスは第１の巡回シフト値に対応し、第６の同期シーケンスの１つまたは複数のｍシーケンスは第２の巡回シフト値に対応し、第１の巡回シフト値は第２の巡回シフト値とは異なる。
【０４１２】
方式２：  第１のモードと第２のモードは、異なる生成多項式に対応する。すなわち、第６の同期シーケンスの１つまたは複数のｍシーケンスに対応する生成多項式は、第２の同期シーケンスセットにおける任意のシーケンスの１つまたは複数のｍシーケンスに対応する生成多項式と異なる。
【０４１３】
方式３：  第２の同期シーケンスセットにおける任意のシーケンスの１つまたは複数のｍシーケンスは、第１の生成多項式および第１の巡回シフト値に対応し、第６の同期シーケンスの１つまたは複数のｍシーケンスは、第２の生成多項式および第２の巡回シフト値に対応し、第１の生成多項式は第２の生成多項式と異なり、第１の巡回シフト値は第２の巡回シフト値と異なる。
【０４１４】
上記の可能な実装では、
【０４１５】
【数１３０】
2021533689.tif 000135
【０４１６】
は、同期信号識別ＮIDを使用して決定され、システムにおけるすべての異なる同期信号識別ＮIDが同期信号識別セットを形成する。同期信号識別セットは、１つまたは複数のサブセットを含み、サブセットにおける同期信号識別は、以下の情報、
第１のデバイスのタイミング基準が、ネットワークデバイスであること、
第１のデバイスのタイミング基準が、タイミングパラメータとしてネットワークデバイスを使用する第３のデバイスであること、
第１のデバイスのタイミング基準が、衛星であること、
第１のデバイスのタイミング基準が、タイミングパラメータとして衛星を使用する第３のデバイスであること、および
第１のデバイスのタイミング基準が、第１のデバイス自体である、またはネットワークデバイスもしくは衛星と同期されない第３のデバイスであること
のうちの少なくとも１つを示す。
【０４１７】
任意選択で、同期信号識別セットは２つのサブセットを含み、異なるサブセットは、第１の同期シーケンスおよび／または第２の同期シーケンスの異なる巡回シフト値に対応する。
【０４１８】
任意選択で、２つのサブセットの各サブセットにおける同期信号識別は、以下の情報、
第１のデバイスのタイミング基準がネットワークデバイスであり、同期信号識別は第１のシーケンスサブセットから決定されることと、第１のデバイスのタイミング基準がネットワークデバイスではなく、同期信号識別は第２のシーケンスサブセットから決定されることとのうちのいずれか１つを示すために使用される。
【０４１９】
任意選択で、２つのサブセットの各サブセットにおける同期信号識別は、以下の情報、
第１のデバイスのタイミング基準がネットワークデバイスであり、同期信号識別は第１のシーケンスサブセットから決定されることと、第１のデバイスのタイミング基準が、タイミングパラメータとしてネットワークデバイスを使用する第３のデバイスであり、同期信号識別は第２のシーケンスサブセットから決定されることとのうちのいずれか１つを示すために使用される。
【０４２０】
任意選択で、２つのサブセットの各サブセットにおける同期信号識別は、以下の情報、
第１のデバイスのタイミング基準が衛星であり、同期信号識別は第１のシーケンスサブセットから決定されることと、第１のデバイスのタイミング基準が衛星ではなく、同期信号識別は第２のシーケンスサブセットから決定されることとのうちのいずれか１つを示すために使用される。
【０４２１】
任意選択で、２つのサブセットの各サブセットにおける同期信号識別は、以下の情報、
第１のデバイスのタイミング基準が衛星であり、同期信号識別は第１のシーケンスサブセットから決定されることと、第１のデバイスのタイミング基準が、タイミングパラメータとして衛星を使用する第３のデバイスであり、同期信号識別は第２のシーケンスサブセットから決定されることとのうちのいずれか１つを示すために使用される。
【０４２２】
任意選択で、同期信号識別セットは４つのサブセットを含み、異なるサブセットは、第１の同期シーケンスおよび／または第２の同期シーケンスの異なる巡回シフト値に対応する。４つのシーケンスサブセットのそれぞれは、以下の情報、
第１のデバイスのタイミング基準がネットワークデバイスであり、同期信号識別は第１のシーケンスサブセットから決定されること、
第１のデバイスのタイミング基準が、タイミングパラメータとしてネットワークデバイスを使用する第３のデバイスであり、同期信号識別は第２のシーケンスサブセットから決定されること、
第１のデバイスのタイミング基準が衛星であり、同期信号識別は第３のシーケンスサブセットから決定されること、および
第１のデバイスのタイミング基準が、タイミングパラメータとして衛星を使用する第３のデバイスであり、同期信号識別は第４のシーケンスサブセットから決定されること
のうちのいずれか１つを示すために使用される。
【０４２３】
任意選択で、同期信号識別セットは５つのサブセットを含み、異なるサブセットは、第１の同期シーケンスおよび／または第２の同期シーケンスの異なる巡回シフト値に対応する。５つのシーケンスサブセットのそれぞれは、以下の情報、
第１のデバイスのタイミング基準がネットワークデバイスであり、同期信号識別は第１のシーケンスサブセットから決定されること、
第１のデバイスのタイミング基準が、タイミングパラメータとしてネットワークデバイスを使用する第３のデバイスであり、同期信号識別は第２のシーケンスサブセットから決定されること、
第１のデバイスのタイミング基準が衛星であり、同期信号識別は第３のシーケンスサブセットから決定されること、
第１のデバイスのタイミング基準が、タイミングパラメータとして衛星を使用する第３のデバイスであり、同期信号識別は第４のシーケンスサブセットから決定されること、および
第１のデバイスのタイミング基準が、第１のデバイス自体である、またはネットワークデバイスもしくは衛星と同期されない第３のデバイスであり、同期信号識別は第５のシーケンスサブセットから決定されること、
のうちのいずれか１つを示すために使用される。
【０４２４】
上記の同期シーケンス設計解決策によれば、得られた同期シーケンスは、５Ｇ  ＮＲシステムにおける同期シーケンスセットの任意の同期シーケンスと異なることが可能であり、それにより、別のソース同期デバイスの同期信号と、ＮＲシステムにおけるＵｕリンク上の同期信号との間の干渉を効果的に低減する。これは、デバイス間の同期性能を改善し、別のソース同期デバイスの同期信号と５Ｇ  ＮＲシステムにおける同期信号との間の設計差を最小限にする。異なるサービス間の同期性能を確保し、同じエリアに配備された異なるシステムまたはサービスに対する制限を低減するために、既存のシステムに少しの修正を行うことだけが必要である。
【０４２５】
以下では、上述の実施形態を参照して、本出願の実施形態において上述の設計で同期シーケンスをどのように適用するかをさらに説明する。
【０４２６】
本出願の実施形態は同期信号送信および受信方法を提供する。図５は、本出願の実施形態による方法の概略シグナリング図である。図５および以下のいくつかのステップは任意選択であってよく、本発明のこの実施形態においてすべてのステップが含まれる必要があるようには限定されないことに留意されたい。さらに、ステップのシーケンス番号は単に説明のために使用され、順序を表すものではない。また、特に指定されない限り、本出願のこの実施形態では、第３の同期シーケンスは上記の同期シーケンス
【０４２７】
【数１３１】
2021533689.tif 000136
【０４２８】
であり、第４の同期シーケンスは上記の同期シーケンス
【０４２９】
【数１３２】
2021533689.tif 000137
【０４３０】
である。
【０４３１】
ステップ５０１：  第１のデバイスは、第１の同期シーケンスおよび／または第２の同期シーケンスを生成する。第１の同期シーケンスは第３の同期シーケンスセットの任意のシーケンスと異なり、および／または第２の同期シーケンスは第４の同期シーケンスセットの任意のシーケンスと異なる。
【０４３２】
第３の同期シーケンスおよび第４の同期シーケンスの生成方式は上述されており、ここでは詳細は再度説明されないことに留意されたい。本出願のこの実施形態における第１のデバイスは、端末デバイス、ネットワークデバイス、または端末デバイスもしくはネットワークデバイス内にあり本出願の実施形態の方法を実行する装置であってよい。
【０４３３】
第１の同期シーケンスおよび第２の同期シーケンスの可能な設計および生成方式は上述されており、ここでは詳細は再度説明されない。第１のデバイスは、第１の同期シーケンスのみ、第２の同期シーケンスのみ、または第１の同期シーケンスと第２の同期シーケンスの両方を生成し得ることに留意されたい。第１のデバイスが第１の同期シーケンスのみまたは第２の同期シーケンスのみを生成するとき、第１のデバイスは、１つのみの同期信号を使用して第２のデバイスとの同期を完了する。第１のデバイスが、第１の同期シーケンスと第２の同期シーケンスの両方を生成するとき、第１の同期シーケンスは一次同期シーケンスであってよく、第２の同期シーケンスは二次同期シーケンスであってよい。
【０４３４】
このステップにおける動作は、上述された端末デバイス内のモデムプロセッサ５０４によって実装されてよい。
【０４３５】
このステップにおける動作は、上述されたネットワークデバイス内のプロセッサ４０１によって実装されてよい。
【０４３６】
ステップ５０２：  第１のデバイスは、第１の同期シーケンスに対応する第１の同期信号および／または第２の同期シーケンスに対応する第２の同期信号を送信する。それに対応して、第２のデバイスは、第１の同期シーケンスに対応する第１の同期信号および／または第２の同期シーケンスに対応する第２の同期信号を受信する。
【０４３７】
第１の同期シーケンスおよび／または第２の同期シーケンスを生成した後、第１のデバイスはシーケンスを、対応する時間領域シンボルまたは対応する時間領域シンボルの周波数領域サブキャリアにマッピングし、同期信号を生成し、第１の同期信号および／または第２の同期信号を送信する。
【０４３８】
それに対応して、第２のデバイスは、第１の同期シーケンスに対応する第１の同期信号および／または第２の同期シーケンスに対応する第２の同期信号を受信する。
【０４３９】
このステップにおける動作は、上述された端末デバイス内のトランシーバ５０１によって実装されてよい。当然ながら、動作は、代替として、上述された端末デバイス内のモデムプロセッサ５０４によりトランシーバ５０１を制御することによって実装されてよい。
【０４４０】
このステップにおける動作は、上述されたネットワークデバイス内のトランシーバ４０２によって実装されてよい。当然ながら、動作は、代替として、上述されたネットワークデバイス内のモデムプロセッサ４０１によりトランシーバ４０２を制御することによって実装されてよい。
【０４４１】
ステップ５０３：  第２のデバイスは、第１の同期情報および／または第２の同期情報に基づいて同期信号識別ＮIDを取得する。
【０４４２】
任意選択で、第２のデバイスは、同期信号識別ＮIDに基づいて第１のデバイスのタイミング基準ソースを決定する。上記の説明から、同期信号識別は第１のデバイスのタイミング基準ソースを示すために使用され得ることが認識できる。それに対応して、第２のデバイスは、同期信号識別ＮIDを取得することによって第１のデバイスのタイミング基準ソースを決定し得る。任意選択で、タイミング基準ソースは、以下のもの、ネットワークデバイス、非ネットワークデバイス、タイミングパラメータとしてネットワークデバイスを使用する第３のデバイス、衛星、非衛星、第１のデバイス自体、タイミングパラメータとして衛星を使用する第３のデバイス、またはネットワークデバイスもしくは衛星と同期されない第３のデバイスのうちのいずれか１つである。
【０４４３】
任意選択で、第２のデバイスは、第１の同期信号および／または第２の同期信号に基づいてタイミング情報を取得する。具体的には、第２のデバイスは、ローカルに記憶された第１の同期シーケンスおよび／もしくは第２の同期シーケンスに基づいて、または第１の同期シーケンスおよび／もしくは第２の同期シーケンスの信号特徴に基づいて、第１の同期信号および／または第２の同期信号を受信および検出する。このようにして、対応するシンボル、同期信号、スロット、サブフレーム、または無線フレームの境界が取得される。次いで、タイミング情報を取得するために、フレーム番号の表示信号を参照して、各無線フレーム、サブフレーム、スロット、同期信号、またはシンボルの正確な位置がさらに決定される。
【０４４４】
任意選択で、第２のデバイスが、第１の同期信号および／または第２の同期信号に基づいて同期信号識別ＮIDを取得することは、第２のデバイスが、第１の同期信号および／または第２の同期信号に基づいて第１の識別
【０４４５】
【数１３３】
2021533689.tif 000138
【０４４６】
および／または第２の識別
【０４４７】
【数１３４】
2021533689.tif 000139
【０４４８】
を取得し、第１の識別
【０４４９】
【数１３５】
2021533689.tif 000140
【０４５０】
および／または第２の識別
【０４５１】
【数１３６】
2021533689.tif 000141
【０４５２】
に基づいて同期信号識別ＮIDを決定することを含む。
【０４５３】
任意選択で、第２のデバイスが、第１の識別
【０４５４】
【数１３７】
2021533689.tif 000142
【０４５５】
および／または第２の識別
【０４５６】
【数１３８】
2021533689.tif 000143
【０４５７】
に基づいて同期信号識別ＮIDを決定することは、
【０４５８】
【数１３９】
2021533689.tif 000144
【０４５９】
または
【０４６０】
【数１４０】
2021533689.tif 000145
【０４６１】
を含む。
【０４６２】
第３の同期シーケンスおよび第４の同期シーケンスの生成方式は上述されており、ここでは詳細は再度説明されないことに留意されたい。本出願のこの実施形態における第２のデバイスは、端末デバイス、ネットワークデバイス、または端末デバイスもしくはネットワークデバイス内にあり本出願の実施形態の方法を実行する装置であってよい。
【０４６３】
このステップにおける動作は、上述された端末デバイス内のモデムプロセッサ５０４によって実装されてよい。
【０４６４】
このステップにおける動作は、上述されたネットワークデバイス内のプロセッサ４０１によって実装されてよい。
【０４６５】
上述の方法を使用することによって送信された第１の同期シーケンスおよび／または第２の同期シーケンスは、５Ｇ  ＮＲシステムにおける同期シーケンスセットの任意の同期シーケンスと異なることが可能であり、それにより、別のソース同期デバイスの同期信号と、ＮＲシステムにおけるＵｕリンク上の同期信号との間の干渉を効果的に低減する。これは、デバイス間の同期性能を改善し、別のソース同期デバイスの同期信号と５Ｇ  ＮＲシステムにおける同期信号との間の設計差を最小限にする。異なるサービス間の同期性能を確保するために、既存のシステムに少しの修正を行うことだけが必要である、それにより可能なシステム構築を簡素にする。
【０４６６】
本発明の例は、上述の方法を実装するように構成された装置（たとえば、集積回路、ワイヤレスデバイス、または回路モジュール）をさらに提供する。本明細書に説明されるパワートラッカおよび／またはパワージェネレータを実装するための装置は、独立したデバイスであってよく、またはより大きなデバイスの一部であってよい。デバイスは、（ｉ）独立したＩＣ、（ｉｉ）１つもしくは複数のＩＣのセットであって、セットは、データおよび／もしくは命令を記憶するように構成されたメモリＩＣを含み得る、（ｉｉｉ）ＲＦ受信機またはＲＦ送信機／受信機などのＲＦＩＣ、（ｉｖ）移動局モデムなどのＡＳＩＣ、（ｖ）別のデバイスに埋め込まれることが可能なモジュール、（ｖｉ）受信機、セルラ電話、ワイヤレスデバイス、携帯電話、もしくは移動ユニット、または（ｖｉｉ）その他であってよい。
【０４６７】
本発明の実施形態で提供される方法および装置は、端末デバイスまたはネットワークデバイス（まとめてワイヤレスデバイスと呼ばれることがある）に適用され得る。端末デバイスまたはネットワークデバイスまたはワイヤレスデバイスは、ハードウェア層、ハードウェア層上で動作するオペレーティングシステム層、およびオペレーティングシステム層上で動作するアプリケーション層を含んでよい。ハードウェア層は、中央処理装置（ｃｅｎｔｒａｌ  ｐｒｏｃｅｓｓｉｎｇ  ｕｎｉｔ、ＣＰＵ）、メモリ管理ユニット（ｍｅｍｏｒｙ  ｍａｎａｇｅｍｅｎｔ  ｕｎｉｔ、ＭＭＵ）、およびメモリ（メインメモリとも呼ばれる）などのハードウェアを含む。オペレーティングシステムは、処理（ｐｒｏｃｅｓｓ）を使用してサービス処理を実装する任意の１つまたは複数のタイプのコンピュータオペレーティングシステム、たとえば、Ｌｉｎｕｘオペレーティングシステム、Ｕｎｉｘオペレーティングシステム、Ａｎｄｒｏｉｄオペレーティングシステム、ｉＯＳオペレーティングシステム、またはＷｉｎｄｏｗｓオペレーティングシステムであってよい。アプリケーション層は、ブラウザ、アドレスブック、ワードプロセッシングソフトウェア、およびインスタントメッセージングソフトウェアなどのアプリケーションを含む。また、本発明の実施形態では、本発明の実施形態における方法のコードを記録するプログラミングを実行することによって、本発明の実施形態における信号送信方法に従って実行体が通信を実行することができるならば、方法の実行体の具体的構造は本発明の実施形態で限定されない。たとえば、本発明の実施形態におけるワイヤレス通信方法は、端末デバイスもしくはネットワークデバイスによって、または端末デバイスもしくはネットワークデバイス内にありプログラムを呼び出して実行できる機能モジュールによって実行されてよい。
【０４６８】
当業者は、本明細書に開示された実施形態で説明される例と組み合わせて、ユニットおよびアルゴリズムステップが、電子ハードウェアまたはコンピュータソフトウェアと電子ハードウェアの組み合わせによって実装され得ることを認識し得る。機能がハードウェアまたはソフトウェアによって実行されるかは、技術的解決策の特定のアプリケーションおよび設計制約条件に依存する。当業者は記載された機能を実装するために特定の用途ごとに異なる方法を使用してよいが、実装が本発明の実施形態の範囲を超えるとみなされるべきではない。
【０４６９】
また、本発明の実施形態における態様または特徴は、標準的なプログラミングおよび／もしくはエンジニアリング技術を使用する方法、装置、または製品として実装されてよい。本出願で使用される用語「製品」は、任意のコンピュータ可読コンポーネント、キャリア、または媒体からアクセスされることが可能であるコンピュータプログラムを包含する。たとえば、コンピュータ可読媒体は、磁気記憶コンポーネント（たとえば、ハードディスク、フロッピーディスク、または磁気テープ）、光ディスク（たとえば、コンパクトディスク（ｃｏｍｐａｃｔ  ｄｉｓｃ、ＣＤ））またはデジタル多用途ディスク（ｄｉｇｉｔａｌ  ｖｅｒｓａｔｉｌｅ  ｄｉｓｃ、ＤＶＤ））、スマートカード、およびフラッシュメモリコンポーネント（たとえば、消去可能プログラマブル読み取り専用メモリ（ｅｒａｓａｂｌｅ  ｐｒｏｇｒａｍｍａｂｌｅ  ｒｅａｄ−ｏｎｌｙ  ｍｅｍｏｒｙ、ＥＰＲＯＭ）、カード、スティック、またはキードライブ）を含み得るが、これらに限定されない。加えて、本明細書に記載された様々な記憶媒体は、情報を記憶するように構成された１つもしくは複数のデバイスおよび／または他の機械可読媒体を表し得る。用語「機械可読媒体」は、無線チャネル、ならびに命令および／またはデータを記憶し、内包し、および／または運ぶことができる様々な他の媒体を含み得るが、これらに限定されない。
【０４７０】
上述の実施形態の全部または一部は、ソフトウェア、ハードウェア、ファームウェア、またはそれらの任意の組み合わせを使用することによって実装され得る。実施形態を実装するためにソフトウェアが使用されるとき、実施形態の全部または一部はコンピュータプログラム製品の形態で実装されてよい。コンピュータプログラム製品は１つまたは複数のコンピュータ命令を含む。コンピュータプログラム命令がロードされ、コンピュータ上で実行されたとき、本発明の実施形態による手順または機能がすべてまたは部分的に生成される。コンピュータは、汎用コンピュータ、専用コンピュータ、コンピュータネットワーク、または別のプログラム可能な装置であってよい。コンピュータ命令は、コンピュータ可読記憶媒体に記憶されてよく、または１つのコンピュータ可読記憶媒体から別のコンピュータ可読記憶媒体に送信されてよい。たとえば、コンピュータ命令は、１つのウェブサイト、コンピュータ、サーバ、またはデータセンタから別のウェブサイト、コンピュータ、サーバ、またはデータセンタへ、有線（たとえば、同軸ケーブル、光ファイバ、もしくはデジタル加入者線（ＤＳＬ））方式またはワイヤレス（たとえば、赤外線、ラジオ、もしくはマイクロ波）方式で送信されてよい。コンピュータ可読記憶媒体は、コンピュータによってアクセス可能な任意の使用可能な媒体、または１つもしくは複数の使用可能な媒体を統合するサーバもしくはデータセンタのようなデータ記憶デバイスであってよい。使用可能な媒体は、磁気媒体（たとえば、フロッピーディスク、ハードディスク、もしくは磁気テープ）、光媒体（たとえば、ＤＶＤ）、半導体媒体（たとえば、ソリッドステートドライブＳｏｌｉｄ  Ｓｔａｔｅ  Ｄｉｓｋ（ＳＳＤ））などであってよい。
【０４７１】
上述の処理のシーケンス番号は、本発明の様々な実施形態における実行順序を意味しないことを理解されたい。処理の実行順序は、処理の機能および内部論理に従って決定されるべきであり、本発明の実施形態の実装処理に対するいかなる制限とも解釈されるべきではない。
【０４７２】
便宜上および簡潔な説明のため、上述のシステム、装置、およびユニットの詳細な動作処理に関して、上述の方法の実施形態における対応する処理を参照すること、および詳細はここで再度説明されないことを当業者は明確に理解し得る。
【０４７３】
本出願で提供されるいくつかの実施形態において、開示されたシステム、装置、および方法は他の方式で実装され得ることを理解されたい。たとえば、記載された装置の実施形態は例に過ぎない。たとえば、ユニットへの分割は論理的機能分割に過ぎず、実際の実装では他の分割であってよい。たとえば、複数のユニットもしくはコンポーネントが組み合わされもしくは別のシステムに統合されてよく、またはいくつかの特徴が無視されもしくは実行されなくてよい。さらに、表示されまたは論じられた相互結合または直接結合または通信接続は、いくつかのインターフェイスを使用することによって実装されてよい。装置またはユニットの間の間接的な結合または通信接続は、電気的、機械的、または別の形態で実装されてよい。
【０４７４】
別個の部品として説明されるユニットは、物理的に分離されてもされなくてもよく、ユニットとして表示された部品は、物理的ユニットであってもなくてもよく、１つの位置に配置されてよく、または複数のネットワークユニット上に分散されてよい。ユニットの一部または全部は、実施形態の解決策の目的を達成するために実際の要件に基づいて選択されてよい。
【０４７５】
機能がソフトウェア機能ユニットの形態で実装され、独立した製品として販売または使用されるとき、機能はコンピュータ可読記憶媒体に記憶されてよい。そのような理解に基づいて、本発明の実施形態における技術的解決策は本質的に、または従来技術に寄与する部分、または技術的解決策のいくつかは、ソフトウェア製品の形態で実装され得る。コンピュータソフトウェア製品は、記憶媒体に記憶され、本発明の実施形態で説明される方法のステップの全部または一部を実行するようにコンピュータデバイス（パーソナルコンピュータ、サーバ、またはアクセスネットワークデバイスなどであり得る）に命令するためのいくつかの命令を含む。上記の記憶媒体は、ＵＳＢフラッシュドライブ、リムーバブルハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、またはコンパクトディスクなど、プログラムコードを記憶することができる任意の媒体を含む。
【０４７６】
上記の説明は、本発明の実施形態の特定の実装に過ぎず、本発明の実施形態の保護範囲を限定することは意図されていない。本発明の実施形態で開示された技術的範囲内で当業者によって容易に考えられる任意の変形または置換は、本発明の実施形態の保護範囲内に入るものとする。
【図１】
2021533689.tif 000234
【図２】
2021533689.tif 000235
【図３】
2021533689.tif 000236
【図４】
2021533689.tif 000237
【図５】
2021533689.tif 000238
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
第１のデバイスに適用される同期信号送信方法であって、前記方法は、
第１の同期シーケンスを生成するステップであって、前記第１の同期シーケンスは、
d1(n)=1-2x(m’)、
【数１】
2021533689.tif 000239
、およびΔ＝２２を満たし、ここで
x(i+7)=(x(i+4)+x(i))mod2、および
[x(6) x(5) x(4) x(3) x(2) x(1) x(0)]=[1 1 1 0 1 1 0]である、ステップと、
前記第１の同期シーケンスに対応する第１の同期信号を送信するステップと
を含む同期信号送信方法。
【請求項２】
前記第１の同期シーケンスは第３の同期シーケンスセットの任意のシーケンスの巡回シフトであり、前記第３の同期シーケンスセットの前記任意のシーケンスは、
【数２】
2021533689.tif 000240
を満たし、ここで
x(i+7)=(x(i+4)+x(i))mod2、
【数３】
2021533689.tif 000241
、および
[x(6) x(5) x(4) x(3) x(2) x(1) x(0)]=[1 1 1 0 1 1 0]である請求項１に記載の方法。
【請求項３】
前記第１の同期シーケンスは前記第３の同期シーケンスセットの前記任意のシーケンスと異なる請求項２に記載の方法。
【請求項４】
第２の同期シーケンスを生成するステップであって、前記第２の同期シーケンスは、
【数４】
2021533689.tif 000242
を満たし、ここで、０≦ｎ＜１２７、
【数５】
2021533689.tif 000243
であり、ここで、
【数６】
2021533689.tif 000244
であり、Θは非ゼロ整数である、ステップと、
前記第２の同期シーケンスに対応する第２の同期信号を送信するステップと
を含む請求項１乃至３のいずれか一項に記載の方法。
【請求項５】
前記第２の同期シーケンスに対応する生成多項式は、x0(i+7)=(x0(i+3)+x0(i))mod2を含み、ここで、ｘ０（０）からｘ０（６）は初期値であり、または
前記第２の同期シーケンスに対応する生成多項式は、x0(i+7)=(x0(i+4)+x0(i))mod2、x1(i+7)=(x1(i+1)+x1(i))mod2、および
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]である請求項４に記載の方法。
【請求項６】
前記第２の同期シーケンスは第４の同期シーケンスセットの任意のシーケンスと異なり、前記シーケンス
【数７】
2021533689.tif 000245
の巡回シフトであり、および／もしくは前記シーケンス
【数８】
2021533689.tif 000246
の巡回シフトであり、ならびに／または
前記第２の同期シーケンスに対応する前記生成多項式は、前記第４の同期シーケンスセットの前記任意のシーケンスに対応する前記生成多項式と異なり、
記第４の同期シーケンスセットの前記任意のシーケンスは、
【数９】
2021533689.tif 000247
を満たし、
前記第４の同期シーケンスセットの前記任意のシーケンスに対応する生成多項式は、x0(i+7)=(x0(i+4)+x0(i))mod2、x1(i+7)=(x1(i+1)+x1(i))mod2、
【数１０】
2021533689.tif 000248
、および
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]である請求項５に記載の方法。
【請求項７】
同期信号識別セットから同期信号識別ＮＩＤを決定するステップと、
前記同期信号識別ＮＩＤに基づいて、第１の識別
【数１１】
2021533689.tif 000249
を決定するステップであって、
【数１２】
2021533689.tif 000250
である、ステップと
をさらに含む請求項１乃至６のいずれか一項に記載の方法。
【請求項８】
前記同期信号識別セットは、１つまたは複数のサブセットを含み、前記１つまたは複数のサブセットの各サブセットは、個別に以下の情報、
前記第１のデバイスのタイミング基準が、ネットワークデバイスであること、
前記第１のデバイスの前記タイミング基準が、タイミング基準としてネットワークデバイスを使用する第２のデバイスであること、
前記第１のデバイスの前記タイミング基準が、衛星であること、
前記第１のデバイスの前記タイミング基準が、タイミング基準として衛星を使用する第２のデバイスであること、および
前記第１のデバイスの前記タイミング基準が、前記第１のデバイス自体である、またはネットワークデバイスもしくは衛星と同期されない第２のデバイスであること
のうちの少なくとも１つを示す請求項７に記載の方法。
【請求項９】
第２のデバイスに適用される同期信号受信方法であって、前記方法は、
第１の同期シーケンスに対応する第１の同期信号を受信するステップであって、前記第１の同期シーケンスは、
d1(n)=1-2x(m’)、
【数１３】
2021533689.tif 000251
、およびΔ＝２２を満たし、ここで
x(i+7)=(x(i+4)+x(i))mod2、および
[x(6) x(5) x(4) x(3) x(2) x(1) x(0)]=[1 1 1 0 1 1 0]である、ステップと、
前記第１の同期シーケンスに基づいて同期信号識別ＮＩＤを取得するステップと
を含む同期信号受信方法。
【請求項１０】
前記第１の同期シーケンスは第３の同期シーケンスセットの任意のシーケンスの巡回シフトであり、前記第３の同期シーケンスセットの前記任意のシーケンスは、
【数１４】
2021533689.tif 000252
を満たし、ここで
x(i+7)=(x(i+4)+x(i))mod2、
【数１５】
2021533689.tif 000253
、および
[x(6) x(5) x(4) x(3) x(2) x(1) x(0)]=[1 1 1 0 1 1 0]である請求項９に記載の方法。
【請求項１１】
前記第１の同期シーケンスは前記第３の同期シーケンスセットの前記任意のシーケンスと異なる請求項１０に記載の方法。
【請求項１２】
第２の同期シーケンスに対応する第２の同期信号を受信するステップであって、前記第２の同期シーケンスは、
【数１６】
2021533689.tif 000254
を満たし、ここで、０≦ｎ＜１２７、および
【数１７】
2021533689.tif 000255
であり、ここで、
【数１８】
2021533689.tif 000256
であり、Θは非ゼロ整数である、ステップをさらに含み、
前記第１の同期シーケンスに基づいて同期信号識別ＮＩＤを取得する前記ステップは、
前記第１の同期シーケンスおよび前記第２の同期シーケンスに基づいて前記同期信号識別ＮＩＤを取得するステップを含む請求項９乃至１１のいずれか一項に記載の方法。
【請求項１３】
前記第２の同期シーケンスに対応する生成多項式は、x0(i+7)=(x0(i+3)+x0(i))mod2を含み、ここで、ｘ０（０）からｘ０（６）は初期値であり、または
前記第２の同期シーケンスに対応する生成多項式は、x0(i+7)=(x0(i+4)+x0(i))mod2、x1(i+7)=(x1(i+1)+x1(i))mod2、および
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]である請求項１２に記載の方法。
【請求項１４】
前記第２の同期シーケンスは第４の同期シーケンスセットの任意のシーケンスと異なり、前記シーケンス
【数１９】
2021533689.tif 000257
の巡回シフトであり、および／もしくは前記シーケンス
【数２０】
2021533689.tif 000258
の巡回シフトであり、ならびに／または
前記第２の同期シーケンスに対応する前記生成多項式は、前記第４の同期シーケンスセットの前記任意のシーケンスに対応する前記生成多項式と異なり、
前記第４の同期シーケンスセットの前記任意のシーケンスは、
【数２１】
2021533689.tif 000259
を満たし、
前記第４の同期シーケンスセットの前記任意のシーケンスに対応する生成多項式は、x0(i+7)=(x0(i+4)+x0(i))mod2、x1(i+7)=(x1(i+1)+x1(i))mod2、
【数２２】
2021533689.tif 000260
、および
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]である請求項１３に記載の方法。
【請求項１５】
前記同期信号識別ＮＩＤに基づいて第１のデバイスのタイミング基準ソースを決定するステップをさらに含み、前記第１の同期信号および前記第２の同期信号は前記第１のデバイスから受信される請求項９乃至１４のいずれか一項に記載の方法。
【請求項１６】
前記第１の同期シーケンスおよび／または前記第２の同期シーケンスに基づいて同期信号識別ＮＩＤを取得する前記ステップは、
前記第１の同期信号および／または前記第２の同期信号に基づいて、第１の識別
【数２３】
2021533689.tif 000261
を決定するステップと、
前記第１の識別
【数２４】
2021533689.tif 000262
に基づいて、前記同期信号識別ＮＩＤを決定するステップであって、
【数２５】
2021533689.tif 000263
である、ステップと
を含む請求項９乃至１５のいずれか一項に記載の方法。
【請求項１７】
プロセッサと、前記プロセッサに結合されたメモリおよびトランシーバとを備える通信装置であって、
前記プロセッサは、第１の同期シーケンスを生成するように構成され、前記第１の同期シーケンスは、d1(n)=1-2x(m’)、
【数２６】
2021533689.tif 000264
、およびΔ＝２２を満たし、ここで
x(i+7)=(x(i+4)+x(i))mod2、および
[x(6) x(5) x(4) x(3) x(2) x(1) x(0)]=[1 1 1 0 1 1 0]であり、
前記トランシーバは、前記第１の同期シーケンスに対応する第１の同期信号を送信するように構成される、通信装置。
【請求項１８】
前記第１の同期シーケンスは第３の同期シーケンスセットの任意のシーケンスの巡回シフトであり、前記第３の同期シーケンスセットの前記任意のシーケンスは、
【数２７】
2021533689.tif 000265
を満たし、ここで
x(i+7)=(x(i+4)+x(i))mod2、
【数２８】
2021533689.tif 000266
、および
[x(6) x(5) x(4) x(3) x(2) x(1) x(0)]=[1 1 1 0 1 1 0]である請求項１７に記載の装置。
【請求項１９】
前記第１の同期シーケンスは前記第３の同期シーケンスセットの前記任意のシーケンスと異なる請求項１８に記載の装置。
【請求項２０】
前記プロセッサは第２の同期シーケンスを生成するようにさらに構成され、前記第２の同期シーケンスは、
【数２９】
2021533689.tif 000267
を満たし、ここで、０≦ｎ＜１２７、
【数３０】
2021533689.tif 000268
であり、ここで、
【数３１】
2021533689.tif 000269
であり、Θは非ゼロ整数であり、
前記トランシーバは、前記第２の同期シーケンスに対応する第２の同期信号を送信するようにさらに構成される請求項１７乃至１９のいずれか一項に記載の装置。
【請求項２１】
前記第２の同期シーケンスに対応する生成多項式は、x0(i+7)=(x0(i+3)+x0(i))mod2を含み、ここで、ｘ０（０）からｘ０（６）は初期値であり、または
前記第２の同期シーケンスに対応する生成多項式は、x0(i+7)=(x0(i+4)+x0(i))mod2、x1(i+7)=(x1(i+1)+x1(i))mod2、および
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]である請求項２０に記載の装置。
【請求項２２】
前記第２の同期シーケンスは第４の同期シーケンスセットの任意のシーケンスと異なり、前記シーケンス
【数３２】
2021533689.tif 000270
の巡回シフトであり、および／もしくは前記シーケンス
【数３３】
2021533689.tif 000271
の巡回シフトであり、ならびに／または
前記第２の同期シーケンスに対応する前記生成多項式は、前記第４の同期シーケンスセットの前記任意のシーケンスに対応する前記生成多項式と異なり、
前記第４の同期シーケンスセットの前記任意のシーケンスは、
【数３４】
2021533689.tif 000272
を満たし、
前記第４の同期シーケンスセットの前記任意のシーケンスに対応する生成多項式は、x0(i+7)=(x0(i+4)+x0(i))mod2、x1(i+7)=(x1(i+1)+x1(i))mod2、
【数３５】
2021533689.tif 000273
、および
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]である請求項２１に記載の装置。
【請求項２３】
前記プロセッサは、
同期信号識別セットから同期信号識別ＮＩＤを決定するようにさらに構成され、
前記プロセッサは、前記同期信号識別ＮＩＤに基づいて、第１の識別
【数３６】
2021533689.tif 000274
を決定するようにさらに構成され、ここで
【数３７】
2021533689.tif 000275
である請求項１７乃至２２のいずれか一項に記載の装置。
【請求項２４】
前記同期信号識別セットは、１つまたは複数のサブセットを含み、前記１つまたは複数のサブセットの各サブセットは、個別に以下の情報、
前記第１のデバイスのタイミング基準が、ネットワークデバイスであること、
前記第１のデバイスの前記タイミング基準が、タイミング基準としてネットワークデバイスを使用する第２のデバイスであること、
前記第１のデバイスの前記タイミング基準が、衛星であること、
前記第１のデバイスの前記タイミング基準が、タイミング基準として衛星を使用する第２のデバイスであること、および
前記第１のデバイスの前記タイミング基準が、前記第１のデバイス自体である、またはネットワークデバイスもしくは衛星と同期されない第２のデバイスであること
のうちの少なくとも１つを示す請求項２３に記載の装置。
【請求項２５】
プロセッサと、前記プロセッサに結合されたメモリおよびトランシーバとを備える通信装置であって、
前記トランシーバは、第１の同期シーケンスに対応する第１の同期信号を受信するように構成され、前記第１の同期シーケンスは、
d1(n)=1-2x(m’)、
【数３８】
2021533689.tif 000276
、およびΔ＝２２を満たし、ここで
x(i+7)=(x(i+4)+x(i))mod2、および
[x(6) x(5) x(4) x(3) x(2) x(1) x(0)]=[1 1 1 0 1 1 0]であり、
前記プロセッサは、前記第１の同期シーケンスに基づいて同期信号識別ＮＩＤを取得するように構成される、通信装置。
【請求項２６】
前記第１の同期シーケンスは第３の同期シーケンスセットの任意のシーケンスの巡回シフトであり、前記第３の同期シーケンスセットの前記任意のシーケンスは、
【数３９】
2021533689.tif 000277
を満たし、ここで
x(i+7)=(x(i+4)+x(i))mod2、
【数４０】
2021533689.tif 000278
、および
[x(6) x(5) x(4) x(3) x(2) x(1) x(0)]=[1 1 1 0 1 1 0]である請求項２５に記載の装置。
【請求項２７】
前記第１の同期シーケンスは前記第３の同期シーケンスセットの前記任意のシーケンスと異なる請求項２６に記載の装置。
【請求項２８】
前記トランシーバは、第２の同期シーケンスに対応する第２の同期信号を生成するようにさらに構成され、前記第２の同期シーケンスは、
【数４１】
2021533689.tif 000279
を満たし、ここで、０≦ｎ＜１２７、および
【数４２】
2021533689.tif 000280
であり、ここで、
【数４３】
2021533689.tif 000281
であり、Θは非ゼロ整数であり、
前記プロセッサは、前記第１の同期シーケンスおよび前記第２の同期シーケンスに基づいて同期信号識別ＮＩＤを取得するようにさらに構成される請求項２５乃至２７のいずれか一項に記載の装置。
【請求項２９】
前記第２の同期シーケンスに対応する生成多項式は、x0(i+7)=(x0(i+3)+x0(i))mod2を含み、ここで、ｘ０（０）からｘ０（６）は初期値であり、または
前記第２の同期シーケンスに対応する生成多項式は、x0(i+7)=(x0(i+4)+x0(i))mod2、x1(i+7)=(x1(i+1)+x1(i))mod2、および
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]である請求項２８に記載の装置。
【請求項３０】
前記第２の同期シーケンスは第４の同期シーケンスセットの任意のシーケンスと異なり、前記シーケンス
【数４４】
2021533689.tif 000282
の巡回シフトであり、および／もしくは前記シーケンス
【数４５】
2021533689.tif 000283
の巡回シフトであり、ならびに／または
前記第２の同期シーケンスに対応する前記生成多項式は、前記第４の同期シーケンスセットの前記任意のシーケンスに対応する前記生成多項式と異なり、
前記第４の同期シーケンスセットの前記任意のシーケンスは、
【数４６】
2021533689.tif 000284
を満たし、
前記第４の同期シーケンスセットの前記任意のシーケンスに対応する生成多項式は、x0(i+7)=(x0(i+4)+x0(i))mod2、x1(i+7)=(x1(i+1)+x1(i))mod2、
【数４７】
2021533689.tif 000285
、および
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]である請求項２９に記載の装置。
【請求項３１】
前記プロセッサは、前記同期信号識別ＮＩＤに基づいて前記第１のデバイスのタイミング基準ソースを決定するようにさらに構成される請求項２５乃至３０のいずれか一項に記載の装置。
【請求項３２】
前記プロセッサは、前記第１の同期信号および／または前記第２の同期信号に基づいて、第１の識別
【数４８】
2021533689.tif 000286
を決定するように構成され、
前記プロセッサは、前記第１の識別
【数４９】
2021533689.tif 000287
に基づいて、前記同期信号識別ＮＩＤを決定するように構成され、ここで、
【数５０】
2021533689.tif 000288
である請求項２５乃至３１のいずれか一項に記載の装置。
【請求項３３】
請求項１乃至８のいずれか一項に記載の方法を実行するように適合された手段を備える、装置。
【請求項３４】
請求項９乃至１６のいずれか一項に記載の方法を実行するように適合された手段を備える、装置。
【請求項３５】
命令を含むコンピュータ記憶媒体であって、前記命令がコンピュータ上で実行されたとき、前記コンピュータは、請求項１乃至８のいずれか一項に記載の方法を実行することを可能にされる、コンピュータ記憶媒体。
【請求項３６】
命令を含むコンピュータ記憶媒体であって、前記命令がコンピュータ上で実行されたとき、前記コンピュータは、請求項９乃至１６のいずれか一項に記載の方法を実行することを可能にされる、コンピュータ記憶媒体。
【手続補正２】
【補正対象書類名】明細書
【補正対象項目名】全文
【補正方法】変更
【補正の内容】
【発明の詳細な説明】
【技術分野】
【０００１】
本出願の実施形態は、通信分野に関し、特に同期信号送信方法および装置に関する。
【背景技術】
【０００２】
本出願は、２０１８年８月１０日に中国国家知識産権局に出願された「ＳＹＮＣＨＲＯＮＩＺＡＴＩＯＮ  ＳＩＧＮＡＬ  ＴＲＡＮＳＭＩＳＳＩＯＮ  ＭＥＴＨＯＤ  ＡＮＤ  ＡＰＰＡＲＡＴＵＳ」という名称の中国特許出願第２０１８１０９１１１５７．８号の優先権を主張するものであり、その全体が参照により本明細書に組み込まれている。
【０００３】
デバイス間（Ｄｅｖｉｃｅ  ｔｏ  Ｄｅｖｉｃｅ、Ｄ２Ｄ）通信、車車間（Ｖｅｈｉｃｌｅ  ｔｏ  Ｖｅｈｉｃｌｅ、Ｖ２Ｖ）通信、歩車間（Ｖｅｈｉｃｌｅ  ｔｏ  Ｐｅｄｅｓｔｒｉａｎ、Ｖ２Ｐ）通信、または路車間／ネットワーク（Ｖｅｈｉｃｌｅ  ｔｏ  Ｉｎｆｒａｓｔｒｕｃｔｕｒｅ／Ｎｅｔｗｏｒｋ、Ｖ２Ｉ／Ｎ）通信は、端末デバイス（ｔｅｒｍｉｎａｌ  ｄｅｖｉｃｅ）間の直接通信の技術である。Ｖ２Ｖ、Ｖ２Ｐ、およびＶ２Ｉ／Ｎは、総称してＶ２Ｘ（ｖｅｈｉｃｌｅ  ｔｏ  ｅｖｅｒｙｔｈｉｎｇ、Ｖ２Ｘ）、すなわち車両とすべてのものとの間の通信と呼ばれる。
【０００４】
Ｄ２ＤまたはＶ２Ｘ通信の基本要件は、通信する必要がある端末デバイスの間の同期を実施することである。端末デバイス間の同期信号は、セルラリンク上の同期信号によって干渉されることがある。さらに、Ｄ２ＤまたはＶ２Ｘデバイスの間の同期信号がセルラリンク上の同期信号の送信に干渉することもある。結果として、デバイス間の同期性能が低下する。
【発明の概要】
【０００５】
本出願の実施形態は、同期信号送信および受信方法ならびに同期信号送信および受信装置を提供して、デバイス間の同期性能を改善する。
【０００６】
第１の態様によれば、本出願の実施形態は同期信号送信方法を提供する。第１のデバイスが第１の同期シーケンスおよび／または第２の同期シーケンスを生成し、第１の同期シーケンスは第３の同期シーケンスセットの任意のシーケンスと異なり、および／または第２の同期シーケンスは第４の同期シーケンスセットの任意のシーケンスと異なり、第３の同期シーケンスセットの任意のシーケンスは、
【０００７】
【数１】
2021533689.tif 000289
【０００８】
[x(6) x(5) x(4) x(3) x(2) x(1) x(0)]=[1 1 1 0 1 1 0]であり、
第４の同期シーケンスセットの任意のシーケンスは、
【０００９】
【数２】
2021533689.tif 000290
【００１０】
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]であり、
第１のデバイスは、第１の同期シーケンスに対応する第１の同期信号および／または第２の同期シーケンスに対応する第２の同期信号を送信する。
【００１１】
本出願のこの実施形態で提供される方法を使用することによって得られる同期シーケンスは、５Ｇ  ＮＲシステムにおける同期シーケンスセットの任意の同期シーケンスと異なることが可能であり、それにより、別のソース同期デバイスの同期信号と、ＮＲシステムにおけるＵｕリンク上の同期信号との間の干渉を効果的に低減する。このようにして、デバイス間の同期性能が改善される。
【００１２】
可能な設計において、第１の同期シーケンスが第３の同期シーケンスセットの任意のシーケンスと異なることは、第１の同期シーケンスが、第３の同期シーケンスセットの任意のシーケンスの巡回シフトであること、および／または第１の同期シーケンスに対応する生成多項式が、第３の同期シーケンスセットの任意のシーケンスに対応する生成多項式と異なることを含む。
【００１３】
可能な設計において、第１の同期シーケンスは、d1(n)=1-2x(m’)を満たし、ここで、
【００１４】
【数３】
2021533689.tif 000291
【００１５】
であり、Δは非ゼロ整数である。
【００１６】
任意選択で、Δの値は、０よりも大きくＡよりも小さい。
【００１７】
任意選択で、
【００１８】
【数４】
2021533689.tif 000292
【００１９】
であり、ここで、Ｒは正の整数であり、
【００２０】
【数５】
2021533689.tif 000293
【００２１】
任意選択で、Δ＝２１またはΔ＝２２である。
【００２２】
任意選択で、Δはシグナリングによって示され、またはΔは予め定義される。
【００２３】
任意選択で、第１の同期シーケンスに対応する生成多項式は、x(i+7)=(x(i+4)+x(i))mod2であり、ここで、x(0)からx(6)は初期値である。
【００２４】
可能な設計において、第１の同期シーケンスに対応する生成多項式が、第３の同期シーケンスセットの任意のシーケンスに対応する生成多項式と異なることは、第１の同期シーケンスに対応する生成多項式が、
【００２５】
【数６】
2021533689.tif 000294
【００２６】
であり、ここで、[K6,K5,K4,K3,K2,K1,K0]≠[0,0,1,0,0,0,1]であり、Ｋｎは整数であり、x(0)からx(6)は初期値であることを含む。
【００２７】
可能な設計において、第１の同期シーケンスに対応する生成多項式は、x(i+7)=(x(i+1)+x(i))mod2である。
【００２８】
可能な設計において、第２の同期シーケンスは、
【００２９】
【数７】
2021533689.tif 000295
【００３０】
を満たし、ここで、０≦ｎ＜１２７であり、
【００３１】
第２の同期シーケンスが第４の同期シーケンスセットの任意のシーケンスと異なることは、
【００３２】
【数８】
2021533689.tif 000296
【００３３】
の巡回シフトであること、および／もしくは
【００３４】
【数９】
2021533689.tif 000297
【００３５】
の巡回シフトであること、ならびに／または第２の同期シーケンスに対応する生成多項式が、第４の同期シーケンスセットの任意のシーケンスに対応する生成多項式と異なることを含む。
【００３６】
可能な設計において、第２の同期シーケンスは、
【００３７】
【数１０】
2021533689.tif 000298
【００３８】
であり、Θは非ゼロ整数である。
【００３９】
任意選択で、Θ≧４５、またはΘはゼロより大きく、かつ５の整数倍ではない、またはΘは４５以上であり、かつ５の整数倍である。
【００４０】
任意選択で、Θ＝４５である。
【００４１】
任意選択で、Θはシグナリングによって示され、またはΘは予め定義される。
【００４２】
可能な設計において、第２の同期シーケンスに対応する生成多項式は、x0(i+7)=(x0(i+3)+x0(i))mod2を含み、ここで、ｘ０（０）からｘ０（６）は初期値である。
【００４３】
可能な設計において、第２の同期シーケンスに対応する生成多項式は、
x1(i+7)=(x1(i+3)+x1(i+2)+x1(i+1)+x1(i))mod2を含み、ここで、x1(0)からx1(6)は初期値である。
【００４４】
任意選択で、第２の同期シーケンスに対応する生成多項式は、x0(i+7)=(x0(i+4)+x0(i))mod2、およびx1(i+7)=(x1(i+1)+x1(i))mod2であり、ここで、x0(0)からx0(6)は初期値であり、x1(0)からx1(6)は初期値である。
【００４５】
可能な設計において、上記方法は、同期信号識別子セットから同期信号識別子ＮＩＤを決定するステップと、同期信号識別子ＮＩＤに基づいて、
【００４６】
【数１１】
2021533689.tif 000299
【００４７】
を決定するステップであって、
【００４８】
【数１２】
2021533689.tif 000300
【００４９】
である、ステップとをさらに含む。
【００５０】
可能な設計において、同期信号識別子セットは、１つまたは複数のサブセットを含み、サブセットにおける同期信号識別子は、以下の情報、
第１のデバイスのタイミング基準が、ネットワークデバイスであること、
第１のデバイスのタイミング基準が、タイミングパラメータとしてネットワークデバイスを使用する第２のデバイスであること、
第１のデバイスのタイミング基準が、衛星であること、
第１のデバイスのタイミング基準が、タイミングパラメータとして衛星を使用する第２のデバイスであること、および
第１のデバイスのタイミング基準が、第１のデバイス自体である、またはネットワークデバイスもしくは衛星と同期されない第２のデバイスであること
のうちの少なくとも１つを示す。
【００５１】
第２の態様によれば、本出願の実施形態は、第２のデバイスに適用される同期信号受信方法を提供する。この方法は、第１の同期シーケンスに対応する第１の同期信号および／または第２の同期シーケンスに対応する第２の同期信号を受信するステップであって、第１の同期シーケンスは第３の同期シーケンスセットの任意のシーケンスと異なり、および／または第２の同期シーケンスは第４の同期シーケンスセットの任意のシーケンスと異なり、第３の同期シーケンスセットの任意のシーケンスは、
【００５２】
【数１３】
2021533689.tif 000301
【００５３】
[x(6) x(5) x(4) x(3) x(2) x(1) x(0)]=[1 1 1 0 1 1 0]であり、
第４の同期シーケンスセットの任意のシーケンスは、
【００５４】
【数１４】
2021533689.tif 000302
【００５５】
[x0(6) x0(5) x0(4) x0(3) x0(2) x0(1) x0(0)]=[0 0 0 0 0 0 1]、および
[x1(6) x1(5) x1(4) x1(3) x1(2) x1(1) x1(0)]=[0 0 0 0 0 0 1]である、ステップと、
第１の同期シーケンスおよび／または第２の同期シーケンスに基づいて、同期信号識別子ＮＩＤを取得するステップと
を含む。
【００５６】
可能な設計において、第１の同期シーケンスが第３の同期シーケンスセットの任意のシーケンスと異なることは、第１の同期シーケンスが、第３の同期シーケンスセットの任意のシーケンスの巡回シフトであること、および／または第１の同期シーケンスに対応する生成多項式が、第３の同期シーケンスセットの任意のシーケンスに対応する生成多項式と異なることを含む。
【００５７】
可能な設計において、第１の同期シーケンスは、d1(n)=1-2x(m’)を満たし、ここで、
【００５８】
【数１５】
2021533689.tif 000303
【００５９】
であり、Δは非ゼロ整数である。
【００６０】
任意選択で、Δの値は、０よりも大きく４３よりも小さい。
【００６１】
任意選択で、
【００６２】
【数１６】
2021533689.tif 000304
【００６３】
であり、ここで、Ｒは正の整数であり、
【００６４】
【数１７】
2021533689.tif 000305
【００６５】
任意選択で、Δ＝２１またはΔ＝２２である。
【００６６】
任意選択で、Δはシグナリングによって示され、またはΔは予め定義される。
【００６７】
可能な設計において、第１の同期シーケンスに対応する生成多項式は、x(i+7)=(x(i+4)+x(i))mod2であり、ここで、ｘ（０）からｘ（６）は初期値である。
【００６８】
可能な設計において、第１の同期シーケンスに対応する生成多項式が、第３の同期シーケンスセットの任意のシーケンスに対応する生成多項式と異なることは、第１の同期シーケンスに対応する生成多項式が、
【００６９】
【数１８】
2021533689.tif 000306
【００７０】
であり、ここで、[K6,K5,K4,K3,K2,K1,K0]≠[0,0,1,0,0,0,1]であり、Ｋｎは整数であり、ｘ（０）からｘ（６）は初期値であることを含む。
【００７１】
可能な設計において、第１の同期シーケンスに対応する生成多項式は、x(i+7)=(x(i+1)+x(i))mod2である。
【００７２】
可能な設計において、第２の同期シーケンスは、
【００７３】
【数１９】
2021533689.tif 000307
【００７４】
を満たし、ここで、０≦ｎ＜１２７であり、
第２の同期シーケンスが第４の同期シーケンスセットの任意のシーケンスと異なることは、
【００７５】
2021533689.tif 000308
【００７６】
の巡回シフトであること、および／もしくは
【００７７】
【数２０】
2021533689.tif 000309
【００７８】
の巡回シフトであること、ならびに／または第２の同期シーケンスに対応する生成多項式が、第４の同期シーケンスセットの任意のシーケンスに対応する生成多項式と異なることを含む。
【００７９】
可能な設計において、第２の同期シーケンスは、
【００８０】
【数２１】
2021533689.tif 000310
【００８１】
であり、Θは非ゼロ整数である。
【００８２】
任意選択で、Θ≧４５、またはΘはゼロより大きく、かつ５の整数倍ではない、またはΘは４５以上であり、かつ５の整数倍である。
【００８３】
任意選択で、Θ＝４５である。
【００８４】
任意選択で、Θはシグナリングによって示され、またはΘは予め定義される。
【００８５】
可能な設計において、第２の同期シーケンスに対応する生成多項式が、第４の同期シーケンスセットの任意のシーケンスに対応する生成多項式と異なることは、第２の同期シーケンスに対応する生成多項式が、x0(i+7)=(x0(i+3)+x0(i))mod2を含み、ここで、ｘ０（０）からｘ０（６）は初期値であることを含む。
【００８６】
可能な設計において、第２の同期シーケンスに対応する生成多項式が、第４の同期シーケンスセットの任意のシーケンスに対応する生成多項式と異なることは、第２の同期シーケンスに対応する生成多項式が、x1(i+7)=(x1(i+3)+x1(i+2)+x1(i+1)+x1(i))mod2を含み、ここで、ｘ１（０）からｘ１（６）は初期値であることを含む。
【００８７】
可能な設計において、第２の同期シーケンスに対応する生成多項式は、x0(i+7)=(x0(i+4)+x0(i))mod2、およびx1(i+7)=(x1(i+1)+x1(i))mod2であり、ここで、ｘ０（０）からｘ０（６）は初期値であり、ｘ１（０）からｘ１（６）は初期値である。
【００８８】
可能な設計において、上記方法は、同期信号識別子ＮＩＤに基づいて第１のデバイスのタイミング基準ソースを決定するステップをさらに含む。
【００８９】
可能な設計において、第１の同期シーケンスおよび／または第２の同期シーケンスに基づいて同期信号識別子ＮＩＤを取得するステップは、第１の同期信号および／または第２の同期信号に基づいて、
【００９０】
【数２２】
2021533689.tif 000311
【００９１】
を決定するステップと、
【００９２】
【数２３】
2021533689.tif 000312
【００９３】
に基づいて、同期信号識別子ＮＩＤを決定するステップであって、
【００９４】
【数２４】
2021533689.tif 000313
【００９５】
である、ステップとを含む。
【００９６】
第３の態様によれば、本発明の実施形態は同期信号送信装置を提供する。装置は、プロセッサと、プロセッサに結合されたメモリおよびトランシーバとを備える。
【００９７】
プロセッサは、第１の同期シーケンスおよび／または第２の同期シーケンスを生成するように構成され、第１の同期シーケンスは第３の同期シーケンスセットの任意のシーケンスと異なり、および／または第２の同期シーケンスは第４の同期シーケンスセットの任意のシーケンスと異なり、第３の同期シーケンスセットの任意のシーケンスは、
【００９８】
【数２５】
2021533689.tif 000314
【００９９】
[x(6) x(5) x(4) x(3) x(2) x(1) x(0)]=[1 1 1 0 1 1 0]であり、
第４の同期シーケンスセットの任意のシーケンスは、
【０１００】
【数２６】
2021533689.tif 000315
【０１０１】
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]であり、
トランシーバは、第１の同期シーケンスに対応する第１の同期信号および／または第２の同期シーケンスに対応する第２の同期信号を送信するように構成される。
【０１０２】
可能な設計において、第１の同期シーケンスが第３の同期シーケンスセットの任意のシーケンスと異なることは、第１の同期シーケンスが、第３の同期シーケンスセットの任意のシーケンスの巡回シフトであること、および／または第１の同期シーケンスに対応する生成多項式が、第３の同期シーケンスセットの任意のシーケンスに対応する生成多項式と異なることを含む。
【０１０３】
可能な設計において、第１の同期シーケンスは、d1(n)=1-2x(m’)を満たし、ここで、
【０１０４】
【数２７】
2021533689.tif 000316
【０１０５】
であり、Δは非ゼロ整数である。
【０１０６】
任意選択で、Δの値は、０よりも大きくＡよりも小さい。
【０１０７】
任意選択で、
【０１０８】
【数２８】
2021533689.tif 000317
【０１０９】
であり、ここで、Ｒは正の整数であり、
【０１１０】
【数２９】
2021533689.tif 000318
【０１１１】
任意選択で、Δ＝２１またはΔ＝２２である。
【０１１２】
任意選択で、Δはシグナリングによって示され、またはΔは予め定義される。
【０１１３】
可能な設計において、第１の同期シーケンスに対応する生成多項式は、x(i+7)=(x(i+4)+x(i))mod2であり、ここで、ｘ（０）からｘ（６）は初期値である。
【０１１４】
可能な設計において、第１の同期シーケンスに対応する生成多項式が、第３の同期シーケンスセットの任意のシーケンスに対応する生成多項式と異なることは、
第１の同期シーケンスに対応する生成多項式が、
【０１１５】
【数３０】
2021533689.tif 000319
【０１１６】
であり、ここで、[K6,K5,K4,K3,K2,K1,K0]≠[0,0,1,0,0,0,1]であり、Ｋｎは整数であり、ｘ（０）からｘ（６）は初期値であることを含む。
【０１１７】
可能な設計において、第１の同期シーケンスに対応する生成多項式は、x(i+7)=(x(i+1)+x(i))mod2である。
【０１１８】
可能な設計において、第２の同期シーケンスは、
【０１１９】
【数３１】
2021533689.tif 000320
【０１２０】
を満たし、ここで、０≦ｎ＜１２７であり、
第２の同期シーケンスが第４の同期シーケンスセットの任意のシーケンスと異なることは、
【０１２１】
【数３２】
2021533689.tif 000321
【０１２２】
の巡回シフトであること、および／もしくは
【０１２３】
【数３３】
2021533689.tif 000322
【０１２４】
の巡回シフトであること、ならびに／または第２の同期シーケンスに対応する生成多項式が、第４の同期シーケンスセットの任意のシーケンスに対応する生成多項式と異なることを含む。
【０１２５】
可能な設計において、第２の同期シーケンスは、
【０１２６】
【数３４】
2021533689.tif 000323
【０１２７】
であり、Θは非ゼロ整数である。
【０１２８】
任意選択で、Θ≧４５、またはΘはゼロより大きく、かつ５の整数倍ではない、またはΘは４５以上であり、かつ５の整数倍である。
【０１２９】
任意選択で、Θ＝４５である。
【０１３０】
任意選択で、Θはシグナリングによって示され、またはΘは予め定義される。
【０１３１】
可能な設計において、第２の同期シーケンスに対応する生成多項式が、第４の同期シーケンスセットの任意のシーケンスに対応する生成多項式と異なることは、第２の同期シーケンスに対応する生成多項式が、x0(i+7)=(x0(i+3)+x0(i))mod2を含み、ここで、ｘ０（０）からｘ０（６）は初期値であることを含む。
【０１３２】
可能な設計において、第２の同期シーケンスに対応する生成多項式が、第４の同期シーケンスセットの任意のシーケンスに対応する生成多項式と異なることは、
第２の同期シーケンスに対応する生成多項式が、
x1(i+7)=(x1(i+3)+x1(i+2)+x1(i+1)+x1(i))mod2を含み、ここで、ｘ１（０）からｘ１（６）は初期値であることを含む。
【０１３３】
可能な設計において、第２の同期シーケンスに対応する生成多項式は、x0(i+7)=(x0(i+4)+x0(i))mod2、およびx1(i+7)=(x1(i+1)+x1(i))mod2であり、ここで、ｘ０（０）からｘ０（６）は初期値であり、ｘ１（０）からｘ１（６）は初期値である。
【０１３４】
可能な設計において、プロセッサは、同期信号識別子セットから同期信号識別子ＮＩＤを決定するようにさらに構成される。プロセッサは、同期信号識別子ＮＩＤに基づいて、
【０１３５】
【数３５】
2021533689.tif 000324
【０１３６】
を決定するようにさらに構成され、
【０１３７】
【数３６】
2021533689.tif 000325
【０１３８】
である。
【０１３９】
可能な設計において、同期信号識別子セットは、１つまたは複数のサブセットを含み、サブセットにおける同期信号識別子は、以下の情報、
第１のデバイスのタイミング基準が、ネットワークデバイスであること、
第１のデバイスのタイミング基準が、タイミングパラメータとしてネットワークデバイスを使用する第２のデバイスであること、
第１のデバイスのタイミング基準が、衛星であること、
第１のデバイスのタイミング基準が、タイミングパラメータとして衛星を使用する第２のデバイスであること、および
第１のデバイスのタイミング基準が、第１のデバイス自体である、またはネットワークデバイスもしくは衛星と同期されない第２のデバイスであること
のうちの少なくとも１つを示す。
【０１４０】
第４の態様によれば、本発明の実施形態は同期信号受信装置を提供する。装置は、プロセッサと、プロセッサに結合されたメモリおよびトランシーバとを備える。
【０１４１】
トランシーバは、第１の同期シーケンスに対応する第１の同期信号および／または第２の同期シーケンスに対応する第２の同期信号を受信するように構成され、第１の同期シーケンスは第３の同期シーケンスセットの任意のシーケンスと異なり、および／または第２の同期シーケンスは第４の同期シーケンスセットの任意のシーケンスと異なり、第３の同期シーケンスセットの任意のシーケンスは、
【０１４２】
【数３７】
2021533689.tif 000326
【０１４３】
[x(6) x(5) x(4) x(3) x(2) x(1) x(0)]=[1 1 1 0 1 1 0]であり、
第４の同期シーケンスセットの任意のシーケンスは、
【０１４４】
【数３８】
2021533689.tif 000327
【０１４５】
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]であり、
プロセッサは、第１の同期シーケンスおよび／または第２の同期シーケンスに基づいて、同期信号識別子ＮＩＤを取得するように構成される。
【０１４６】
可能な設計において、第１の同期シーケンスが第３の同期シーケンスセットの任意のシーケンスと異なることは、第１の同期シーケンスが、第３の同期シーケンスセットの任意のシーケンスの巡回シフトであること、および／または第１の同期シーケンスに対応する生成多項式が、第３の同期シーケンスセットの任意のシーケンスに対応する生成多項式と異なることを含む。
【０１４７】
可能な設計において、第１の同期シーケンスは、d1(n)=1-2x(m’)を満たし、ここで、
【０１４８】
【数３９】
2021533689.tif 000328
【０１４９】
であり、Δは非ゼロ整数である。
【０１５０】
任意選択で、Δの値は、０よりも大きく４３よりも小さい。
【０１５１】
任意選択で、
【０１５２】
【数４０】
2021533689.tif 000329
【０１５３】
であり、ここで、Ｒは正の整数であり、
【０１５４】
【数４１】
2021533689.tif 000330
【０１５５】
任意選択で、Δ＝２１またはΔ＝２２である。
【０１５６】
任意選択で、Δはシグナリングによって示され、またはΔは予め定義される。
【０１５７】
可能な設計において、第１の同期シーケンスに対応する生成多項式は、x(i+7)=(x(i+4)+x(i))mod2であり、ここで、ｘ（０）からｘ（６）は初期値である。
【０１５８】
可能な設計において、第１の同期シーケンスに対応する生成多項式が、第３の同期シーケンスセットの任意のシーケンスに対応する生成多項式と異なることは、第１の同期シーケンスに対応する生成多項式が、
【０１５９】
【数４２】
2021533689.tif 000331
【０１６０】
であり、ここで、[K6,K5,K4,K3,K2,K1,K0]≠[0,0,1,0,0,0,1]であり、Ｋｎは整数であり、ｘ（０）からｘ（６）は初期値であることを含む。
【０１６１】
可能な設計において、第１の同期シーケンスに対応する生成多項式は、x(i+7)=(x(i+1)+x(i))mod2である。
【０１６２】
可能な設計において、第２の同期シーケンスは、
【０１６３】
【数４３】
2021533689.tif 000332
【０１６４】
を満たし、ここで、０≦ｎ＜１２７であり、
第２の同期シーケンスが第４の同期シーケンスセットの任意のシーケンスと異なることは、
【０１６５】
【数４４】
2021533689.tif 000333
【０１６６】
の巡回シフトであること、および／もしくは
【０１６７】
【数４５】
2021533689.tif 000334
【０１６８】
の巡回シフトであること、ならびに／または第２の同期シーケンスに対応する生成多項式が、第４の同期シーケンスセットの任意のシーケンスに対応する生成多項式と異なることを含む。
【０１６９】
可能な設計において、第２の同期シーケンスは、
【０１７０】
【数４６】
2021533689.tif 000335
【０１７１】
であり、Θは非ゼロ整数である。
【０１７２】
任意選択で、Θ≧４５、またはΘはゼロより大きく、かつ５の整数倍ではない、またはΘは４５以上であり、かつ５の整数倍である。
【０１７３】
任意選択で、Θ＝４５である。
【０１７４】
任意選択で、Θはシグナリングによって示され、またはΘは予め定義される。
【０１７５】
可能な設計において、第２の同期シーケンスに対応する生成多項式が、第４の同期シーケンスセットの任意のシーケンスに対応する生成多項式と異なることは、第２の同期シーケンスに対応する生成多項式が、x0(i+7)=(x0(i+3)+x0(i))mod2を含み、ここで、ｘ０（０）からｘ０（６）は初期値であることを含む。
【０１７６】
可能な設計において、第２の同期シーケンスに対応する生成多項式が、第４の同期シーケンスセットの任意のシーケンスに対応する生成多項式と異なることは、
第２の同期シーケンスに対応する生成多項式が、x1(i+7)=(x1(i+3)+x1(i+2)+x1(i+1)+x1(i))mod2を含み、ここで、ｘ１（０）からｘ１（６）は初期値であることを含む。
【０１７７】
可能な設計において、第２の同期シーケンスに対応する生成多項式は、x0(i+7)=(x0(i+4)+x0(i))mod2、およびx1(i+7)=(x1(i+1)+x1(i))mod2であり、ここで、ｘ０（０）からｘ０（６）は初期値であり、ｘ１（０）からｘ１（６）は初期値である。
【０１７８】
可能な設計において、プロセッサは、同期信号識別子ＮＩＤに基づいて第１のデバイスのタイミング基準ソースを決定するようにさらに構成される。
【０１７９】
可能な設計において、プロセッサが、第１の同期情報および／または第２の同期情報に基づいて同期信号識別子ＮＩＤを取得するように構成されることは、
プロセッサが、第１の同期信号および／または第２の同期信号に基づいて、
【０１８０】
【数４７】
2021533689.tif 000336
【０１８１】
を決定するように構成されることと、
プロセッサが、
【０１８２】
【数４８】
2021533689.tif 000337
【０１８３】
に基づいて、同期信号識別子ＮＩＤを決定するように構成され、ここで、
【０１８４】
【数４９】
2021533689.tif 000338
【０１８５】
であることとを含む。
【０１８６】
上述の態様において、第１のデバイスは、端末デバイス、ネットワークデバイス、または端末デバイスもしくはネットワークデバイス内にあり上述の方法を実行する装置であってよい。
【０１８７】
上述の態様において、第２のデバイスは、端末デバイス、ネットワークデバイス、または端末デバイスもしくはネットワークデバイス内にあり上述の方法を実行する装置であってよい。
【０１８８】
第５の態様によれば、通信装置が提供される。通信装置は、上述の方法における第１のデバイスまたは第２のデバイスの挙動の機能を実行するように構成される。機能は、ハードウェアによって実装されてよく、またはハードウェアが対応するソフトウェアを実行することによって実装されてよい。ハードウェアまたはソフトウェアは、上述の機能に対応する１つまたは複数のユニットを含む。
【０１８９】
第６の態様によれば、命令を含むコンピュータ記憶媒体が提供される。命令がコンピュータ上で実行されたとき、コンピュータは、上述の方法設計における第１のデバイスまたは第２のデバイスの挙動の機能を実行することを可能にされる。
【図面の簡単な説明】
【０１９０】
【図１】本出願の実施形態によるワイヤレス通信システムの概略アーキテクチャ図である。
【図２】本出願の実施形態によるネットワークデバイスの可能な概略構造図である。
【図３】本出願の実施形態による端末デバイスの可能な概略構造図である。
【図４】本出願の実施形態によるｍシーケンスに基づく異なる巡回シフト値間の間隔の概略図である。
【図５】本出願の実施形態による方法の概略シグナリング図である。
【発明を実施するための形態】
【０１９１】
以下では、本発明の実施形態において添付図面を参照して本発明の実施形態における技術的解決策を説明する。本発明の実施形態における技術的解決策または特徴は、矛盾が生じないときに相互に組み合わされてよいことに留意されたい。
【０１９２】
本発明の実施形態において、「１つ」は、単一の個体を意味するが、「１つ」は１つの個体のみが可能であって別の個体に適用できないことを示すものではない。たとえば、本発明の実施形態において、「１つの端末デバイス」は、端末デバイスを指し、「１つの端末デバイス」が１つの特定の端末デバイスにのみ適用できることを意味するものではない。用語「システム」および「ネットワーク」は、本出願において交換的に使用され得る。
【０１９３】
本出願における「実施形態」（もしくは「実装」）または「複数の実施形態」（もしくは「複数の実装」）への言及は、実施形態と共に説明される特定の特徴、構造、特性などが少なくとも１つの実施形態に含まれることを意味する。したがって、本明細書を通して現れる「実施形態において」または「本実施形態において」は、同じ実施形態を表すものではない。本発明の実施形態において、「１つ」は、単一の個体を意味するが、「１つ」は１つの個体のみが可能であって別の個体に適用できないことを示すものではない。たとえば、本発明の実施形態において、「１つの端末デバイス」は、端末デバイスを指し、「１つの端末デバイス」が１つの特定の端末デバイスにのみ適用できることを意味するものではない。用語「システム」および「ネットワーク」は、本出願において交換的に使用され得る。
【０１９４】
本出願における「実施形態」（もしくは「実装」）または「複数の実施形態」（もしくは「複数の実装」）への言及は、実施形態と共に説明される特定の特徴、構造、特性などが少なくとも１つの実施形態に含まれることを意味する。したがって、本明細書を通して現れる「実施形態において」または「本実施形態において」は、同じ実施形態を表すものではない。
【０１９５】
さらに、本発明の実施形態において、「Ａおよび／またはＢ」ならびに「ＡおよびＢの少なくとも１つ」の場合に使用される用語「および／または」ならびに「少なくとも１つ」は、３つのシナリオ、Ａが含まれるがＢは除外されるシナリオ、Ｂが含まれるがＡは除外されるシナリオ、および選択肢ＡとＢの両方が含まれるシナリオのいずれか１つを含む。別の例では、「Ａ、Ｂ、および／またはＣ」ならびに「Ａ、Ｂ、および／またはＣのうち少なくとも１つ」の場合に、この語句は６つのシナリオ、Ａが含まれるがＢとＣの両方は除外されるシナリオ、Ｂが含まれるがＡとＣの両方は除外されるシナリオ、Ｃが含まれるがＡとＢの両方は除外されるシナリオ、ＡとＢの両方が含まれるがＣは除外されるシナリオ、ＢとＣの両方が含まれるがＡは除外されるシナリオ、ＡとＣの両方が含まれるがＢは除外されるシナリオ、ならびに３つの選択肢Ａ、Ｂ、およびＣが含まれるシナリオのいずれか１つを含む。当業者および関連技術者に容易に理解されるように、本発明の実施形態において他のすべての類似の説明が上述の方式で理解できる。
【０１９６】
一般的なワイヤレス通信システムでは、通信デバイス間の通信のためのリンクを確立するために、まず同期が実施される必要がある。同期処理は、一般に、ソース同期デバイスが同期信号を送信し、同期される必要があるデバイスが同期信号を受信し復号して、ソース同期デバイスへの同期を実装することを含む。ワイヤレス通信システムは、様々な無線アクセス技術（ｒａｄｉｏ  ａｃｃｅｓｓ  ｔｅｃｈｎｏｌｏｇｙ、ＲＡＴ）、たとえば、符号分割多元接続（ｃｏｄｅ  ｄｉｖｉｓｉｏｎ  ｍｕｌｔｉｐｌｅ  ａｃｃｅｓｓ、ＣＤＭＡ）、時分割多元接続（ｔｉｍｅ  ｄｉｖｉｓｉｏｎ  ｍｕｌｔｉｐｌｅ  ａｃｃｅｓｓ、ＴＤＭＡ）、周波数分割多元接続（ｆｒｅｑｕｅｎｃｙ  ｄｉｖｉｓｉｏｎ  ｍｕｌｔｉｐｌｅ  ａｃｃｅｓｓ、ＦＤＭＡ）、直交周波数分割多元接続（ｏｒｔｈｏｇｏｎａｌ  ｆｒｅｑｕｅｎｃｙ−ｄｉｖｉｓｉｏｎ  ｍｕｌｔｉｐｌｅ  ａｃｃｅｓｓ、ＯＦＤＭＡ）、シングルキャリア周波数分割多元接続（ｓｉｎｇｌｅ  ｃａｒｒｉｅｒ  ＦＤＭＡ、ＳＣ−ＦＤＭＡ）、または別のシステムを適用するシステムであり得る。たとえば、ワイヤレス通信システムは、ロングタームエボリューション（ｌｏｎｇ  ｔｅｒｍ  ｅｖｏｌｕｔｉｏｎ、ＬＴＥ）システム、ＣＤＭＡシステム、広帯域符号分割多元接続（ｗｉｄｅｂａｎｄ  ＣＤＭＡ、ＷＣＤＭＡ）システム、移動通信用グローバルシステム（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ）システム、ワイヤレスローカルエリアネットワーク（ｗｉｒｅｌｅｓｓ  ｌｏｃａｌ  ａｒｅａ  ｎｅｔｗｏｒｋ、ＷＬＡＮ）システム、第５世代（５ｔｈ  Ｇｅｎｅｒａｔｉｏｎ、５Ｇ）新無線（Ｎｅｗ  Ｒａｄｉｏ、ＮＲ）システム、様々な発展型もしくは集中型システム、または未来志向通信技術システムであり得る。複数のワイヤレス通信システムが空間に存在するとき、または同じ通信システムが複数の異なるソース同期デバイスを含むとき、異なる同期信号が互いに干渉することがある。図１は、可能なシナリオを示す。このシナリオでは、１つのネットワークデバイス１０１、ならびに３つの端末デバイス１０２、１０３、および１０４が存在する。ネットワークデバイス１０１および端末デバイス１０３は、同じワイヤレス通信システムにおける２つの異なるソース同期デバイスである。たとえば、可能なシナリオにおいて、ネットワークデバイス１０１は、セルラネットワーク内の基地局であってよく、端末デバイス１０２、１０３、および１０４は、車載ワイヤレス通信デバイスまたは携帯電話などであってよい。端末デバイス１０２、１０３、および１０４は、基地局とワイヤレス通信を行ってよく、通信デバイス１０２、１０３、および１０４は、互いに直接通信を行ってもよい。図１では、ネットワークデバイス１０１は、同期信号２を端末デバイス１０２、１０３、および１０４に送信し、端末デバイス１０３は、同期信号１を端末デバイス１０２および１０４に送信する。端末デバイス１０２および１０４は、同期信号１および／または同期信号２の両方に対してブラインド検出を行う必要がある。同期信号１に使用される同期シーケンス１と同期信号２に使用される同期シーケンス２とが同���であるかまたは高度に相関される場合、端末デバイス１０２および１０４は同期信号１と同期信号２を区別することができないことがある。すなわち、同期信号１と同期信号２が互いに干渉する。さらに、端末デバイス１０２、１０３、および１０４のそれぞれとネットワークデバイス１０１との間の接続を確立すること、ならびに端末デバイス１０２および１０４のそれぞれと端末デバイス１０３との間の直接接続を確立することが影響を受けることがある。さらに、同じワイヤレス通信システムにおいて、異なるサービスをサポートする異なるソース同期デバイスの同期信号が互いに干渉することもあり、別のサービス（Ｕｕリンク以外）をサポートするソース同期デバイスの同期信号とセルラリンク上の同期信号とが互いに干渉することもある。図１に示されるように、端末デバイス１０２は同期信号３を送信する。同期信号１および同期信号３は、異なるデバイス間のリンクにおける異なる送信モードで使用され得る。たとえば、同期信号１が送信モード１に使用され、送信モード１はｅＭＢＢサービスに使用され、同期信号３が送信モード３に使用され、送信モード３は高度道路交通に関係付けられたＶ２Ｘセキュリティサービスに使用される。端末デバイス間のタイミング基準は異なることがある。この場合、同期信号１と同期信号２との間の潜在的な相互干渉が回避される必要もある。同様に、３つのタイプの信号、すなわち、同期信号１、同期信号２、および同期信号３の間の相互干渉も可能な限り回避される必要がある。そのため、本出願の実施形態は、デバイス間の同期性能を改善できる解決策を提供する。図１に示されるシナリオは例に過ぎず、本出願の解決策を限定することは意図されていないことを理解されたい。
【０１９７】
本出願の実施形態で言及されるネットワークデバイスは、無線アクセスネットワーク内に配備され、端末デバイスのためのワイヤレス通信機能を提供するように構成された装置である。ネットワークデバイスは、マクロ基地局、マイクロ基地局、中継局、もしくはアクセスポイントなどの基地局（Ｂａｓｅ  Ｓｔａｔｉｏｎ、ＢＳ）であってよく、または、街灯もしくは路側機（Ｒｏａｄ  Ｓｉｄｅ  Ｕｎｉｔ、ＲＳＵ）のような別の形態のデバイスであってよい。異なる無線アクセス技術を使用するシステムでは、ネットワークデバイス機能を有するデバイスの名前が異なることがある。たとえば、ネットワークデバイスは、第５世代５Ｇネットワークにおいてネットワークデバイスまたは基地局である。ロングタームエボリューション（Ｌｏｎｇ  Ｔｅｒｍ  Ｅｖｏｌｕｔｉｏｎ、ＬＴＥ）ネットワークでは、ネットワークデバイスは発展型ＮｏｄｅＢ（ｅｖｏｌｖｅｄ  ＮｏｄｅＢ、略してｅＮＢまたはｅＮｏｄｅＢ）と呼ばれる。第３世代（Ｔｈｉｒｄ  Ｇｅｎｅｒａｔｉｏｎ、３Ｇ）ネットワークでは、ネットワークデバイスはＮｏｄｅＢ（Ｎｏｄｅ  Ｂ）などと呼ばれる。代替として、ネットワークデバイスは、Ｖ２Ｖ通信における路側機（Ｒｏａｄ  Ｓｉｄｅ  Ｕｎｉｔ、ＲＳＵ）、または上記のネットワークデバイスもしくは基地局におけるチップもしくはシステムオンチップ（Ｓｙｓｔｅｍ  ｏｎ  Ｃｈｉｐ、ＳＯＣ）である。説明を容易にするために、本出願では、端末デバイスのためのワイヤレス通信機能を提供する上記の装置はネットワークデバイスと総称される。
【０１９８】
本出願で言及される端末デバイスは、ワイヤレス通信機能を有する様々なハンドヘルドデバイス、車載デバイス、ウェアラブルデバイス、およびコンピュータデバイス、もしくはワイヤレスモデムに接続された他の処理デバイスを含んでよく、または上記のデバイスにおけるユニット、コンポーネント、装置、チップ、もしくはＳＯＣであってよい。端末デバイスは、ワイヤレス通信デバイスと呼ばれることがあり、または移動局（ｍｏｂｉｌｅ  ｓｔａｔｉｏｎ、略してＭＳ）、端末（ｔｅｒｍｉｎａｌ）、もしくはユーザ機器（ｕｓｅｒ  ｅｑｕｉｐｍｅｎｔ、ＵＥ）などと呼ばれることがある。端末デバイスは、加入者ユニット（ｓｕｂｓｃｒｉｂｅｒ  ｕｎｉｔ）、セルラ電話（ｃｅｌｌｕｌａｒ  ｐｈｏｎｅ）、スマートフォン（ｓｍａｒｔ  ｐｈｏｎｅ）、ワイヤレスデータカード、携帯情報端末（ｐｅｒｓｏｎａｌ  ｄｉｇｉｔａｌ  ａｓｓｉｓｔａｎｔ、ＰＤＡ）コンピュータ、タブレットコンピュータ、モデム（ｍｏｄｅｍ）またはモデムプロセッサ（ｍｏｄｅｍ  ｐｒｏｃｅｓｓｏｒ）、ハンドヘルド（ｈａｎｄｈｅｌｄ）デバイス、ラップトップコンピュータ（ｌａｐｔｏｐ  ｃｏｍｐｕｔｅｒ）、ネットブック、コードレス電話（ｃｏｒｄｌｅｓｓ  ｐｈｏｎｅ）、ワイヤレスローカルループ（ｗｉｒｅｌｅｓｓ  ｌｏｃａｌ  ｌｏｏｐ、ＷＬＬ）局、Ｂｌｕｅｔｏｏｔｈデバイス、マシンタイプ通信（ｍａｃｈｉｎｅ  ｔｙｐｅ  ｃｏｍｍｕｎｉｃａｔｉｏｎ、ＭＴＣ）端末などを含み得る。説明を容易にするために、本出願では、これらは端末デバイスまたは略してＵＥと呼ばれる。
【０１９９】
端末デバイスは、ワイヤレス通信に使用される１つまたは複数のワイヤレス技術、たとえば、５Ｇ、ＬＴＥ、ＷＣＤＭＡ、ＣＤＭＡ、１Ｘ、時分割同期符号分割多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＳ−ＳＣＤＭＡ）、およびＧＳＭ、８０２．１１をサポートし得る。また、端末デバイスは、ビークルツーエブリシング（ｖｅｈｉｃｌｅ  ｔｏ  ｅｖｅｒｙｔｈｉｎｇ、Ｖ２Ｘ）サービスおよびデバイス間（ｄｅｖｉｃｅ  ｔｏ  ｄｅｖｉｃｅ、Ｄ２Ｄ）サービスなどの異なる送信サービス、または端末間のセルラリンクもしくはサイドリンク（ｓｉｄｅｌｉｎｋ）上の異なる送信モードをサポートしてもよく、さらに、モノのインターネット（Ｉｎｔｅｒｎｅｔ  ｏｆ  Ｔｈｉｎｇｓ、ＩｏＴ）およびマシンタイプ通信（ｍａｃｈｉｎｅ  ｔｙｐｅ  ｃｏｍｍｕｎｉｃａｔｉｏｎ、ＭＴＣ）などのセルラリンク上の異なる技術的特徴をサポートしてよい。
【０２００】
複数の端末デバイスは、同じサービス、または異なるサービス、たとえば、モバイルブロードバンドサービス、拡張モバイルブロードバンド（Ｅｎｈａｎｃｅｄ  Ｍｏｂｉｌｅ  Ｂｒｏａｄｂａｎｄ、ｅＭＢＢ）サービス、および超高信頼低遅延通信（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ、ＵＲＬＬＣ）サービスなどを実行してよい。
【０２０１】
さらに、上記のネットワークデバイス１０１の可能な概略構造図が図２に示され得る。ネットワークデバイス１０１は、本発明の実施形態で提供される方法を実行することができる。ネットワークデバイス１０１は、コントローラまたはプロセッサ２０１（以下では説明のための例としてプロセッサ２０１を使用する）、およびトランシーバ２０２を含んでよい。コントローラ／プロセッサ２０１は、モデムプロセッサ（ｍｏｄｅｍ  ｐｒｏｃｅｓｓｏｒ）とも呼ばれることがある。モデムプロセッサ２０１は、ベースバンドプロセッサ（ｂａｓｅｂａｎｄ  ｐｒｏｃｅｓｓｏｒ、ＢＢＰ）（図示せず）を含んでよい。ベースバンドプロセッサは、受信されたデジタル化信号を処理して、信号で転送された情報またはデータビットを抽出する。  したがって、要件または期待に応じて、ＢＢＰは、通常、モデムプロセッサ２０１内の１つもしくは複数のデジタル信号プロセッサ（ｄｉｇｉｔａｌ  ｓｉｇｎａｌ  ｐｒｏｃｅｓｓｏｒ、ＤＳＰ）に実装され、または分離された集積回路（ｉｎｔｅｇｒａｔｅｄ  ｃｉｒｃｕｉｔ、ＩＣ）として実装される。
【０２０２】
トランシーバ２０２は、ネットワークデバイス１０１と端末デバイスとの間の情報の送信および受信をサポートし、端末デバイス間のワイヤレス通信をサポートするように構成され得る。プロセッサ２０１は、様々な端末デバイスと別のネットワークデバイスとの間の通信の機能を実行するようにさらに構成され得る。アップリンク上で、端末デバイスからのアップリンク信号がアンテナを使用して受信され、トランシーバ２０２によって復調され、プロセッサ２０１によってさらに処理されて、端末デバイスにより送信されたサービスデータおよび／またはシグナリング情報が復元される。ダウンリンク上で、サービスデータおよび／またはシグナリングメッセージが端末デバイスによって処理され、トランシーバ２０２によって変調されてダウンリンク信号を生成し、ダウンリンク信号はアンテナを使用して端末デバイスに送信される。ネットワークデバイス１０１は、メモリ２０３をさらに含んでよく、メモリは、ネットワークデバイス１０１のプログラムコードおよび／またはデータを記憶するように構成されてよい。トランシーバ２０２は、独立した受信回路および独立した送信回路を含んでよく、または送信機能および受信機能を実装する回路であってよい。ネットワークデバイス１０１は、ネットワークデバイス２０１と別のネットワークエンティティとの間の通信をサポートするように構成された通信ユニット２０４をさらに含んでよい。たとえば、通信ユニット２０４は、ネットワークデバイス１０１とコアネットワークのネットワークデバイスなどとの間の通信をサポートするように構成される。
【０２０３】
任意選択で、ネットワークデバイスはバスをさらに含んでよい。トランシーバ２０２、メモリ２０３、および通信ユニット２０４は、バスを使用してプロセッサ２０１に接続され得る。たとえば、バスは、周辺コンポーネント相互接続（Ｐｅｒｉｐｈｅｒａｌ  Ｃｏｍｐｏｎｅｎｔ  Ｉｎｔｅｒｃｏｎｎｅｃｔ、ＰＣＩ）バス、または拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バスなどであってよい。バスは、アドレスバス、データバス、制御バスなどを含み得る。
【０２０４】
図３は、上述のワイヤレス通信システムにおける端末デバイスの可能な概略構造図である。端末デバイスは、本発明の実施形態で提供される方法を実行することができる。端末デバイスは、３つの端末デバイス１０２から１０４のいずれか１つであり得る。端末デバイスは、トランシーバ３０１、アプリケーションプロセッサ（ａｐｐｌｉｃａｔｉｏｎ  ｐｒｏｃｅｓｓｏｒ）３０２、メモリ３０３、およびモデムプロセッサ（ｍｏｄｅｍ  ｐｒｏｃｅｓｓｏｒ）３０４を含む。
【０２０５】
トランシーバ３０１は、出力サンプルを調整し（たとえば、アナログ変換、フィルタリング、増幅、およびアップコンバージョンを実行し）、アップリンク信号を生成し得る。アップリンク信号は、アンテナを使用して上述の実施形態における基地局に送信される。ダウンリンク上で、アンテナは、ネットワークデバイスにより送信されたダウンリンク信号を受信する。トランシーバ３０１は、アンテナから受信された信号を調整し（たとえば、フィルタリング、増幅、ダウンコンバージョン、およびデジタル化を実行し）、入力サンプルを提供し得る。
【０２０６】
モデムプロセッサ３０４は、コントローラまたはプロセッサとも呼ばれることがあり、ベースバンドプロセッサ（ｂａｓｅｂａｎｄ  ｐｒｏｃｅｓｓｏｒ、ＢＢＰ）（図示せず）を含み得る。ベースバンドプロセッサは、受信されたデジタル化信号を処理して、信号で転送された情報またはデータビットを抽出する。要件または期待に応じて、ＢＢＰは、通常、モデムプロセッサ３０４内の１つもしくは複数のＤＳＰに実装され、または分離された集積回路（ＩＣ）として実装される。
【０２０７】
設計では、モデムプロセッサ（ｍｏｄｅｍ  ｐｒｏｃｅｓｓｏｒ）３０４は、エンコーダ３０４１、変調器３０４２、デコーダ３０４３、および復調器３０４４を含んでよい。エンコーダ３０４１は、送信されるべき信号をエンコードするように構成される。たとえば、エンコーダ３０４１は、アップリンク上に送信されるサービスデータおよび／またはシグナリングメッセージを受信し、サービスデータおよびシグナリングメッセージに対して処理（たとえば、フォーマッティング、符号化、またはインターリービング）を実行するように構成され得る。変調器３０４２は、エンコーダ３０４１の出力信号を変調するように構成される。たとえば、変調器は、エンコーダの出力信号（データおよび／またはシグナリング）に対してシンボルマッピングおよび／または変調などの処理を実行してよく、出力サンプルを提供してよい。復調器３０４４は、入力信号を復調するように構成される。たとえば、復調器３０４４は、入力サンプルを処理し、シンボル推定を提供する。デコーダ３０４３は、復調された入力信号を復号するように構成される。たとえば、デコーダ３０４３は、復調された入力信号に対してデインターリービングおよび／または復号などの処理を実行し、復号された信号（データおよび／またはシグナリング）を出力する。エンコーダ３０４１、変調器３０４２、復調器３０４４、およびデコーダ３０４３は、統合されたモデムプロセッサ３０４によって実装されてよい。ユニットは、無線アクセスネットワークで使用される無線アクセス技術を使用することによって処理を実行する。
【０２０８】
モデムプロセッサ３０４は、アプリケーションプロセッサ３０２から音声、データ、または制御情報を表し得るデジタル化されたデータを受信し、送信のために処理する。モデムプロセッサは、ＬＴＥ、新無線、ユニバーサル移動通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、および高速パケットアクセス（Ｈｉｇｈ  Ｓｐｅｅｄ  Ｐａｃｋｅｔ  Ａｃｃｅｓｓ、ＨＳＰＡ）などの複数の通信システムの複数のワイヤレス通信プロトコルのうちの１つまたは複数をサポートし得る。任意選択で、モデムプロセッサ３０４は１つまたは複数のメモリをさらに含んでよい。
【０２０９】
任意選択で、モデムプロセッサ３０４およびアプリケーションプロセッサ３０２は、１つのプロセッサチップに統合されてよい。
【０２１０】
メモリ３０３は、通信中の端末デバイスをサポートするために使用されるプログラムコード（プログラム、命令、もしくはソフトウェアなどと呼ばれることがある）および／またはデータを記憶するように構成される。
【０２１１】
メモリ２０３またはメモリ３０３が１つまたは複数の記憶ユニットを含んでよいことに留意されたい。たとえば、記憶ユニットは、プロセッサ２０１、モデムプロセッサ３０４、もしくはアプリケーションプロセッサ３０２内にあり、プログラムコードを記憶するために使用される記憶ユニットであってよく、プロセッサ２０１、モデムプロセッサ３０４、もしくはアプリケーションプロセッサ３０２から独立した外部記憶ユニットであってよく、または、プロセッサ２０１、モデムプロセッサ３０４、もしくはアプリケーションプロセッサ３０２内の記憶ユニットと、プロセッサ２０１、モデムプロセッサ３０４、もしくはアプリケーションプロセッサ３０２から独立した外部記憶ユニットとを含むコンポーネントであってよい。
【０２１２】
プロセッサ２０１とモデムプロセッサ３０４は、同じタイプのプロセッサであってよく、または異なるタイプのプロセッサであってよい。たとえば、プロセッサ２０１およびモデムプロセッサ３０４はそれぞれが、中央処理装置（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、別のプログラマブルロジックデバイス、トランジスタロジックデバイス、ハードウェアコンポーネント、別の集積回路、またはこれらの任意の組み合わせとして実装されてよい。プロセッサ２０１およびモデムプロセッサ３０４は、本発明の実施形態で開示された内容を参照して説明される様々な論理ブロック、モジュール、および回路の例を実装または実行してよい。プロセッサは、計算機能を実装するコンポーネントの組み合わせ、たとえば、１つもしくは複数のマイクロプロセッサの組み合わせ、ＤＳＰとマイクロプロセッサの組み合わせ、またはシステムオンチップ（ｓｙｓｔｅｍ−ｏｎ−ａ−ｃｈｉｐ、ＳＯＣ）であってよい。
【０２１３】
本出願に開示された様々な態様を参照して説明される様々な説明的論理ブロック、モジュール、回路、およびアルゴリズムが、電子ハードウェア、またはメモリもしくは別のコンピュータ可読媒体に記憶されプロセッサまたは別の処理デバイスによって実行される命令、またはそれらの組み合わせとして実装され得ることを、当業者は理解することができる。例として、本明細書に記載されるデバイスは、任意の回路、ハードウェアコンポーネント、ＩＣ、またはＩＣチップに適用されてよい。本出願に開示されるメモリは、任意のサイズの任意のタイプのメモリであってよく、任意のタイプの必要とされる情報を記憶するように構成されてよい。このような互換性を明確に説明するために、様々な説明のためのコンポーネント、ブロック、モジュール、回路、およびステップが一般的に機能性に基づいて上述されている。そのような機能をどのように実装するのかは、特定の用途、設計選択、および／またはシステム全体に課される設計制約に依存する。当業者は記載された機能性を実装するために特定の用途ごとに異なる方法を使用してよいが、そのような実装が本発明の範囲を超えるとみなされるべきではない。
【０２１４】
ＮＲシステムにおけるセルラネットワークサービスのダウンリンク同期処理において、ネットワークデバイスによって送信される同期信号は、一次同期信号（ｐｒｉｍａｒｙ  ｓｙｎｃｈｒｏｎｉｚａｔｉｏｎ  ｓｉｇｎａｌ、ＰＳＳ）および二次同期信号（ｓｅｃｏｎｄａｒｙ  ｓｙｎｃｈｒｏｎｉｚａｔｉｏｎ  ｓｉｇｎａｌ、ＳＳＳ）を含む。端末デバイスは、ＰＳＳおよびＳＳＳを受信する必要がある。ＰＳＳは、（少なくとも）同期信号受信機によって使用され、初期シンボルの境界（ｂｏｕｎｄａｒｙ）、同期信号ブロック（Ｓｙｎｃｈｒｏｎｉｚａｔｉｏｎ  Ｓｉｇｎａｌ  Ｂｌｏｃｋ、ＳＳＢ）位置、巡回プレフィックス、およびサブフレームの境界（ｂｏｕｎｄａｒｙ）を決定し、セルについての初期周波数同期を実行するなどのために使用される。ＳＳＳは、無線フレーム境界キャリブレーションのために使用される。ＰＳＳおよびＳＳＳは、物理層セル識別（ｐｈｙｓｉｃａｌ  ｌａｙｅｒ  ｃｅｌｌ  ＩＤ）検出のために一緒に使用される。同期信号を送信するために、ネットワークデバイスは最初に、対応するシーケンスを生成する必要がある。ＮＲセルラリンク（Ｕｕ）上の同期信号の設計は、ＮＲ  ｒｅｌｅａｓｅ  １５で規定されている。セルラリンクは一般に、標準ではＵｕリンクと呼ばれ、端末デバイスとネットワークデバイスとの間の無線リンク、たとえば、携帯電話または車載通信デバイスと基地局との間の無線リンクである。便宜上、以下に説明されるＮＲシステムにおけるＵｕリンク上のすべての同期信号は、ダウンリンク同期信号である。
【０２１５】
ＰＳＳの一次同期シーケンスｄＰＳＳ（ｎ）は、以下の式に従って生成される。
【０２１６】
【数５０】
2021533689.tif 000339
【０２１７】
ここで、
x(i+7)=(x(i+4)+x(i))mod2    (2)
および
[x(6) x(5) x(4) x(3) x(2) x(1) x(0)]=[1 1 1 0 1 1 0]    (3)
であり、
ｘ（０）からｘ（６）は初期値であり、式（２）は、
【０２１８】
【数５１】
2021533689.tif 000340
【０２１９】
初期値（３）および生成多項式（２）に基づいて生成され得る。上記の方式で生成された
【０２２０】
【数５２】
2021533689.tif 000341
【０２２１】
ｍシーケンスである。ｍシーケンスは、最長線形帰還シフトレジスタシーケンス（longest linear feedback displacement register sequence）の略であり、擬似乱数シーケンス、擬似雑音（ｐｓｅｕｄｏ  ｎｏｉｓｅ、ＰＮ）符号、または擬似ランダム符号である。式（１）において、
【０２２２】
【数５３】
2021533689.tif 000342
【０２２３】
の各符号要素の独立変数の式である。独立変数ｍは、ｄＰＳＳ（ｎ）における独立変数ｎの巡回シフトとみなされてよく、
【０２２４】
【数５４】
2021533689.tif 000343
【０２２５】
に関係付けられた識別である。ＮＲ標準は、
【０２２６】
【数５５】
2021533689.tif 000344
【０２２７】
を満たす１００８個の物理層セル識別を定義し、ここで、
【０２２８】
【数５６】
2021533689.tif 000345
【０２２９】
である。ネットワークデバイスは、
【０２３０】
【数５７】
2021533689.tif 000346
【０２３１】
に基づいて取得し、式（１）、（２）、および（３）を参照して一次同期シーケンスｄＰＳＳ（ｎ）を生成し得る。上記の式を使用して生成されることができるすべての一次同期シーケンスが、ＮＲシステムにおけるＵｕリンク上で一次同期シーケンスセットを形成する。説明を容易にするために、一次同期シーケンスセットは、｛ｄＰＳＳ（ｎ）｝として表される。
【０２３２】
ＳＳＳの二次同期シーケンスｄＳＳＳ（ｎ）は、以下の式に従って生成される。
【０２３３】
【数５８】
2021533689.tif 000347
【０２３４】
ここで、
x0(i+7)=(x0(i+4)+x0(i))mod2、
x1(i+7)=(x1(i+1)+x1(i))mod2    (5)
および
[x0(6) x0(5) x0(4) x0(3) x0(2) x0(1) x0(0)]=[0 0 0 0 0 0 1]
[x1(6) x1(5) x1(4) x1(3) x1(2) x1(1) x1(0)]=[0 0 0 0 0 0 1]    (6)
であり、ゴールド符号シーケンスが二次同期シーケンスｄＳＳＳ（ｎ）を設計するために使用される。ゴールド符号シーケンスは、ｍシーケンスに基づいて生成されるシーケンスであり、２つのｍシーケンスを含む。たとえば、式（４）、（５）、および（６）に記載されているように、
【０２３５】
【数５９】
2021533689.tif 000348
【０２３６】
は、２つのバイナリｍシーケンスである。同様に、ｘ０（０）からｘ０（６）は、
【０２３７】
【数６０】
2021533689.tif 000349
【０２３８】
の初期値であり、ｘ１（０）からｘ１（６）は、
【０２３９】
【数６１】
2021533689.tif 000350
【０２４０】
の初期値である。説明を容易にするために、本出願では、
【０２４１】
【数６２】
2021533689.tif 000351
【０２４２】
を定義する。したがって、
【０２４３】
【数６３】
2021533689.tif 000352
【０２４４】
である。式（５）は、バイナリｍシーケンス
【０２４５】
【数６４】
2021533689.tif 000353
【０２４６】
の生成多項式である。ｍ０は、
【０２４７】
【数６５】
2021533689.tif 000354
【０２４８】
の巡回シフト値であり、ｍ１は、
【０２４９】
【数６６】
2021533689.tif 000355
【０２５０】
の巡回シフト値である。
【０２５１】
【数６７】
2021533689.tif 000356
【０２５２】
に関係付けられた識別である。ＮＲ標準は、
【０２５３】
【数６８】
2021533689.tif 000357
【０２５４】
を満たす１００８個の物理層セル識別を定義し、ここで、
【０２５５】
【数６９】
2021533689.tif 000358
【０２５６】
である。上記の式を使用して生成されることができるすべての二次同期シーケンスが、ＮＲシステムにおけるＵｕリンク上で二次同期シーケンスセットを形成する。説明を容易にするために、二次同期シーケンスセットは、｛ｄＳＳＳ（ｎ）｝として表される。
【０２５７】
５Ｇ  ＮＲシステムにおけるＵｕリンク上の同期信号の上述の設計から認識できるように、同期セル識別
【０２５８】
【数７０】
2021533689.tif 000359
【０２５９】
は、一次同期シーケンスおよび二次同期シーケンスのグループを一意に識別することができ、システムにおける同期シーケンスセットは、合計で一次同期シーケンスおよび二次同期シーケンスの１００８個の異なるグループを含む。実際のネットワーク展開において、エリア内のワイヤレス通信システム、たとえば、ＮＲシステムが、セルラネットワークサービス以外の別のサービスのソース同期デバイスをさらに含むとき、または空間内にＮＲシステム以外の別のワイヤレス通信システムのソース同期デバイスが依然として存在するとき、そうした別のソース同期デバイスによって送信された同期信号に含まれる同期シーケンスが、ＮＲシステムにおけるＵｕリンク上の同期シーケンスと同じであるかまたは高度に相関される場合、同期信号を受信するデバイスは、ＮＲシステムにおけるＵｕリンク上の同期信号とそうした別のソース同期デバイスの同期信号とを区別することができない。言い換えれば、異なるサービスまたは異なる通信システムにおける同期信号とＮＲシステムにおけるＵｕリンク上の同期信号とが、互いに干渉することがある。そうした別のソース同期デバイスは、ＮＲシステムにおけるセルラネットワーク以外のサービスをサポートするソース同期デバイス、またはＮＲシステム以外のワイヤレス通信システムにおけるソース同期デバイスであることを理解されたい。
【０２６０】
上記の問題を解決するために、本出願の実施形態は同期シーケンス設計解決策を提供し、本出願の実施形態で提供される方法を使用して得られる同期シーケンスは、５Ｇ  ＮＲシステムにおける同期シーケンスセットの任意の同期シーケンスと異なることができ、比較的低い相関を有するので、別のソース同期デバイスの同期信号とＮＲシステムにおけるＵｕリンク上の同期信号との間の干渉を効果的に低減し、それにより、デバイス間の同期性能を改善する。
【０２６１】
本出願の実施形態において、ＮＲシステムにおけるビークルツーエブリシング（ｖｅｈｉｃｌｅ−ｔｏ−ｅｖｅｒｙｔｈｉｎｇ、Ｖ２Ｘ）サービスは、異なるサービスの例として説明されている。ＮＲシステムにおいてＶ２Ｘサービスをサポートする端末デバイスは、ネットワークデバイスの中継なしに他の端末デバイスと直接通信してよい。ソース同期デバイスとして機能する端末デバイスは、第１の同期信号および／または第２の同期信号を送信し、ここで、第１の同期信号は一次同期信号であってよく、第２の同期信号は二次同期信号であってよい。
【０２６２】
可能な設計において、第１の同期シーケンスは｛ｄＰＳＳ（ｎ）｝の任意のシーケンスと異なり、および／または第２の同期シーケンスは｛ｄＳＳＳ（ｎ）｝の任意のシーケンスと異なる。
【０２６３】
可能な実装において、第１の同期シーケンスは、｛ｄＰＳＳ（ｎ）｝の任意のシーケンスの巡回シフトであり、および／または第１の同期シーケンスに対応する生成多項式は、｛ｄＰＳＳ（ｎ）｝の任意のシーケンスに対応する生成多項式と異なる。上記の説明から、
【０２６４】
【数７１】
2021533689.tif 000360
【０２６５】
はｍシーケンスであることが認識できる。ｍシーケンスの特徴から、ｍシーケンスとｍシーケンスの巡回シフトの相互相関値は理論上の最適値−１であることが認識できる。説明のために以下の式が使用されることが可能である。
【０２６６】
【数７２】
2021533689.tif 000361
【０２６７】
ここで、（ａ  ｍｏｄ  ｂ）は、値ａを使用して値ｂにモジュロ演算が行われることを示し、
【０２６８】
【数７３】
2021533689.tif 000362
【０２６９】
は、バイナリｍシーケンスをマッピングすることによって得られるＢＰＳＫシーケンスである。ｄ（（ｉ＋ｍ）ｍｏｄＬ））は、物理的に、巡回シフト値のｍに基づくシーケンスｄ（ｉ）の巡回シフトであり、ここで、Ｌはシーケンスの長さであり、ｄ（ｉ）はシーケンスのｉ番目の符号要素の値を示す。したがって、第１の同期シーケンスｄ１（ｎ）が｛ｄＰＳＳ（ｎ）｝の任意のシーケンスの巡回シフトであることは、第１の同期シーケンスと｛ｄＰＳＳ（ｎ）｝の任意のシーケンスとの相関値が理論上の最小値であることを示し、したがって、第１の同期シーケンスに対応する第１の同期信号とＮＲシステムにおけるＵｕリンク上の一次同期信号との間の干渉が低減されることが可能である。したがって、第１の同期シーケンスが｛ｄＰＳＳ（ｎ）｝の任意のシーケンスの巡回シフトであることは、第１の同期シーケンスに対応する第１の同期信号とＮＲシステムにおけるＵｕリンク上の一次同期信号との間の干渉が比較的小さいことを確実にし、具体的には、第１の同期シーケンスに対応する第１の同期信号とＮＲシステムにおけるＵｕリンク上の一次同期信号との正規化された相互相関値が、理論上の最小値である１／Ｌに達することになる。たとえば、Ｌ＝１２７のとき、対応する値は約０．００７９である。実際の通信システムでは、これは非常に低い相互干渉値である。第１の同期シーケンスは、｛ｄＰＳＳ（ｎ）｝の任意のシーケンスの巡回シフトである。可能な実装において、第１の同期シーケンスは、ＮＲシステムにおけるＵｕリンク上の一次同期信号シーケンスについてのｍシーケンスを生成するのに使用されるものと同じ生成多項式を使用するが、異なる巡回シフト値を使用して生成される。ｍシーケンスを生成することは、生成多項式を使用することを意味する。異なる巡回シフト値を使用することによって、異なるシーケンスが生成されることが可能であり、それにより、式（１０）におけるｍシーケンスの理論的に最適な相関性能に達する。ＮＲシステムにおけるＵｕリンク上の一次同期信号シーケンスの長さは１２７であり、現在、３つの巡回シフト値０、４３、および８６のみが使用される。長さ１２７のｍシーケンスの場合、合計１２７の異なる巡回シフト値が使用され得る。したがって、本出願の実施形態において第１の同期シーケンスを生成するために十分な巡回シフト値が使用され得る。
【０２７０】
さらに、任意選択で、ｍシーケンスが、｛ｄＰＳＳ（ｎ）｝の任意のシーケンスに対応する生成多項式とは異なる生成多項式を使用することによって生成されるとき、第１の同期シーケンスと｛ｄＰＳＳ（ｎ）｝の任意のシーケンスとの間の相互相関が低減されることが可能である。さらに、この設計方法は単純であり、ＮＲシステムにおけるＵｕリンクの設計で必要な変更がわずかであり、強いバージョン継承を有する。特定の長さのｍシーケンスについて、ｍシーケンスと対にされた少なくとも１つの異なるｍシーケンスが常に見つけられることが可能であり、ｍシーケンスの相互相関値がシーケンスの理論上の境界に達することができる（詳細については後述の式（１１）を参照されたい）。巡回シフトが等価でないｍシーケンスのいずれか１つに対応する生成多項式が常に存在する。したがって、第１の同期シーケンスに対応する生成多項式が、ＮＲシステムにおけるＵｕリンク上の一次同期信号シーケンスに対応する生成多項式と異なる場合、それぞれの巡回シフト値にかかわらず、第１の同期シーケンスおよび一次同期シーケンスは常に互いに異なり、上述されたように理論的に達成されることが可能である最適な相互相関を有する。したがって、異なる生成多項式が適用されるとき、第１の同期シーケンスに対応する巡回シフト値は特に限定されない。任意選択で、異なる生成多項式が適用されるとき、ＮＲシステムにおけるＵｕリンク上の一次同期信号シーケンスに対応するものと同じ巡回シフト値が使用されてよい。
【０２７１】
１つのケースでは、第１の同期シーケンスが｛ｄＰＳＳ（ｎ）｝の任意のシーケンスの巡回シフトであることは、以下の方式で実装され得る。第１の同期シーケンスがd1(n)=1-2x(m’)を満たし、ここで、
【０２７２】
【数７４】
2021533689.tif 000363
【０２７３】
であり、Δは非ゼロ整数である。バイナリｍシーケンス
【０２７４】
【数７５】
2021533689.tif 000364
【０２７５】
が生成された後、一次同期シーケンスｄＰＳＳ（ｎ）は、巡回シフト値として
【０２７６】
【数７６】
2021533689.tif 000365
【０２７７】
の巡回シフトであることが、上記の説明から認識できる。この場合、第１の同期シーケンスｄ１（ｎ）について、オフセット値Δが、ｄＰＳＳ（ｎ）のものと同じｍシーケンス
【０２７８】
【数７７】
2021533689.tif 000366
【０２７９】
に基づいて巡回シフト値に加えられる。すなわち、第１の同期シーケンスｄ１（ｎ）は、巡回シフト値として
【０２８０】
【数７８】
2021533689.tif 000367
【０２８１】
の巡回シフトであり、ここで、
【０２８２】
【数７９】
2021533689.tif 000368
【０２８３】
【数８０】
2021533689.tif 000369
【０２８４】
はそれぞれ、式ｄＰＳＳ（ｎ）における
【０２８５】
【数８１】
2021533689.tif 000370
【０２８６】
の値範囲と同じである。任意選択で、
【０２８７】
【数８２】
2021533689.tif 000371
【０２８８】
である。したがって、この場合、第１の同期シーケンスｄ１（ｎ）は、｛ｄＰＳＳ（ｎ）｝の任意のシーケンスの巡回シフトであることが確実にされることができる。さらに、新しい巡回シフト値
【０２８９】
【数８３】
2021533689.tif 000372
【０２９０】
が、ｄＰＳＳ（ｎ）に対応する３つの巡回シフト値に対して等しい間隔で配置される。この場合、第１の同期シーケンスｄ１（ｎ）は、ＮＲシステムにおけるＵｕリンク上の一次同期シーケンスｄＰＳＳ（ｎ）に対してより良好な周波数ズレ検出性能を有する。その理由は、ｍシーケンスに関して、デバイスにより検出されるターゲットシーケンスの巡回シフト値と別の潜在的ターゲットまたは潜在的干渉シーケンスの巡回シフト値の間の間隔が等しくない場合、より小さい間隔によって耐周波数ズレ性能が決定されるからである。耐周波数ズレ能力は、ターゲットシーケンスの巡回シフト値と別の潜在的ターゲットまたは干渉シーケンスの巡回シフト値の間の間隔が等しいかまたは可能な限り等しいときのみ、最大値に達することができる。この場合、第１の同期シーケンスｄ１（ｎ）は、ｄＰＳＳ（ｎ）のものと同じｍシーケンス
【０２９１】
【数８４】
2021533689.tif 000373
【０２９２】
に基づいており、ｍシーケンス
【０２９３】
【数８５】
2021533689.tif 000374
【０２９４】
は、同じ生成多項式および同じ初期値を使用して生成されてよく、または異なる生成多項式および初期値を使用して生成されてよいことに留意されたい。これは本明細書で限定されない。
【０２９５】
任意選択で、
【０２９６】
【数８６】
2021533689.tif 000375
【０２９７】
であり、ここで、Ｒは正の整数であり、
【０２９８】
【数８７】
2021533689.tif 000376
【０２９９】
たとえば、Ｒ＝４、Ｒ＝３、またはＲ＝２である。
【０３００】
任意選択で、Δ＝２１またはΔ＝２２である。Ｒ＝２のとき、
【０３０１】
【数８８】
2021533689.tif 000377
【０３０２】
である。この場合、第１の同期シーケンスｄ１（ｎ）に対応する巡回シフト値とｄＰＳＳ（ｎ）に対応する巡回シフト値の間の間隔が等しい。図４に示されるように、実線矢印は、０、４３、および８６である、ｄＰＳＳ（ｎ）に対応する巡回シフト値を表し、巡回シフト値間の間隔は４３である。破線矢印は、第１の同期シーケンスｄ１（ｎ）に対応する巡回シフト値を表す。Δ＝２２の場合、巡回シフト値は、間隔４３のちょうど半分に近く、ｄ１（ｎ）に対応する巡回シフト値は、２２、６５、１０８となる。この場合、ｄ１（ｎ）に対応する巡回シフト値とｄＰＳＳ（ｎ）に対応する隣接巡回シフト値との間の間隔が等しい。したがって、第１の同期シーケンスｄ１（ｎ）は、ＮＲシステムにおけるＵｕリンク上の一次同期シーケンスｄＰＳＳ（ｎ）に対する最適周波数ズレ検出性能を有する。
【０３０３】
任意選択で、オフセット値Δはシグナリングによって通知され、またはオフセット値Δは予め定義される。さらに、オフセット値Δは、ＲＲＣシグナリング、ＳＩＢもしくはＤＣＩシグナリングを介して基地局によって直接通知されてよく、または別のパラメータによって間接的に示されてよい。代替として、任意選択で、オフセット値Δは、デバイス間のサイドリンク（ｓｉｄｅｌｉｎｋ）上の制御シグナリングを介して端末デバイスによって直接通知されてよく、または別のパラメータによって間接的に示されてよい。間接的な表示方式では、たとえば、同期シーケンスの識別、または同期シーケンスが属するグループ番号の識別が、表示のために使用されてよい。
【０３０４】
たとえば、第１の同期シーケンスは以下の式に従って生成され得る。
【０３０５】
【数８９】
2021533689.tif 000378
【０３０６】
ここで、
x(i+7)=(x(i+4)+x(i))mod2    (8)
および
[x(6) x(5) x(4) x(3) x(2) x(1) x(0)]=[1 1 1 0 1 1 0]    (9)
であり、
ｘ（０）からｘ（６）は初期値であり、式（８）は、バイナリシーケンス
【０３０７】
【数９０】
2021533689.tif 000379
【０３０８】
の生成多項式である。初期値および生成多項式の両方は、ＮＲシステムにおけるＵｕリンク上の一次同期シーケンス、すなわちｄＰＳＳ（ｎ）の対応する初期値および生成多項式と同じである。式（１）におけるｍと比較されると、式（７）におけるｍ’にはオフセット値Δが加えられ、ここで、０＜Δ＜４３であり、Δは正の整数である。このように、この可能な設計では、第１の同期シーケンスｄ１（ｎ）は｛ｄＰＳＳ（ｎ）｝の任意のシーケンスの巡回シフトである。任意選択で、
【０３０９】
【数９１】
2021533689.tif 000380
【０３１０】
はそれぞれ、式ｄＰＳＳ（ｎ）における
【０３１１】
【数９２】
2021533689.tif 000381
【０３１２】
の値範囲と同じである。任意選択で、
【０３１３】
【数９３】
2021533689.tif 000382
【０３１４】
である。
【０３１５】
可能な実装において、第１の同期シーケンスに対応する生成多項式は、｛ｄＰＳＳ（ｎ）｝の任意のシーケンスに対応する生成多項式と異なり、第１の同期シーケンスは、ｄＰＳＳ（ｎ）に対応するｍシーケンスと同じ長さを有するが異なる生成多項式を有するｍシーケンスを使用することによって生成される。これにより、第１の同期シーケンスと｛ｄＰＳＳ（ｎ）｝の任意のシーケンスとの間の相互相関を低減することができる。さらに、この設計方法は単純であり、ＮＲシステムにおけるＵｕリンクの設計でわずかな変更を必要とし、強いバージョン継承を有する。
【０３１６】
この実装では、第１の同期シーケンスの生成多項式は、
【０３１７】
【数９４】
2021533689.tif 000383
【０３１８】
としてよく、ここで、[K6,K5,K4,K3,K2,K1,K0]≠[0,0,1,0,0,0,1]であり、Ｋｎは整数であり、ｘ（０）からｘ（６）は初期値である。一般に、シーケンスの初期値はすべてゼロにはできない。シーケンスの初期値がすべてゼロであるとき、対応するシーケンスは、生成多項式を使用して生成されることが不可能である。その理由は、シーケンスの初期値が、ｍシーケンスにおける巡回シフトレジスタの初期状態に対応するからである。初期値がすべてゼロである場合、巡回シフトレジスタによって出力される結果は常に０となる。初期値の非ゼロ値は、本発明において特に限定されない。
【０３１９】
任意選択で、第１の同期シーケンスに対応する生成多項式は、x(i+7)=(x(i+1)+x(i))mod2である。生成多項式x(i+7)=(x(i+1)+x(i))mod2と、｛ｄＰＳＳ（ｎ）｝の任意のシーケンスに対応する生成多項式x(i+7)=(x(i+4)+x(i))mod2は、関連のない生成多項式の対である。同じシフトレジスタ長を有するｍシーケンスにおいて、関連のない生成多項式の対を使用することにより生成されたｍシーケンスのみが最適な相互相関を有する。相互相関は、巡回シフトが等価ではない２つのシーケンスの相関値である。最適な相互相関は、任意の巡回シフト値を有する２つのシーケンスの相互相関値が以下の理論上の最小値を有することを意味する。
【０３２０】
【数９５】
2021533689.tif 000384
【０３２１】
ここで、Ｌ＝２Ｋ−１である。たとえば、上記の実施形態において、Ｋ＝７、およびＬ＝１２７である。この実装における第１の同期シーケンスに対応する巡回シフト値にかかわらず、第１の同期シーケンスは｛ｄＰＳＳ（ｎ）｝の任意のシーケンスと異なってよく、したがって、第１の同期シーケンスに対応する巡回シフト値が決定される。加えてさらに、シーケンスが周波数ドメインから時間ドメインへ、または時間ドメインから周波数ドメインへと変更された後に得られるシーケンスの関係付けられた性能は類似する。したがって、受信機の実装アルゴリズムに制限が少なく、実装はより容易である。
【０３２２】
同じワイヤレス通信システムにおけるセルラリンクサービス以外の他サービス、たとえば、ＮＲシステムにおいて研究されるサイドリンク（ｓｉｄｅｌｉｎｋ）では、異なるモードが存在し得る。サイドリンク上のこれらのモードは、異なる方法で定義されることが可能である。たとえば、モードは、異なるプロトコルバージョンで定義された特徴に基づいて決定されてよく、またはモードは、サービスタイプに基づいて決定されてよく、またはモードは、リソース選択および割り当て方式に基づいて決定されてよい。たとえば、第１のモードはｅＭＢＢサービスをサポートするために使用され、第２のモードはＶ２Ｘサービスをサポートするために使用される。別の例では、代替として、分類がプロトコル標準化処理における技術的特徴に基づいて実行され得る。たとえば、モード１および／またはモード２がバージョンＡで定義され、モード３および／またはモード４がバージョンＢで定義される。代替として、モードは、リソーススケジューリング方式に基づいて定義され得る。たとえば、モード１は、リソーススケジューリングが基地局の構成または表示に基づく方式であり、モード２は、端末自体によってリソースを選択する方式である。
【０３２３】
本出願の実施形態において、任意選択で、同じ端末デバイスまたは同じネットワークデバイスが複数の異なるモードをサポートするとき、同期シーケンスを生成するために異なる方法が使用され得る。言い換えれば、端末デバイスまたはネットワークデバイスは、第５の同期シーケンスをさらに生成してよく、第５の同期シーケンスおよび第１の同期シーケンスはそれぞれ第１のモードおよび第２のモードに対応している。すべての可能な第１の同期シーケンスが、第１の同期シーケンスセットを形成する。第５の同期シーケンスは、第１の同期シーケンスセットの任意のシーケンスと異なる。この差異は、第５の同期シーケンスが、第１の同期シーケンスセットの任意のシーケンスの巡回シフトであること、および／または第５の同期シーケンスに対応する生成多項式が、第１の同期シーケンスセットの任意のシーケンスに対応する生成多項式と異なることを含む。複数のモードにおけるサイドリンク送信が共存するとき、異なるモードにおけるサイドリンク同期信号送信の間の相互干渉も低減または制御されることが可能である。たとえば、第５の同期シーケンスは以下の方式のいずれか１つで生成され得る。
【０３２４】
方式１：  第１のモードと第２のモードは同じ生成多項式に対応し、第１の同期シーケンスセットのシーケンスは第１の巡回シフト値に対応し、第５の同期シーケンスは第２の巡回シフト値に対応し、第１の巡回シフト値は第２の巡回シフト値とは異なる。
【０３２５】
方式２：  第１のモードと第２のモードは、異なる生成多項式に対応する。すなわち、第５の同期シーケンスに対応する生成多項式は、第１の同期シーケンスセットの任意のシーケンスに対応する生成多項式と異なる。
【０３２６】
方式３：  第１の同期シーケンスセットにおけるシーケンスは、第１の生成多項式および第１の巡回シフト値に対応し、第５の同期シーケンスは、第２の生成多項式および第２の巡回シフト値に対応し、第１の生成多項式は第２の生成多項式と異なり、第１の巡回シフト値は第２の巡回シフト値と異なる。
【０３２７】
可能な実装において、第２の同期シーケンスｄ２（ｎ）は、
【０３２８】
【数９６】
2021533689.tif 000385
【０３２９】
、０≦ｎ＜１２７
を満たし得る。
【０３３０】
説明を容易にするために、シーケンス
【０３３１】
【数９７】
2021533689.tif 000386
【０３３２】
および
【０３３３】
【数９８】
2021533689.tif 000387
【０３３４】
が本出願で定義される。第２の同期シーケンスが｛ｄＳＳＳ（ｎ）｝の任意のシーケンスと異なることは、シーケンス
【０３３５】
【数９９】
2021533689.tif 000388
【０３３６】
の巡回シフトであること、および／もしくはシーケンス
【０３３７】
【数１００】
2021533689.tif 000389
【０３３８】
の巡回シフトであること、ならびに／または第２の同期シーケンスに対応する生成多項式が、｛ｄＳＳＳ（ｎ）｝の任意のシーケンスに対応する生成多項式と異なることを含む。第２の同期シーケンスはまた、ゴールド符号シーケンスに基づいて生成される。第２の同期シーケンスを形成するシーケンス
【０３３９】
【数１０１】
2021533689.tif 000390
【０３４０】
がそれぞれ１つのｍシーケンスに基づいて生成されることは、ゴールド符号シーケンスの上述の特徴から認識できる。したがって、第１の同期シーケンスと同じまたは類似の理由に基づき、シーケンス
【０３４１】
【数１０２】
2021533689.tif 000391
【０３４２】
の巡回シフトであり、および／またはシーケンス
【０３４３】
【数１０３】
2021533689.tif 000392
【０３４４】
の巡回シフトであるとき、第２の同期シーケンスと｛ｄＳＳＳ（ｎ）｝の任意のシーケンスとは理論的に最も低い相関を有し得る。同様に、第２の同期シーケンスに対応する生成多項式が、｛ｄＳＳＳ（ｎ）｝のシーケンスに対応する任意の生成多項式と異なるとき、第２の同期シーケンスは、ＮＲシステムにおけるＵｕリンク上の二次同期信号のそれとは異なるゴールドシーケンスに基づいてよく、したがって、第２の同期シーケンスは、｛ｄＳＳＳ（ｎ）｝の任意のシーケンスと比較的低い相関を有する。相関の分析は上述の説明と同様であり、ここでは詳細は再度説明されない。
【０３４５】
１つのケースでは、シーケンス
【０３４６】
【数１０４】
2021533689.tif 000393
【０３４７】
の巡回シフトであること、および／またはシーケンス
【０３４８】
【数１０５】
2021533689.tif 000394
【０３４９】
の巡回シフトであることは、以下の方式で実装され得る。第２の同期シーケンスは、
【０３５０】
【数１０６】
2021533689.tif 000395
【０３５１】
を満たし、ここで、Θは非ゼロ整数である。任意選択で、
【０３５２】
【数１０７】
2021533689.tif 000396
【０３５３】
は、それぞれ、式ｄＳＳＳ（ｎ）における
【０３５４】
【数１０８】
2021533689.tif 000397
【０３５５】
の値範囲と同じである。任意選択で、
【０３５６】
【数１０９】
2021533689.tif 000398
【０３５７】
である。バイナリｍシーケンス
【０３５８】
【数１１０】
2021533689.tif 000399
【０３５９】
が生成された後、二次同期シーケンスｄＳＳＳ（ｎ）におけるシーケンス
【０３６０】
【数１１１】
2021533689.tif 000400
【０３６１】
は、巡回シフト値としてｍ０を使用することによるｍシーケンス
【０３６２】
【数１１２】
2021533689.tif 000401
【０３６３】
の巡回シフトであることが、上記の説明から認識できる。この場合、第２の同期シーケンスｄ２（ｎ）におけるシーケンス
【０３６４】
【数１１３】
2021533689.tif 000402
【０３６５】
について、オフセット値Θが、
【０３６６】
【数１１４】
2021533689.tif 000403
【０３６７】
のものと同じｍシーケンス
【０３６８】
【数１１５】
2021533689.tif 000404
【０３６９】
に基づいて巡回シフト値に加えられる。言い換えれば、シーケンス
【０３７０】
【数１１６】
2021533689.tif 000405
【０３７１】
は、巡回シフト値としてm0’=Θ+m0を使用することによるｍシーケンス
【０３７２】
【数１１７】
2021533689.tif 000406
【０３７３】
の巡回シフトである。したがって、この場合、シーケンス
【０３７４】
【数１１８】
2021533689.tif 000407
【０３７５】
の巡回シフトであることを確実にされることができる。さらに、新しい巡回シフト値ｍ０’＝Θ＋ｍ０が、シーケンス
【０３７６】
【数１１９】
2021533689.tif 000408
【０３７７】
に対応する巡回シフト値に対して等しい間隔で配置される。この場合、第２の同期シーケンスは、ＮＲシステムにおけるＵｕリンク上の二次同期シーケンスｄＳＳＳ（ｎ）に対するより良好な周波数ズレ検出性能を有し得る。その理由は、ｍシーケンスに関して、デバイスにより検出されるターゲットシーケンスの巡回シフト値と別の潜在的ターゲットまたは干渉シーケンスの巡回シフト値の間の間隔が等しくない場合、より小さい間隔によって耐周波数ズレ検出性能が決定されるからである。耐周波数ズレ能力は、ターゲットシーケンスの巡回シフト値と別の潜在的ターゲットまたは干渉シーケンスの巡回シフト値の間の間隔が等しいかまたは可能な限り等しいときのみ、最大値に達することができる。この場合、シーケンス
【０３７８】
【数１２０】
2021533689.tif 000409
【０３７９】
のものと同じｍシーケンス
【０３８０】
【数１２１】
2021533689.tif 000410
【０３８１】
に基づいており、ｍシーケンス
【０３８２】
【数１２２】
2021533689.tif 000411
【０３８３】
は、同じ生成多項式および同じ初期値を使用して生成されてよく、または異なる生成多項式および初期値を使用して生成されてよいことに留意されたい。これは本明細書で限定されない。
【０３８４】
任意選択で、Θ≧４５は、巡回シフト値の追加されたオフセット値が４５の後にさらに選択されることを示し、Θがゼロよりも大きく、かつ５の整数倍ではないことは、追加されたオフセット値が特に限定されないが、既存の値と同じであることが可能でないことを示し、または、Θが４５以上であり、かつ５の整数倍であることは、追加されたオフセット値が４５の後にさらに選択され、５の等しい間隔で選択されることを示す。上記の選択方法によれば、新しく生成されたシーケンスは、既存のＵｕリンク上の二次同期シーケンスと異なってよく、二次同期シーケンスの巡回シフトである。選択が５の倍数の等しい間隔でさらに実行されたとき、シーケンス間の耐周波数ズレの性能がさらに改善されることが可能である。さらに、Θ＝４５である。オフセット値Θはシグナリングによって示され、またはオフセット値Θは予め定義される。この場合、シーケンス
【０３８５】
【数１２３】
2021533689.tif 000412
【０３８６】
に対応する巡回シフト値の間隔と
【０３８７】
【数１２４】
2021533689.tif 000413
【０３８８】
に対応する巡回シフト値の間隔とが等しく、
【０３８９】
【数１２５】
2021533689.tif 000414
【０３９０】
に対応する巡回シフト値と
【０３９１】
【数１２６】
2021533689.tif 000415
【０３９２】
に対応する隣接巡回シフト値との間の間隔が等しい。したがって、ＮＲシステムにおけるＵｕリンク上の一次同期シーケンスｄＳＳＳ（ｎ）に対する第２の同期シーケンスｄ２（ｎ）の周波数ズレ検出性能が改善されることが可能である。
【０３９３】
任意選択で、第２の同期シーケンスは、
【０３９４】
【数１２７】
2021533689.tif 000416
【０３９５】
を満たしてもよい。この場合、オフセット値Θはそれに応じて変化する。ｍ０’の任意の単純な変動は、本出願の実施形態で開示される範囲内にあることを理解されたい。特定の値変化は本出願の実施形態では詳細にリストされない。
【０３９６】
任意選択で、オフセット値Θはシグナリングによって通知され、またはオフセット値Θは予め定義される。
【０３９７】
任意選択で、第２の同期シーケンスに対応する生成多項式は、x0(i+7)=(x0(i+4)+x0(i))mod2およびx1(i+7)=(x1(i+1)+x1(i))mod2であり、ここで、ｘ０（０）からｘ０（６）は初期値であり、ｘ１（０）からｘ１（６）は初期値である。さらに、任意選択で、[x0(6) x0(5) x0(4) x0(3) x0(2) x0(1) x0(0)]=[0 0 0 0 0 0 1]、および[x1(6) x1(5) x1(4) x1(3) x1(2) x1(1) x1(0)]=[0 0 0 0 0 0 1]である。この場合、第２の同期シーケンスは以下の式に従って生成され得る。
【０３９８】
【数１２８】
2021533689.tif 000417
【０３９９】
ここで、
x0(i+7)=(x0(i+4)+x0(i))mod2、
x1(i+7)=(x1(i+1)+x1(i))mod2    (13)
および、
[x0(6) x0(5) x0(4) x0(3) x0(2) x0(1) x0(0)]=[0 0 0 0 0 0 1]、
[x1(6) x1(5) x1(4) x1(3) x1(2) x1(1) x1(0)]=[0 0 0 0 0 0 1]    (14)
であり、
【０４００】
【数１２９】
2021533689.tif 000418
【０４０１】
である。以下では、この可能なケースを例として使用して、本出願の実施形態で設計された第２の同期シーケンスの特徴をさらに分析する。ＮＲシステムにおけるＵｕリンク上の一次同期信号について、一次同期信号に対応する式のパラメータの値が表１に示される。
【０４０２】
【表１】
2021533689.tif 000419
【０４０３】
上記式（１２）、（１３）、および（１４）に従って設計された第２の同期シーケンスについて、たとえばΘ＝４５のとき、式のパラメータの値が表２に示される。
【０４０４】
【表２】
2021533689.tif 000420
【０４０５】
表１と表２の比較から、ｍ０’とｍ０が異なること、および両方とも１２６未満であることが認識できる。したがって、上記の方法を使用して生成される第２の周期シーケンスが｛ｄＳＳＳ（ｎ）｝の任意のシーケンスと理論的に最も低い相関を有することが確実にされることができる。このようにして、２つのシーケンスの相互干渉値が最小化される。
【０４０６】
可能な実装において、第２の同期シーケンスに対応する生成多項式が、｛ｄＳＳＳ（ｎ）｝の任意のシーケンスに対応する生成多項式と異なる。第２の同期シーケンスは、｛ｄＳＳＳ（ｎ）｝に対応するｍシーケンスと同じ長さを有するが異なる生成多項式を有するｍシーケンスを使用することによって生成される。これにより、第２の同期シーケンスと｛ｄＳＳＳ（ｎ）｝の任意のシーケンスとの間の相互相関を低減することができる。さらに、この設計方法は単純であり、ＮＲシステムにおけるＵｕリンクの設計の変更をわずかに必要とし、強いバージョン継承を有する。特定の長さのゴールドシーケンスは、等しい長さの２つのｍシーケンスを使用して生成される。いずれかのｍシーケンスの生成多項式が変わる限り、生成されるゴールドシーケンスは異なる。したがって、第２の同期シーケンスに対応する生成多項式が、ＮＲシステムにおけるＵｕリンク上の二次同期信号シーケンスに対応する生成多項式と異なる場合、それらのそれぞれの巡回シフト値にかかわらず、それぞれの生成多項式に基づいて生成されるシーケンスは常に異なり、より低い相互相関を有する。したがって、異なる生成多項式が使用されるとき、第２の同期シーケンスに対応する巡回シフト値は特に限定されない。任意選択で、異なる生成多項式が使用されるとき、ＮＲシステムにおけるＵｕリンク上の二次同期信号シーケンスのものと同じ巡回シフト値が使用されてよい。
【０４０７】
任意選択で、この実装では、第２の同期シーケンスに対応する生成多項式は、x0(i+7)=(x0(i+3)+x0(i))mod2を含んでよく、ここで、ｘ０（０）からｘ０（６）は初期値である。
【０４０８】
任意選択で、第２の同期シーケンスに対応する生成多項式は、x1(i+7)=(x1(i+3)+x1(i+2)+x1(i+1)+x1(i))mod2を含んでよく、ここで、ｘ１（０）からｘ１（６）は初期値である。
【０４０９】
同じワイヤレス通信システムにおけるセルラリンクサービス以外の他サービス、たとえば、ＮＲシステムにおいて研究されるサイドリンク（ｓｉｄｅｌｉｎｋ）では、異なるモードが存在し得る。サイドリンク上のこれらのモードは、異なる方法で定義されることが可能である。たとえば、モードは、異なるプロトコルバージョンで定義された特徴に基づいて決定されてよく、またはモードは、サービスタイプに基づいて決定されてよく、またはモードは、リソース選択および割り当て方式に基づいて決定されてよい。たとえば、第１のモードはｅＭＢＢサービスをサポートするために使用され、第２のモードはＶ２Ｘサービスをサポートするために使用される。別の例では、代替として、分類がプロトコル標準化処理における技術的特徴に基づいて実行され得る。たとえば、モード１および／またはモード２がバージョンＡで定義され、モード３および／またはモード４がバージョンＢで定義される。代替として、モードは、リソーススケジューリング方式に基づいて定義され得る。たとえば、モード１は、リソーススケジューリングが基地局の構成または表示に基づく方式であり、モード２は、端末によってリソースを選択する方式である。
【０４１０】
可能な実装において、任意選択で、同じ端末デバイスまたは同じネットワークデバイスが複数の異なるモードをサポートするとき、同期シーケンスを生成するために異なる方法が使用され得る。言い換えれば、端末デバイスまたはネットワークデバイスは、第６の同期シーケンスをさらに生成してよく、第６の同期シーケンスおよび第２の同期シーケンスはそれぞれ第１のモードおよび第２のモードに対応している。すべての可能な第２の同期シーケンスが、第２の同期シーケンスセットを形成する。第６の同期シーケンスは、第２の同期シーケンスセットの任意のシーケンスと異なる。この差異は、第６の同期シーケンスに対応する１つもしくは複数のｍシーケンスが、第２の同期シーケンスセットの任意のシーケンスに対応する１つもしくは複数のｍシーケンスの巡回シフトであること、および／または第６の同期シーケンスに対応する生成多項式が、第２の同期シーケンスセットの任意のシーケンスに対応する生成多項式と異なることを含む。複数のモードにおけるサイドリンク送信が共存するとき、異なるモードにおけるサイドリンク同期信号送信の間の相互干渉も低減または制御されることが可能である。たとえば、第６の同期シーケンスは以下の方式のいずれか１つで生成され得る。
【０４１１】
方式１：  第１のモードと第２のモードは同じ生成多項式に対応し、第２の同期シーケンスセットにおけるシーケンスの１つまたは複数のｍシーケンスは第１の巡回シフト値に対応し、第６の同期シーケンスの１つまたは複数のｍシーケンスは第２の巡回シフト値に対応し、第１の巡回シフト値は第２の巡回シフト値とは異なる。
【０４１２】
方式２：  第１のモードと第２のモードは、異なる生成多項式に対応する。すなわち、第６の同期シーケンスの１つまたは複数のｍシーケンスに対応する生成多項式は、第２の同期シーケンスセットにおける任意のシーケンスの１つまたは複数のｍシーケンスに対応する生成多項式と異なる。
【０４１３】
方式３：  第２の同期シーケンスセットにおける任意のシーケンスの１つまたは複数のｍシーケンスは、第１の生成多項式および第１の巡回シフト値に対応し、第６の同期シーケンスの１つまたは複数のｍシーケンスは、第２の生成多項式および第２の巡回シフト値に対応し、第１の生成多項式は第２の生成多項式と異なり、第１の巡回シフト値は第２の巡回シフト値と異なる。
【０４１４】
上記の可能な実装では、
【０４１５】
【数１３０】
2021533689.tif 000421
【０４１６】
は、同期信号識別ＮＩＤを使用して決定され、システムにおけるすべての異なる同期信号識別ＮＩＤが同期信号識別セットを形成する。同期信号識別セットは、１つまたは複数のサブセットを含み、サブセットにおける同期信号識別は、以下の情報、
第１のデバイスのタイミング基準が、ネットワークデバイスであること、
第１のデバイスのタイミング基準が、タイミングパラメータとしてネットワークデバイスを使用する第３のデバイスであること、
第１のデバイスのタイミング基準が、衛星であること、
第１のデバイスのタイミング基準が、タイミングパラメータとして衛星を使用する第３のデバイスであること、および
第１のデバイスのタイミング基準が、第１のデバイス自体である、またはネットワークデバイスもしくは衛星と同期されない第３のデバイスであること
のうちの少なくとも１つを示す。
【０４１７】
任意選択で、同期信号識別セットは２つのサブセットを含み、異なるサブセットは、第１の同期シーケンスおよび／または第２の同期シーケンスの異なる巡回シフト値に対応する。
【０４１８】
任意選択で、２つのサブセットの各サブセットにおける同期信号識別は、以下の情報、
第１のデバイスのタイミング基準がネットワークデバイスであり、同期信号識別は第１のシーケンスサブセットから決定されることと、第１のデバイスのタイミング基準がネットワークデバイスではなく、同期信号識別は第２のシーケンスサブセットから決定されることとのうちのいずれか１つを示すために使用される。
【０４１９】
任意選択で、２つのサブセットの各サブセットにおける同期信号識別は、以下の情報、
第１のデバイスのタイミング基準がネットワークデバイスであり、同期信号識別は第１のシーケンスサブセットから決定されることと、第１のデバイスのタイミング基準が、タイミングパラメータとしてネットワークデバイスを使用する第３のデバイスであり、同期信号識別は第２のシーケンスサブセットから決定されることとのうちのいずれか１つを示すために使用される。
【０４２０】
任意選択で、２つのサブセットの各サブセットにおける同期信号識別は、以下の情報、
第１のデバイスのタイミング基準が衛星であり、同期信号識別は第１のシーケンスサブセットから決定されることと、第１のデバイスのタイミング基準が衛星ではなく、同期信号識別は第２のシーケンスサブセットから決定されることとのうちのいずれか１つを示すために使用される。
【０４２１】
任意選択で、２つのサブセットの各サブセットにおける同期信号識別は、以下の情報、
第１のデバイスのタイミング基準が衛星であり、同期信号識別は第１のシーケンスサブセットから決定されることと、第１のデバイスのタイミング基準が、タイミングパラメータとして衛星を使用する第３のデバイスであり、同期信号識別は第２のシーケンスサブセットから決定されることとのうちのいずれか１つを示すために使用される。
【０４２２】
任意選択で、同期信号識別セットは４つのサブセットを含み、異なるサブセットは、第１の同期シーケンスおよび／または第２の同期シーケンスの異なる巡回シフト値に対応する。４つのシーケンスサブセットのそれぞれは、以下の情報、
第１のデバイスのタイミング基準がネットワークデバイスであり、同期信号識別は第１のシーケンスサブセットから決定されること、
第１のデバイスのタイミング基準が、タイミングパラメータとしてネットワークデバイスを使用する第３のデバイスであり、同期信号識別は第２のシーケンスサブセットから決定されること、
第１のデバイスのタイミング基準が衛星であり、同期信号識別は第３のシーケンスサブセットから決定されること、および
第１のデバイスのタイミング基準が、タイミングパラメータとして衛星を使用する第３のデバイスであり、同期信号識別は第４のシーケンスサブセットから決定されること
のうちのいずれか１つを示すために使用される。
【０４２３】
任意選択で、同期信号識別セットは５つのサブセットを含み、異なるサブセットは、第１の同期シーケンスおよび／または第２の同期シーケンスの異なる巡回シフト値に対応する。５つのシーケンスサブセットのそれぞれは、以下の情報、
第１のデバイスのタイミング基準がネットワークデバイスであり、同期信号識別は第１のシーケンスサブセットから決定されること、
第１のデバイスのタイミング基準が、タイミングパラメータとしてネットワークデバイスを使用する第３のデバイスであり、同期信号識別は第２のシーケンスサブセットから決定されること、
第１のデバイスのタイミング基準が衛星であり、同期信号識別は第３のシーケンスサブセットから決定されること、
第１のデバイスのタイミング基準が、タイミングパラメータとして衛星を使用する第３のデバイスであり、同期信号識別は第４のシーケンスサブセットから決定されること、および
第１のデバイスのタイミング基準が、第１のデバイス自体である、またはネットワークデバイスもしくは衛星と同期されない第３のデバイスであり、同期信号識別は第５のシーケンスサブセットから決定されること、
のうちのいずれか１つを示すために使用される。
【０４２４】
上記の同期シーケンス設計解決策によれば、得られた同期シーケンスは、５Ｇ  ＮＲシステムにおける同期シーケンスセットの任意の同期シーケンスと異なることが可能であり、それにより、別のソース同期デバイスの同期信号と、ＮＲシステムにおけるＵｕリンク上の同期信号との間の干渉を効果的に低減する。これは、デバイス間の同期性能を改善し、別のソース同期デバイスの同期信号と５Ｇ  ＮＲシステムにおける同期信号との間の設計差を最小限にする。異なるサービス間の同期性能を確保し、同じエリアに配備された異なるシステムまたはサービスに対する制限を低減するために、既存のシステムに少しの修正を行うことだけが必要である。
【０４２５】
以下では、上述の実施形態を参照して、本出願の実施形態において上述の設計で同期シーケンスをどのように適用するかをさらに説明する。
【０４２６】
本出願の実施形態は同期信号送信および受信方法を提供する。図５は、本出願の実施形態による方法の概略シグナリング図である。図５および以下のいくつかのステップは任意選択であってよく、本発明のこの実施形態においてすべてのステップが含まれる必要があるようには限定されないことに留意されたい。さらに、ステップのシーケンス番号は単に説明のために使用され、順序を表すものではない。また、特に指定されない限り、本出願のこの実施形態では、第３の同期シーケンスは上記の同期シーケンス
【０４２７】
【数１３１】
2021533689.tif 000422
【０４２８】
であり、第４の同期シーケンスは上記の同期シーケンス
【０４２９】
【数１３２】
2021533689.tif 000423
【０４３０】
である。
【０４３１】
ステップ５０１：  第１のデバイスは、第１の同期シーケンスおよび／または第２の同期シーケンスを生成する。第１の同期シーケンスは第３の同期シーケンスセットの任意のシーケンスと異なり、および／または第２の同期シーケンスは第４の同期シーケンスセットの任意のシーケンスと異なる。
【０４３２】
第３の同期シーケンスおよび第４の同期シーケンスの生成方式は上述されており、ここでは詳細は再度説明されないことに留意されたい。本出願のこの実施形態における第１のデバイスは、端末デバイス、ネットワークデバイス、または端末デバイスもしくはネットワークデバイス内にあり本出願の実施形態の方法を実行する装置であってよい。
【０４３３】
第１の同期シーケンスおよび第２の同期シーケンスの可能な設計および生成方式は上述されており、ここでは詳細は再度説明されない。第１のデバイスは、第１の同期シーケンスのみ、第２の同期シーケンスのみ、または第１の同期シーケンスと第２の同期シーケンスの両方を生成し得ることに留意されたい。第１のデバイスが第１の同期シーケンスのみまたは第２の同期シーケンスのみを生成するとき、第１のデバイスは、１つのみの同期信号を使用して第２のデバイスとの同期を完了する。第１のデバイスが、第１の同期シーケンスと第２の同期シーケンスの両方を生成するとき、第１の同期シーケンスは一次同期シーケンスであってよく、第２の同期シーケンスは二次同期シーケンスであってよい。
【０４３４】
このステップにおける動作は、上述された端末デバイス内のモデムプロセッサ３０４によって実装されてよい。
【０４３５】
このステップにおける動作は、上述されたネットワークデバイス内のプロセッサ２０１によって実装されてよい。
【０４３６】
ステップ５０２：  第１のデバイスは、第１の同期シーケンスに対応する第１の同期信号および／または第２の同期シーケンスに対応する第２の同期信号を送信する。それに対応して、第２のデバイスは、第１の同期シーケンスに対応する第１の同期信号および／または第２の同期シーケンスに対応する第２の同期信号を受信する。
【０４３７】
第１の同期シーケンスおよび／または第２の同期シーケンスを生成した後、第１のデバイスはシーケンスを、対応する時間領域シンボルまたは対応する時間領域シンボルの周波数領域サブキャリアにマッピングし、同期信号を生成し、第１の同期信号および／または第２の同期信号を送信する。
【０４３８】
それに対応して、第２のデバイスは、第１の同期シーケンスに対応する第１の同期信号および／または第２の同期シーケンスに対応する第２の同期信号を受信する。
【０４３９】
このステップにおける動作は、上述された端末デバイス内のトランシーバ３０１によって実装されてよい。当然ながら、動作は、代替として、上述された端末デバイス内のモデムプロセッサ３０４によりトランシーバ３０１を制御することによって実装されてよい。
【０４４０】
このステップにおける動作は、上述されたネットワークデバイス内のトランシーバ２０２によって実装されてよい。当然ながら、動作は、代替として、上述されたネットワークデバイス内のモデムプロセッサ２０１によりトランシーバ２０２を制御することによって実装されてよい。
【０４４１】
ステップ５０３：  第２のデバイスは、第１の同期情報および／または第２の同期情報に基づいて同期信号識別ＮＩＤを取得する。
【０４４２】
任意選択で、第２のデバイスは、同期信号識別ＮＩＤに基づいて第１のデバイスのタイミング基準ソースを決定する。上記の説明から、同期信号識別は第１のデバイスのタイミング基準ソースを示すために使用され得ることが認識できる。それに対応して、第２のデバイスは、同期信号識別ＮＩＤを取得することによって第１のデバイスのタイミング基準ソースを決定し得る。任意選択で、タイミング基準ソースは、以下のもの、ネットワークデバイス、非ネットワークデバイス、タイミングパラメータとしてネットワークデバイスを使用する第３のデバイス、衛星、非衛星、第１のデバイス自体、タイミングパラメータとして衛星を使用する第３のデバイス、またはネットワークデバイスもしくは衛星と同期されない第３のデバイスのうちのいずれか１つである。
【０４４３】
任意選択で、第２のデバイスは、第１の同期信号および／または第２の同期信号に基づいてタイミング情報を取得する。具体的には、第２のデバイスは、ローカルに記憶された第１の同期シーケンスおよび／もしくは第２の同期シーケンスに基づいて、または第１の同期シーケンスおよび／もしくは第２の同期シーケンスの信号特徴に基づいて、第１の同期信号および／または第２の同期信号を受信および検出する。このようにして、対応するシンボル、同期信号、スロット、サブフレーム、または無線フレームの境界が取得される。次いで、タイミング情報を取得するために、フレーム番号の表示信号を参照して、各無線フレーム、サブフレーム、スロット、同期信号、またはシンボルの正確な位置がさらに決定される。
【０４４４】
任意選択で、第２のデバイスが、第１の同期信号および／または第２の同期信号に基づいて同期信号識別ＮＩＤを取得することは、第２のデバイスが、第１の同期信号および／または第２の同期信号に基づいて第１の識別
【０４４５】
【数１３３】
2021533689.tif 000424
【０４４６】
および／または第２の識別
【０４４７】
【数１３４】
2021533689.tif 000425
【０４４８】
を取得し、第１の識別
【０４４９】
【数１３５】
2021533689.tif 000426
【０４５０】
および／または第２の識別
【０４５１】
【数１３６】
2021533689.tif 000427
【０４５２】
に基づいて同期信号識別ＮＩＤを決定することを含む。
【０４５３】
任意選択で、第２のデバイスが、第１の識別
【０４５４】
【数１３７】
2021533689.tif 000428
【０４５５】
および／または第２の識別
【０４５６】
【数１３８】
2021533689.tif 000429
【０４５７】
に基づいて同期信号識別ＮＩＤを決定することは、
【０４５８】
【数１３９】
2021533689.tif 000430
【０４５９】
または
【０４６０】
【数１４０】
2021533689.tif 000431
【０４６１】
を含む。
【０４６２】
第３の同期シーケンスおよび第４の同期シーケンスの生成方式は上述されており、ここでは詳細は再度説明されないことに留意されたい。本出願のこの実施形態における第２のデバイスは、端末デバイス、ネットワークデバイス、または端末デバイスもしくはネットワークデバイス内にあり本出願の実施形態の方法を実行する装置であってよい。
【０４６３】
このステップにおける動作は、上述された端末デバイス内のモデムプロセッサ３０４によって実装されてよい。
【０４６４】
このステップにおける動作は、上述されたネットワークデバイス内のプロセッサ２０１によって実装されてよい。
【０４６５】
上述の方法を使用することによって送信された第１の同期シーケンスおよび／または第２の同期シーケンスは、５Ｇ  ＮＲシステムにおける同期シーケンスセットの任意の同期シーケンスと異なることが可能であり、それにより、別のソース同期デバイスの同期信号と、ＮＲシステムにおけるＵｕリンク上の同期信号との間の干渉を効果的に低減する。これは、デバイス間の同期性能を改善し、別のソース同期デバイスの同期信号と５Ｇ  ＮＲシステムにおける同期信号との間の設計差を最小限にする。異なるサービス間の同期性能を確保するために、既存のシステムに少しの修正を行うことだけが必要である、それにより可能なシステム構築を簡素にする。
【０４６６】
本発明の例は、上述の方法を実装するように構成された装置（たとえば、集積回路、ワイヤレスデバイス、または回路モジュール）をさらに提供する。本明細書に説明されるパワートラッカおよび／またはパワージェネレータを実装するための装置は、独立したデバイスであってよく、またはより大きなデバイスの一部であってよい。デバイスは、（ｉ）独立したＩＣ、（ｉｉ）１つもしくは複数のＩＣのセットであって、セットは、データおよび／もしくは命令を記憶するように構成されたメモリＩＣを含み得る、（ｉｉｉ）ＲＦ受信機またはＲＦ送信機／受信機などのＲＦＩＣ、（ｉｖ）移動局モデムなどのＡＳＩＣ、（ｖ）別のデバイスに埋め込まれることが可能なモジュール、（ｖｉ）受信機、セルラ電話、ワイヤレスデバイス、携帯電話、もしくは移動ユニット、または（ｖｉｉ）その他であってよい。
【０４６７】
本発明の実施形態で提供される方法および装置は、端末デバイスまたはネットワークデバイス（まとめてワイヤレスデバイスと呼ばれることがある）に適用され得る。端末デバイスまたはネットワークデバイスまたはワイヤレスデバイスは、ハードウェア層、ハードウェア層上で動作するオペレーティングシステム層、およびオペレーティングシステム層上で動作するアプリケーション層を含んでよい。ハードウェア層は、中央処理装置（ｃｅｎｔｒａｌ  ｐｒｏｃｅｓｓｉｎｇ  ｕｎｉｔ、ＣＰＵ）、メモリ管理ユニット（ｍｅｍｏｒｙ  ｍａｎａｇｅｍｅｎｔ  ｕｎｉｔ、ＭＭＵ）、およびメモリ（メインメモリとも呼ばれる）などのハードウェアを含む。オペレーティングシステムは、処理（ｐｒｏｃｅｓｓ）を使用してサービス処理を実装する任意の１つまたは複数のタイプのコンピュータオペレーティングシステム、たとえば、Ｌｉｎｕｘオペレーティングシステム、Ｕｎｉｘオペレーティングシステム、Ａｎｄｒｏｉｄオペレーティングシステム、ｉＯＳオペレーティングシステム、またはＷｉｎｄｏｗｓオペレーティングシステムであってよい。アプリケーション層は、ブラウザ、アドレスブック、ワードプロセッシングソフトウェア、およびインスタントメッセージングソフトウェアなどのアプリケーションを含む。また、本発明の実施形態では、本発明の実施形態における方法のコードを記録するプログラミングを実行することによって、本発明の実施形態における信号送信方法に従って実行体が通信を実行することができるならば、方法の実行体の具体的構造は本発明の実施形態で限定されない。たとえば、本発明の実施形態におけるワイヤレス通信方法は、端末デバイスもしくはネットワークデバイスによって、または端末デバイスもしくはネットワークデバイス内にありプログラムを呼び出して実行できる機能モジュールによって実行されてよい。
【０４６８】
当業者は、本明細書に開示された実施形態で説明される例と組み合わせて、ユニットおよびアルゴリズムステップが、電子ハードウェアまたはコンピュータソフトウェアと電子ハードウェアの組み合わせによって実装され得ることを認識し得る。機能がハードウェアまたはソフトウェアによって実行されるかは、技術的解決策の特定のアプリケーションおよび設計制約条件に依存する。当業者は記載された機能を実装するために特定の用途ごとに異なる方法を使用してよいが、実装が本発明の実施形態の範囲を超えるとみなされるべきではない。
【０４６９】
また、本発明の実施形態における態様または特徴は、標準的なプログラミングおよび／もしくはエンジニアリング技術を使用する方法、装置、または製品として実装されてよい。本出願で使用される用語「製品」は、任意のコンピュータ可読コンポーネント、キャリア、または媒体からアクセスされることが可能であるコンピュータプログラムを包含する。たとえば、コンピュータ可読媒体は、磁気記憶コンポーネント（たとえば、ハードディスク、フロッピーディスク、または磁気テープ）、光ディスク（たとえば、コンパクトディスク（ｃｏｍｐａｃｔ  ｄｉｓｃ、ＣＤ））またはデジタル多用途ディスク（ｄｉｇｉｔａｌ  ｖｅｒｓａｔｉｌｅ  ｄｉｓｃ、ＤＶＤ））、スマートカード、およびフラッシュメモリコンポーネント（たとえば、消去可能プログラマブル読み取り専用メモリ（ｅｒａｓａｂｌｅ  ｐｒｏｇｒａｍｍａｂｌｅ  ｒｅａｄ−ｏｎｌｙ  ｍｅｍｏｒｙ、ＥＰＲＯＭ）、カード、スティック、またはキードライブ）を含み得るが、これらに限定されない。加えて、本明細書に記載された様々な記憶媒体は、情報を記憶するように構成された１つもしくは複数のデバイスおよび／または他の機械可読媒体を表し得る。用語「機械可読媒体」は、無線チャネル、ならびに命令および／またはデータを記憶し、内包し、および／または運ぶことができる様々な他の媒体を含み得るが、これらに限定されない。
【０４７０】
上述の実施形態の全部または一部は、ソフトウェア、ハードウェア、ファームウェア、またはそれらの任意の組み合わせを使用することによって実装され得る。実施形態を実装するためにソフトウェアが使用されるとき、実施形態の全部または一部はコンピュータプログラム製品の形態で実装されてよい。コンピュータプログラム製品は１つまたは複数のコンピュータ命令を含む。コンピュータプログラム命令がロードされ、コンピュータ上で実行されたとき、本発明の実施形態による手順または機能がすべてまたは部分的に生成される。コンピュータは、汎用コンピュータ、専用コンピュータ、コンピュータネットワーク、または別のプログラム可能な装置であってよい。コンピュータ命令は、コンピュータ可読記憶媒体に記憶されてよく、または１つのコンピュータ可読記憶媒体から別のコンピュータ可読記憶媒体に送信されてよい。たとえば、コンピュータ命令は、１つのウェブサイト、コンピュータ、サーバ、またはデータセンタから別のウェブサイト、コンピュータ、サーバ、またはデータセンタへ、有線（たとえば、同軸ケーブル、光ファイバ、もしくはデジタル加入者線（ＤＳＬ））方式またはワイヤレス（たとえば、赤外線、ラジオ、もしくはマイクロ波）方式で送信されてよい。コンピュータ可読記憶媒体は、コンピュータによってアクセス可能な任意の使用可能な媒体、または１つもしくは複数の使用可能な媒体を統合するサーバもしくはデータセンタのようなデータ記憶デバイスであってよい。使用可能な媒体は、磁気媒体（たとえば、フロッピーディスク、ハードディスク、もしくは磁気テープ）、光媒体（たとえば、ＤＶＤ）、半導体媒体（たとえば、ソリッドステートドライブＳｏｌｉｄ  Ｓｔａｔｅ  Ｄｉｓｋ（ＳＳＤ））などであってよい。
【０４７１】
上述の処理のシーケンス番号は、本発明の様々な実施形態における実行順序を意味しないことを理解されたい。処理の実行順序は、処理の機能および内部論理に従って決定されるべきであり、本発明の実施形態の実装処理に対するいかなる制限とも解釈されるべきではない。
【０４７２】
便宜上および簡潔な説明のため、上述のシステム、装置、およびユニットの詳細な動作処理に関して、上述の方法の実施形態における対応する処理を参照すること、および詳細はここで再度説明されないことを当業者は明確に理解し得る。
【０４７３】
本出願で提供されるいくつかの実施形態において、開示されたシステム、装置、および方法は他の方式で実装され得ることを理解されたい。たとえば、記載された装置の実施形態は例に過ぎない。たとえば、ユニットへの分割は論理的機能分割に過ぎず、実際の実装では他の分割であってよい。たとえば、複数のユニットもしくはコンポーネントが組み合わされもしくは別のシステムに統合されてよく、またはいくつかの特徴が無視されもしくは実行されなくてよい。さらに、表示されまたは論じられた相互結合または直接結合または通信接続は、いくつかのインターフェイスを使用することによって実装されてよい。装置またはユニットの間の間接的な結合または通信接続は、電気的、機械的、または別の形態で実装されてよい。
【０４７４】
別個の部品として説明されるユニットは、物理的に分離されてもされなくてもよく、ユニットとして表示された部品は、物理的ユニットであってもなくてもよく、１つの位置に配置されてよく、または複数のネットワークユニット上に分散されてよい。ユニットの一部または全部は、実施形態の解決策の目的を達成するために実際の要件に基づいて選択されてよい。
【０４７５】
機能がソフトウェア機能ユニットの形態で実装され、独立した製品として販売または使用されるとき、機能はコンピュータ可読記憶媒体に記憶されてよい。そのような理解に基づいて、本発明の実施形態における技術的解決策は本質的に、または従来技術に寄与する部分、または技術的解決策のいくつかは、ソフトウェア製品の形態で実装され得る。コンピュータソフトウェア製品は、記憶媒体に記憶され、本発明の実施形態で説明される方法のステップの全部または一部を実行するようにコンピュータデバイス（パーソナルコンピュータ、サーバ、またはアクセスネットワークデバイスなどであり得る）に命令するためのいくつかの命令を含む。上記の記憶媒体は、ＵＳＢフラッシュドライブ、リムーバブルハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、またはコンパクトディスクなど、プログラムコードを記憶することができる任意の媒体を含む。
【０４７６】
上記の説明は、本発明の実施形態の特定の実装に過ぎず、本発明の実施形態の保護範囲を限定することは意図されていない。本発明の実施形態で開示された技術的範囲内で当業者によって容易に考えられる任意の変形または置換は、本発明の実施形態の保護範囲内に入るものとする。
【手続補正３】
【補正対象書類名】図面
【補正対象項目名】図２
【補正方法】変更
【補正の内容】
【図２】
2021533689.tif 000432
【手続補正４】
【補正対象書類名】図面
【補正対象項目名】図３
【補正方法】変更
【補正の内容】
【図３】
2021533689.tif 000433
【手続補正５】
【補正対象書類名】図面
【補正対象項目名】図５
【補正方法】変更
【補正の内容】
【図５】
2021533689.tif 000434
【国際調査報告】
2021533689.tif 000435
2021533689.tif 000436
2021533689.tif 000437
2021533689.tif 000438